(57)【要約】【課題】可動体演出により演出効果を高めて興趣の低下を抑制する。【解決手段】第１の可動体（４２０Ａ）の立体形状部および第２の可動体（５２０Ａ）の立体形状部と、スクリーン部（３２２）とを接触態様とするとともに、前記第１の可動体の立体形状部と、前記第２の可動体の立体形状部とを互いに接触又は近接することで前記第１の可動体の立体形状部と前記第２の可動体の立体形状部とが１つの構成物を形成するように移動制御可能である。【選択図】図８０
2018175206.tif 000002
【特許請求の範囲】
【請求項１】
演出画像を投影可能な投影手段と、前記投影手段から照射される画像を投影する投影部と、を備える遊技機であって、
立体形状部を有する可動体と、
前記可動体および前記投影部のうち少なくともいずれか一方を移動可能な移動制御手段と、を備え、
前記可動体は、第１の可動体と、第２の可動体と、を含み、
前記投影部は、少なくとも一部が非透過性の弾性部材で形成されるスクリーン部を含み、
前記スクリーン部は、前記可動体の前記立体形状部が当該スクリーン部の背面に対し圧接されることで、当該スクリーン部の少なくとも一部が当該立体形状部の形状に応じて弾性変形し、
前記投影手段は、
前記スクリーン部における前記弾性変形した領域の少なくとも一部に所定の演出画像を投影可能であり、
前記移動制御手段は、
前記可動体を、前記投影手段の投影領域の範囲内において、前記可動体の前記立体形状部と前記スクリーン部とが接触しない非接触態様と、前記可動体の前記立体形状部と前記スクリーン部の背面とが接触可能な接触態様とのいずれかとなるように移動制御可能であり、
前記第１の可動体の前記立体形状部および前記第２の可動体の前記立体形状部と、前記スクリーン部とを前記接触態様とするとともに、前記第１の可動体の前記立体形状部と、前記第２の可動体の前記立体形状部とを互いに接触又は近接することで前記第１の可動体の立体形状部と前記第２の可動体の立体形状部とが１つの構成物を形成するように移動制御可能である
ことを特徴とする遊技機。
【発明の詳細な説明】
【技術分野】
【０００１】
本発明は、パチンコ機あるいはパチスロ機等の遊技機に関する。
【背景技術】
【０００２】
従来、遊技機において、発射された遊技球が転動可能な遊技領域に設けられた始動領域を遊技球が通過したことなど、所定の可変表示開始条件の成立により、可変表示装置の表示領域上に識別情報を変動表示する制御を行い、変動表示が行われている識別情報を導出表示する制御を行う可変表示制御手段が備えられ、導出表示された識別情報が所定の組合せ（特定の表示態様）となった場合に遊技者に有利な大当り遊技状態（所謂「大当り」）に移行するようにしたものが提供されている。
【０００３】
また、従来、プロジェクタからの投射映像をスクリーンに投影して演出画像を表示するゲーム機が提案されており、例えば特許文献１には、ゲーム機内に配置されたプロジェクタからの投射光を、反射鏡で反射し、ゲーム機内に設置されたスクリーンに演出画像を映し出す構成が開示されている。（特に、図１等参照）
【０００４】
さらに、特許文献２には、立体的に人の顔を模した光透過型のスクリーンに対し、後方に設けられたプロジェクタユニットよって画像を投影し、人の顔の起伏を立体的に映し出して、投影画像に視覚的な効果を付加しようとした遊技機が開示されている。（特に、図３等参照）
【先行技術文献】
【特許文献】
【０００５】
【特許文献１】特開平６−０３５０６６号公報
【特許文献２】特開２００７−２８６０８９号公報
【発明の概要】
【発明が解決しようとする課題】
【０００６】
上記特許文献１に記載されているような、従来の表示方法では、平面的な演出画像しか表示することができず、多様な演出を期待する遊技者にとっては、臨場感といった点で物足りなさを感じる場合がある。
【０００７】
また、上記特許文献２に記載されているような、立体的に人の顔を模した光透過型スクリーンによる表示方法では、光透過型スクリーンの透過率による影響や、光透過型スクリーンへの光の進入角度（屈折）の影響などにより、鮮明な演出画像を映し出すことが難しい。さらに、上記立体的に人の顔を模した光透過型スクリーンは、人の顔を模した立体形状部を一つしか備えておらず、そこに複数種類の演出画像を投影したとしても、その種類は自ずと限られてくるため、遊技者が演出画像に飽きてしまう場合がある。
【０００８】
そこで本発明は、上述したような種々の課題に鑑みてなされたものであり、遊技者の興趣を向上するとともに、遊技者のニーズに応じた多種多様な演出表示を行い得る遊技機を提供することを目的とする。
【課題を解決するための手段】
【０００９】
（１）演出画像を投影可能な投影手段（投影装置６００）と、前記投影手段から照射される画像を投影する投影部（弾性可動スクリーン部材３２０）と、を備える遊技機であって、立体形状部（ハート形）を有する可動体（右ハート形可動部材４２０Ａ、左ハート形可動部材５２０Ａ）と、前記可動体および前記投影部のうち少なくともいずれか一方を移動可能な移動制御手段と、を備え、前記可動体は、第１の可動体（右ハート形可動部材４２０Ａ）と、第２の可動体（左ハート形可動部材５２０Ａ）と、を含み、前記投影部は、少なくとも一部が非透過性の弾性部材で形成されるスクリーン部（弾性スクリーンシート３２２）を含み、前記スクリーン部は、前記可動体の前記立体形状部が当該スクリーン部の背面に対し圧接されることで、当該スクリーン部の少なくとも一部が当該立体形状部の形状に応じて弾性変形（膨出部の形成）し、前記投影手段は、前記スクリーン部における前記弾性変形した領域の少なくとも一部に所定の演出画像（図８０、図８１参照）を投影可能であり、前記移動制御手段は、前記可動体を、前記投影手段の投影領域の範囲内において、前記可動体の前記立体形状部と前記スクリーン部とが接触しない非接触態様と、前記投影手段の投影領域の範囲内でありかつ前記可動体の前記立体形状部と前記スクリーン部の背面とが接触可能な接触態様とのいずれかとなるように移動制御可能であり、前記第１の可動体の前記立体形状部および前記第２の可動体の前記立体形状部と、前記スクリーン部とを前記接触態様とするとともに、前記第１の可動体の前記立体形状部と、前記第２の可動体の前記立体形状部とを互いに接触又は近接することで前記第１の可動体の立体形状部と前記第２の可動体の立体形状部とが１つの構成物（図８１に示されるハート形）を形成するように移動制御可能であることを特徴とする。
【００１０】
上記（１）の遊技機によれば、第１の可動体（右ハート形可動部材４２０Ａ）と、当該第１の可動体とは立体形状の異なる第２の可動体（左ハート形可動部材５２０Ａ）とが組み合わされることで、１つの構成物（図８１に示されるハート形）を形成するように構成されている。つまり、各可動体の立体形状に応じた演出画像が投影されるだけではなく、各可動体が組み合わされた１つの立体形状を有する構成物に対しても、これに応じた演出画像を投影することが可能となるため、バラエティーに富んだ演出が可能となる。さらに、上記第１の可動体および前記第２の可動体は、それぞれ投影領域の範囲内でスクリーン部に圧接されて当該スクリーン部に膨出部を形成しながら移動可能に構成されているので、例えば、二つの異なる形状の膨出部が移動しながら次第に近接して合体するような演出を行うことが可能となり、上記膨出部に投影される画像との相乗効果により、遊技者に対して立体的な演出が可能となる。
【発明の効果】
【００１１】
本発明によれば、複数の可動体による演出により演出効果を高めて興趣の低下を抑制することができる。
【図面の簡単な説明】
【００１２】
【図１】本発明の実施形態に係るパチンコ遊技機の外観を示す正面斜視図である。
【図２】本発明の第１発明に係る実施形態のパチンコ遊技機の回路構成を示すブロック図である。
【図３】本発明の実施形態に係るパチンコ遊技機の背面図である。
【図４】第１発明に係る実施形態のパチンコ遊技機の内部構造を示す概略縦断面図である。
【図５】第１発明に係る実施形態の遊技盤と演出装置の正面図の一例である。
【図６】第１発明に係る実施形態の遊技盤と演出装置の斜視図の一例である。
【図７】第１発明に係る実施形態の遊技盤と演出装置の分解斜視図の一例である。
【図８】第１発明に係る実施形態の演出装置の正面図の一例である。
【図９】第１発明に係る実施形態の演出装置の斜視図の一例である。
【図１０】第１発明に係る実施形態の演出装置の側面図の一例である。
【図１１】第１発明に係る実施形態の演出装置の平面図の一例である。
【図１２】第１発明に係る実施形態の演出装置の背面図の一例である。
【図１３】第１発明に係る実施形態の演出装置の折り戸スクリーン部材が展開したときの正面図の一例である。
【図１４】第１発明に係る実施形態の演出装置の分解斜視図の一例である。
【図１５】第１発明に係る実施形態の演出装置を背面から見たときの分解斜視図の一例である。
【図１６】第１発明に係る実施形態の折り戸スクリーン部材および引き戸スクリーン部材駆動部の正面図の一例である。
【図１７】第１発明に係る実施形態の折り戸スクリーン部材および引き戸スクリーン部材駆動部の平面図の一例である。
【図１８】、第１発明に係る実施形態の折り戸スクリーン部材および引き戸スクリーン部材駆動部の側面図の一例である。
【図１９】第１発明に係る実施形態の折り戸スクリーン部材および引き戸スクリーン部材駆動部の背面図の一例である。
【図２０】第１発明に係る実施形態の折り戸スクリーン部材および引き戸スクリーン部材駆動部の分解斜視図の一例である。
【図２１】第１発明に係る実施形態の折り戸スクリーン部材および引き戸スクリーン部材駆動部の分解側面図の一例である。
【図２２】第１発明に係る実施形態の折り戸スクリーン部材および引き戸スクリーン部材駆動部の分解平面図の一例である。
【図２３】第１発明に係る実施形態の折り戸スクリーン部材が折り畳まれているときの正面図の一例である。
【図２４】第１発明に係る実施形態の折り戸スクリーン部材が折り畳まれているときの側面図の一例である。
【図２５】第１発明に係る実施形態の折り戸スクリーン部材が折り畳まれているときの接続部を示す斜視図の一例である。
【図２６】第１発明に係る実施形態の折り戸スクリーン部材が折り畳まれているときに背面から見た接続部を示す斜視図の一例である。
【図２７】第１発明に係る実施形態の折り戸スクリーン部材の分解斜視図の一例である。
【図２８】第１発明に係る実施形態の右側の折り戸スクリーン部材が展開したときの正面図の一例である。
【図２９】第１発明に係る実施形態の折り戸スクリーン部材駆動部における、接続部の下層摺動溝形成部材の平面図の一例である。
【図３０】第１発明に係る実施形態の引き戸スクリーン部材駆動部の平面図の一例である。
【図３１】第１発明に係る実施形態の演出装置において、引き戸スクリーン部材が左右に退避したときの斜視図の一例である。
【図３２】第１発明に係る実施形態の演出装置において、引き戸スクリーン部材が演出装置の中央に進出したときの斜視図の一例である。
【図３３】第１発明に係る実施形態の演出装置において、引き戸スクリーン部材が演出装置の中央に進出したときの背面から見た斜視図の一例である。
【図３４】第１発明に係る実施形態の演出装置において、引き戸スクリーン部材が演出装置の中央に進出したときの、引き戸スクリーン部材駆動部の平面図の一例である。
【図３５】第１発明に係る実施形態の演出装置において、中央演出部材が引き戸スクリーン部材間に進出したときの斜視図の一例である。
【図３６】第１発明に係る実施形態の演出装置において、中央演出部材が引き戸スクリーン部材間に進出したときの平面図の一例である。
【図３７】第１発明に係る実施形態の演出装置において、中央演出部材が引き戸スクリーン部材間から後方に退避するときの斜視図の一例である。
【図３８】第１発明に係る実施形態の演出装置において、中央演出部材が引き戸スクリーン部材間から後方に退避するときの平面図の一例である。
【図３９】第１発明に係る実施形態の中央演出部材駆動部において、中央演出部材が後方に退避しているときに背面から見た斜視図の一例である。
【図４０】第１発明に係る実施形態の中央演出部材駆動部において、中央演出部材が前方に進出しているときに背面から見た斜視図の一例である。
【図４１】第１発明に係る実施形態の演出装置において、中央演出部材が引き戸スクリーン部材間に進出した直後の斜視図の一例である。
【図４２】第１発明に係る実施形態の演出装置において、中央演出部材が引き戸スクリーン部材間に進出して所定時間経過後の斜視図の一例である。
【図４３】第１発明に係る実施形態の折り戸スクリーン部材の折畳み時における引き戸スクリーン部材との位置関係を示す斜視図の一例である。
【図４４】第１発明に係る実施形態の折り戸スクリーン部材の折畳み時における引き戸スクリーン部材との位置関係を示す平面図の一例である。
【図４５】第１発明に係る実施形態の従来技術による折り戸部材の、折畳み時（ｂ）および展開時（ａ）における後方部材との位置関係を示す平面図の一例である。
【図４６】第１発明に係る実施形態の折り戸スクリーン部材の、折畳み時（ｂ）および展開時（ａ）における引き戸スクリーン部材との位置関係を示す平面図の一例である。
【図４７】第１発明に係る実施形態の引き戸スクリーン部材に形成された立体的凹凸面が一つのキャラクタを形成した場合の斜視図（ａ）と、当該引き戸スクリーン部材に形成された立体的凹凸面と中央演出部材に形成された立体的凹凸面とが別の一つのキャラクタを形成した場合の斜視図（ｂ）の一例である。
【図４８】本発明の第２発明に係る実施形態のパチンコ遊技機の回路構成を示すブロック図である。
【図４９】第２発明に係る実施形態のパチンコ遊技機の内部構造を示す概略縦断面図である。
【図５０】第２発明に係る実施形態の遊技盤と演出装置の正面図の一例である。
【図５１】第２発明に係る実施形態の遊技盤と演出装置の斜視図の一例である。
【図５２】第２発明に係る実施形態の遊技盤と演出装置の分解斜視図の一例である。
【図５３】第２発明に係る実施形態の演出装置の正面図の一例である。
【図５４】第２発明に係る実施形態の演出装置の斜視図の一例である。
【図５５】第２発明に係る実施形態の演出装置の側面図の一例である。
【図５６】第２発明に係る実施形態の演出装置の分解斜視図の一例である。
【図５７】第２発明に係る実施形態の弾性可動スクリーン部材の分解斜視図の一例である。
【図５８】第２発明に係る実施形態の弾性可動スクリーン部材の分解斜視図の一例である。
【図５９】第２発明に係る実施形態の弾性可動スクリーン部材の背面から見た分解斜視図の一例である。
【図６０】第２発明に係る実施形態の弾性可動スクリーン部材の駆動機構の分解斜視図の一例である。
【図６１】第２発明に係る実施形態の演出装置において弾性可動スクリーン部材が前方位置ある場合の側面図の一例である。
【図６２】第２発明に係る実施形態の演出装置において弾性可動スクリーン部材が後方位置ある場合の側面図の一例である。
【図６３】第２発明に係る実施形態の演出装置において弾性可動スクリーン部材が後方位置ある場合の斜視図の一例である。
【図６４】第２発明に係る実施形態の演出装置において円形可動部材および角形可動部材の待機位置を示す斜視図の一例である。
【図６５】第２発明に係る実施形態の演出装置において円形可動部材が演出装置中央に移動した場合の進出位置を示す斜視図の一例である。
【図６６】第２発明に係る実施形態の演出装置において角形可動部材が演出装置中央に移動した場合の進出位置を示す斜視図の一例である。
【図６７】第２発明に係る実施形態の角形可動部材の駆動機構の斜視図の一例である。
【図６８】第２発明に係る実施形態の角形可動部材の駆動機構の背面から見た斜視図の一例である。
【図６９】第２発明に係る実施形態の角形可動部材の駆動機構の一部を分解した分解斜視図の一例である。
【図７０】第２発明に係る実施形態の角形可動部材の駆動機構の分解斜視図の一例である。
【図７１】第２発明に係る実施形態の円形可動部材の駆動機構の斜視図の一例である。
【図７２】第２発明に係る実施形態の円形可動部材に弾性可動スクリーン部材を圧接したときの演出装置の斜視図の一例である。
【図７３】第２発明に係る実施形態の円形可動部材に弾性可動スクリーン部材を圧接したときの演出装置の側面図の一例である。
【図７４】第２発明に係る実施形態の円形可動部材に弾性可動スクリーン部材を圧接したときに投影される投影画像の一例である。
【図７５】第２発明に係る実施形態の角形可動部材に弾性可動スクリーン部材を圧接したときの演出装置の斜視図の一例である。
【図７６】第２発明に係る実施形態の角形可動部材に弾性可動スクリーン部材を圧接したときの演出装置の側面図の一例である。
【図７７】第２発明に係る実施形態の角形可動部材に弾性可動スクリーン部材を圧接したときに投影される投影画像の一例である。
【図７８】第２発明に係る実施形態の角形可動部材に弾性可動スクリーン部材を圧接したときに投影される投影画像の一例である。
【図７９】第２発明に係る実施形態の第二の実施形態における可動部材の合体前の投影態様を示す正面図の一例である。
【図８０】第２発明に係る第二の実施形態における可動部材の合体後の投影態様を示す正面図の一例である。
【図８１】第２発明に係る第三の実施形態における可動部材の合体前の投影態様を示す正面図の一例である。
【図８２】第２発明に係る第三の実施形態における可動部材の合体後の投影態様を示す正面図の一例である。
【図８３】第２発明に係る第三の実施形態における可動部材の合体後にさらに別の可動部材を併せて投影する態様を示す正面図の一例である。
【図８４】第２発明に係る別実施例における弾性可動スクリーン部材の分解斜視図の一例である。
【発明を実施するための形態】
【００１３】
以下に、本発明の第１発明および第２発明に係る好適な実施形態について、以下に図面に基づいて説明する。
【００１４】
遊技機の一例であるパチンコ遊技機１の全体の構成について説明する。図１は、パチンコ遊技機を正面から見た正面図である。また、図２は、本発明の第１発明に係る主制御基板および演出制御基板等を含む、パチンコ遊技機の回路構成を示すブロック図の一例である。さらに、図４８は、本発明の第２発明に係る主制御基板および演出制御基板等を含む、パチンコ遊技機の回路構成を示すブロック図の一例である。
【００１５】
パチンコ遊技機１（以下、単に「遊技機」と略記する場合がある）は、大まかな構成として、遊技盤２を支持固定する遊技機枠３（主に図４、図４９を参照）と、遊技機枠３を回動可能に支持する外枠２００（主に図４、図４９を参照）とから構成されている。図５および図５０の正面図に示されるように、遊技盤２の前面には、ガイドレール（図示略）によって囲まれた遊技領域１０が形成され、遊技媒体としての遊技球が発射装置（図示略）から発射されて打ち込まれる。また、図４および図４９の遊技機の断面図に示されるように、遊技機枠３には、後述する第１透明板５０ａおよび第２透明板５０ｂを有する開閉扉枠５０が、遊技機枠３の左側辺に回動可能に設けられている。したがって、開閉扉枠５０により遊技機枠３の前面を閉鎖したとき、遊技者は第１透明板５０ａおよび第２透明板５０ｂを通して遊技領域１０を視認できるようになっている。
【００１６】
図５および図５０の遊技盤正面図、図６および図５１の遊技盤斜視図、図７および図５２の遊技盤分解斜視図に示されているように、遊技盤２は、遊技領域１０を囲い込む遊技領域隔成部材２ａと、遊技盤２の後方に設けられる可動演出画像表示装置６０（又は可動立体演出表示装置６０）の前面の一部を覆うとともに、遊技領域１０と可動演出画像表示装置６０（又は可動立体演出表示装置６０）の視認範囲とを仕切る飾り枠２ｂと、障害釘（図示略）や各種入賞装置等が設けられる盤面板２ｃとによって構成されている。
【００１７】
遊技盤２の所定位置（図５、図５０の右側下部位置）には、第１特別図柄表示器４Ａと、第２特別図柄表示器４Ｂとが設けられている。第１特別図柄表示器４Ａと第２特別図柄表示器４Ｂはそれぞれ、例えば７セグメントやドットマトリクスのＬＥＤ（発光ダイオード）等から構成され、変動表示ゲームの一例となる特図ゲームにおいて、各々を識別可能な複数種類の識別情報である特別図柄が、変動可能に表示される。例えば、第１特別図柄表示器４Ａと第２特別図柄表示器４Ｂはそれぞれ、「０」〜「９」を示す数字や「−」を示す記号等から構成される複数種類の特別図柄を変動表示する。なお、第１特別図柄表示器４Ａや第２特別図柄表示器４Ｂにおいて表示される特別図柄は、上記したものに限定されず、例えば７セグメントのＬＥＤにおいて点灯させるものと消灯させるものとの組合せを異ならせた複数種類の点灯パターンが、複数種類の特別図柄として予め設定されていればよい。
【００１８】
また、以下の説明において、第１特別図柄表示器４Ａにおいて変動表示される特別図柄を「第１特図」とし、さらに、第２特別図柄表示器４Ｂにおいて変動表示される特別図柄を「第２特図」として表現するものとする。
【００１９】
図７および図５２の遊技盤の分解斜視図等に示されるように、遊技盤２における遊技領域１０の中央付近には、パチンコ遊技機１の前後方向に貫通する開口２ｄが形成されており、開口２ｄの後方には、後述する投影装置６００から投影される投影画像を映し出す可動演出画像表示装置６０（又は可動立体演出表示装置６０）や演出画像表示装置５が設けられており、開口２ｄを通して遊技者が視認できるようになっている。
【００２０】
図５および図５０の遊技盤正面図に示されるように、演出画像表示装置５は、例えばＬＣＤ（液晶表示装置）等から構成され、各種の演出画像を表示する表示領域を形成している。演出画像表示装置５の表示領域では、特図ゲームにおける第１特別図柄表示器４Ａによる第１特図の変動表示や第２特別図柄表示器４Ｂによる第２特図の変動表示のそれぞれに対応して、例えば３つといった複数の変動表示部となる演出図柄変動エリアにて、各々を識別可能な複数種類の識別情報（装飾識別情報）である演出図柄（飾り図柄ともいう）が変動表示される。この演出図柄の変動表示も、変動表示ゲームに含まれる。
【００２１】
本実施例における演出図柄の変動表示は、可動演出画像表示装置６０（又は可動立体演出表示装置６０）と演出画像表示装置５のいずれにおいても実行される。演出画像表示装置５において演出図柄の変動表示が実行される場合には、図５および図５０の遊技盤正面図に示されるように、演出画像表示装置５の表示領域に設定された、「左」、「中」、「右」の演出図柄変動エリア５Ｌ、５Ｃ、５Ｒにて個々に演出図柄の変動表示が実行され、変動表示が終了するときに、上記各演出図柄変動エリアにて、演出図柄の変動表示結果となる確定演出図柄が停止表示される。
【００２２】
また、可動演出画像表示装置６０において演出図柄の変動表示が実行される場合にも、演出画像表示装置５と同様に、「左」、「中」、「右」の３つの表示領域にて演出図柄の変動表示が実行され、変動表示が終了するときに、「左」、「中」、「右」の３つの演出図柄変動エリアに確定演出図柄が停止表示される。
【００２３】
このように、可動演出画像表示装置６０（又は可動立体演出表示装置６０）および演出画像表示装置５の表示領域では、第１特別図柄表示器４Ａにおける第１特図を用いた特図ゲーム、または、第２特別図柄表示器４Ｂにおける第２特図を用いた特図ゲームと対応して演出図柄の変動表示を行い、変動表示結果となる確定演出図柄を導出表示する。なお、演出図柄の変動態様および確定演出図柄を可動演出画像表示装置６０（又は可動立体演出表示装置６０）または演出画像表示装置５の一方のみに表示するようにしてもよい。例えば、可動演出画像表示装置６０（又は可動立体演出表示装置６０）において投影されている図柄の変動表示画像を中断し、他の演出画像を表示することとなった場合であっても、演出画像表示装置５において引き続き演出図柄の変動態様および確定演出図柄が表示されるので、遊技者は常に図柄の変動態様を視認して把握することが可能である。
【００２４】
可動演出画像表示装置６０（又は可動立体演出表示装置６０）や演出画像表示装置５において変動表示される演出図柄には、例えば８種類の図柄（英数字「１」〜「８」あるいは漢数字や、英文字、所定のモチーフに関連する８個のキャラクタ画像、数字や文字あるいは記号とキャラクタ画像との組合せなどであればよく、キャラクタ画像は、例えば人物や動物、これら以外の物体、もしくは、文字などの記号、あるいは、その他の任意の図形を示す飾り画像であればよい）で構成される。演出図柄のそれぞれには、対応する図柄番号が付されている。例えば、「１」〜「８」を示す英数字それぞれに対して、「１」〜「８」の図柄番号が付されている。なお、演出図柄は８種類に限定されず、大当り組合せやはずれとなる組合せなど適当な数の組合せを構成可能であれば、何種類であってもよい。
【００２５】
図５および図５０の遊技盤正面図に示されるように、演出画像表示装置５の表示領域の上部の左右２箇所には、第１保留記憶変動エリア５Ｄ、第２保留記憶変動エリア５Ｕが設定されている。第１保留記憶変動エリア５Ｄ、第２保留記憶変動エリア５Ｕでは、特図ゲームに対応した変動表示の保留記憶数を特定可能に表示する保留記憶表示が行われる。
【００２６】
ここで、特図ゲームに対応した変動表示の保留は、特別入賞球装置６に形成された第１始動入賞口６Ａや、第２始動入賞口６Ｂを、遊技球が通過することによる始動入賞に基づいて発生する。すなわち、特図ゲームや演出図柄の変動表示といった変動表示ゲームを実行するための始動条件が成立した場合は都度変動表示の保留が行われる。なお、先の始動条件に基づく変動表示ゲームが実行中であることやパチンコ遊技機１が大当り遊技状態に制御されていることなどにより、ただちに始動条件の成立に基づく変動表示ゲームが実行できない場合は、所定数を上限として始動条件に対応する変動表示の保留が行われる。本実施例では、第１始動入賞口６Ａを遊技球が通過することによる始動入賞に基づいて発生した保留記憶表示を丸型の白色表示として上記第１保留記憶変動エリア５Ｄに表示し、第２始動入賞口６Ｂを遊技球が通過することによる始動入賞に基づいて発生した保留記憶表示を同様に丸型の白色表示として第２保留記憶変動エリア５Ｕに表示する。
【００２７】
図５および図５０に示す例では、第１特別図柄表示器４Ａ及び第２特別図柄表示器４Ｂの右側位置に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。
【００２８】
また、遊技盤２の後方における演出画像表示装置５の上方には、可動演出画像表示装置６０（又は可動立体演出表示装置６０）が設けられている。可動演出画像表示装置６０（又は可動立体演出表示装置６０）は、後述する投影装置６００から画像が投影されることによって、演出図柄の変動表示や遊技状態に応じて実行される各種演出画像等が表示されるようになっている。
【００２９】
また、図５および図５０の遊技盤２の正面図等に示されるように、演出画像表示装置５の下方には、特別入賞球装置６が設けられている。特別入賞球装置６には、例えば所定の球受部材によって常に一定の開放状態に保たれる始動領域としての第１始動入賞口６Ａが形成されている。さらにその下方には、図２および図４８のブロック図に示されている普通電動役物用のソレノイド８１によって、閉鎖位置となる閉鎖状態と、開放位置となる開放状態とに可動板（図示略）が変化する普通電動役物を備えた第２始動入賞口６Ｂが形成されている。
【００３０】
一例として、第２始動入賞口６Ｂでは、普通電動役物用のソレノイド８１がオフ状態であるときに可動板（図示略）が閉鎖位置となることにより、遊技球が第２始動入賞口６Ｂを通過しがたい閉鎖状態となる。その一方で、普通電動役物用のソレノイド８１がオン状態であるときに可動板（図示略）が開放位置となる開放制御により、遊技球が第２始動入賞口６Ｂを通過しやすい開放状態となる。
【００３１】
特別入賞球装置６に形成された第１始動入賞口６Ａを通過した遊技球は、例えば図２および図４８に示す第１始動口スイッチ２Ａによって検出される。同じく特別入賞球装置６に形成された第２始動入賞口６Ｂを通過（進入）した遊技球は、例えば図２および図４８に示す第２始動口スイッチ２Ｂによって検出される。第１始動口スイッチ２Ａによって遊技球が検出されたことに基づき、所定個数（例えば３個）の遊技球が賞球として払い出され、第１特図保留記憶数が所定の上限値（例えば「４」）未満であれば、第１始動条件が成立する。第２始動口スイッチ２Ｂによって遊技球が検出されたことに基づき、所定個数（例えば３個）の遊技球が賞球として払い出され、第２特図保留記憶数が所定の上限値（例えば「４」）未満であれば、第２始動条件が成立する。なお、第１始動口スイッチ２Ａによって遊技球が検出されたことに基づいて払い出される賞球の個数と、第２始動口スイッチ２Ｂによって遊技球が検出されたことに基づいて払い出される賞球の個数は、互いに同一の個数であってもよいし、異なる個数であってもよい。
【００３２】
図５および図５０の遊技盤の正面図の示されるように、特別入賞球装置６の右上方には、特別可変入賞球装置７が設けられている。特別可変入賞球装置７は、大入賞口扉用となるソレノイド８２によって開閉駆動される大入賞口扉（図示略）を備え、その大入賞口扉（図示略）によって開放状態と閉鎖状態とに変化する特定領域としての大入賞口（図示略）を形成する。
【００３３】
一例として、特別可変入賞球装置７では、大入賞口扉用のソレノイド８２がオフ状態であるときに大入賞口扉（図示略）が大入賞口（図示略）を閉鎖状態として、遊技球が大入賞口（図示略）を通過（進入）できなくする。その一方で、特別可変入賞球装置７では、大入賞口扉用のソレノイド８２がオン状態であるときに大入賞口扉（図示略）が大入賞口（図示略）を開放状態として、遊技球が大入賞口（図示略）を通過（進入）しやすくする。このように、特定領域としての大入賞口は、遊技球が通過（進入）しやすく遊技者にとって有利な開放状態と、遊技球が通過（進入）できず遊技者にとって不利な閉鎖状態とに変化する。なお、遊技球が大入賞口（図示略）を通過（進入）できない閉鎖状態に代えて、あるいは閉鎖状態の他に、遊技球が大入賞口（図示略）を通過（進入）しにくい一部開放状態を設けてもよい。
【００３４】
大入賞口（図示略）を通過（進入）した遊技球は、例えば図２および図４８に示すカウントスイッチ２３によって検出される。カウントスイッチ２３によって遊技球が検出されたことに基づき、所定個数（例えば１５個）の遊技球が賞球として払い出される。こうして、特別可変入賞球装置７において開放状態となった大入賞口（図示略）を遊技球が通過（進入）したときには、例えば第１始動入賞口６Ａや第２始動入賞口６Ｂといった、他の入賞口を遊技球が通過（進入）したときよりも多くの賞球が払い出される。従って、特別可変入賞球装置７において大入賞口が開放状態となれば、その大入賞口（図示略）に遊技球が進入可能となり、遊技者にとって有利な第１状態となる。その一方で、特別可変入賞球装置７において大入賞口（図示略）が閉鎖状態となれば、大入賞口（図示略）に遊技球を通過（進入）させて賞球を得ることが不可能または困難になり、遊技者にとって不利な第２状態となる。
【００３５】
図５および図５０の遊技盤２の正面図に示されるように、第２保留表示器２５Ｂの右側には、普通図柄表示器２０が設けられている。一例として、普通図柄表示器２０は、第１特別図柄表示器４Ａや第２特別図柄表示器４Ｂと同様に７セグメントやドットマトリクスのＬＥＤ等から構成され、特別図柄とは異なる複数種類の識別情報である普通図柄を変動可能に表示（変動表示）する。このような普通図柄の変動表示は、普図ゲームと称される。
【００３６】
普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３７】
遊技盤２の前面（遊技盤面）には、上記の構成以外にも、遊技球の流下方向や速度を変化させる風車（図示略）及び多数の障害釘（図示略）が設けられている。また、第１始動入賞口６Ａ、第２始動入賞口６Ｂ及び大入賞口とは異なる入賞口として、例えば所定の球受部材によって常に一定の開放状態に保たれる単一または複数の一般入賞口が設けられてもよい。この場合には、一般入賞口のいずれかに進入した遊技球が所定の一般入賞球スイッチによって検出されたことに基づき、所定個数（例えば１０個）の遊技球が賞球として払い出されればよい。遊技領域１０の最下方には、いずれの入賞口にも進入しなかった遊技球が取り込まれるアウト口（図示略）が設けられている。
【００３８】
開閉扉枠５０の上部位置には、図１の遊技機の正面図、図４および図４９の遊技機の断面図に示されるように、前方に突出する上突出部２１０Ａが開閉扉枠５０の上辺に沿って庇状に形成されているとともに、該上突出部２１０Ａ内の左右側部には、効果音等を再生出力するためのスピーカ８Ｌ、８Ｒが収容されている。なお、本実施例では上突出部２１０Ａ内の左右側部にスピーカ８Ｌ、８Ｒが収容される形態を例示しているが、本発明はこれに限定されるものではなく、スピーカ８Ｌ、８Ｒを露出するように上突出部２１０Ａに設けてもよい。さらに遊技領域１０の周辺部には、演出用ＬＥＤ９（図１参照）が設けられている。パチンコ遊技機１の遊技領域１０における各構造物（例えば、特別入賞球装置６、特別可変入賞球装置７等）の周囲にも、演出用ＬＥＤが配置されていてもよい。また、開閉扉枠５０の右下部位置には、遊技球を遊技領域１０に向けて発射するために遊技者等によって操作される打球操作ハンドル５２が設けられており、遊技者等による操作量に応じて遊技球の弾発力を調整する。打球操作ハンドル５２には、発射装置（図示略）が備える発射モータの駆動を停止させるための単発発射スイッチや、タッチセンサが設けられていればよい。
【００３９】
遊技領域１０の下方における開閉扉枠５０の所定位置には、賞球や貸玉として払い出された遊技球を、発射装置（図示略）へと供給可能に貯留する打球供給皿９０（図１参照）が設けられている。
【００４０】
開閉扉枠５０の前面下部には、遊技者が押下動作などにより所定の指示操作を可能なプッシュボタン３１（図１参照）が設けられている。プッシュボタン３１は、遊技者からの押下動作を、機械的、電気的、あるいは、電磁的に、検出できるように構成されていればよい。プッシュボタン３１の設置位置における打球供給皿の本体内部などには、プッシュボタン３１に対してなされた遊技者による押下動作を検出するプッシュセンサ３５が設けられていればよい。
【００４１】
次に、パチンコ遊技機１における遊技の進行を概略的に説明する。パチンコ遊技機１では、遊技領域１０に設けられた通過ゲート４１を通過した遊技球が図２および図４８のブロック図に示すゲートスイッチ２１によって検出され、普通図柄表示器２０にて普通図柄の変動表示を実行するための普図始動条件が成立した後に、例えば前回の普図ゲームが終了したことといった、普通図柄の変動表示を開始するための普図開始条件が成立したことに基づいて、普通図柄表示器２０による普図ゲームが開始される。
【００４２】
この普図ゲームでは、普通図柄の変動を開始させた後、普図変動時間となる所定時間が経過すると、普通図柄の変動表示結果となる確定普通図柄を停止表示（導出表示）する。このとき、確定普通図柄として、例えば「７」を示す数字といった、特定の普通図柄（普図当り図柄）が停止表示されれば、普通図柄の変動表示結果が「普図当り」となる。その一方、確定普通図柄として、例えば「７」を示す数字以外の数字や記号といった、普図当り図柄以外の普通図柄が停止表示されれば、普通図柄の変動表示結果が「普図はずれ」となる。普通図柄の変動表示結果が「普図当り」となったことに対応して、第２始動入賞口６Ｂに構成された電動チューリップの可動翼片（図示略）が傾動位置となる拡大開放制御（傾動制御）が行われ、所定時間が経過すると垂直位置に戻る通常開放制御が行われる。
【００４３】
特別入賞球装置６に形成された第１始動入賞口６Ａを通過（進入）した遊技球が図２および図４８のブロック図に示す第１始動口スイッチ２Ａによって検出されたことなどにより第１始動条件が成立した後に、例えば前回の特図ゲームや大当り遊技状態が終了したことなどにより第１開始条件が成立したことに基づいて、第１特別図柄表示器４Ａによる特図ゲームが開始される。また、特別入賞球装置６に形成された第２始動入賞口６Ｂを通過（進入）した遊技球が図２および図４８のブロック図に示す第２始動口スイッチ２Ｂによって検出されたことなどにより第２始動条件が成立した後に、例えば前回の特図ゲームや大当り遊技状態が終了したことなどにより第２開始条件が成立したことに基づいて、第２特別図柄表示器４Ｂによる特図ゲームが開始される。
【００４４】
第１特別図柄表示器４Ａや第２特別図柄表示器４Ｂによる特図ゲームでは、特別図柄の変動表示を開始させた後、特図変動時間としての変動表示時間が経過すると、特別図柄の変動表示結果となる確定特別図柄（特図表示結果）を導出表示する。このとき、確定特別図柄として特定の特別図柄（大当り図柄）が停止表示されれば、特定表示結果としての「大当り」となり、大当り図柄とは異なる特別図柄が確定特別図柄として停止表示されれば「はずれ」となる。なお、大当り図柄とは異なる所定の特別図柄（小当り図柄）が停止表示されるようにしても良く、これら所定表示結果としての所定の特別図柄（小当り図柄）が停止表示される場合には、大当り遊技状態とは異なる特殊遊技状態としての小当り遊技状態に制御すればよい。
【００４５】
特図ゲームでの変動表示結果が大当りになった後には、遊技者にとって有利なラウンドを所定回数実行する特定遊技状態としての大当り遊技状態に制御される。
【００４６】
本実施例におけるパチンコ遊技機１では、一例として、「３」、「５」、「７」の数字を示す特別図柄を大当り図柄とし、「−」の記号を示す特別図柄をはずれ図柄としている。なお、小当り図柄を停止表示する場合には、例えば、「２」の数字を示す特別図柄を小当り図柄とすればよい。なお、第１特別図柄表示器４Ａによる特図ゲームにおける大当り図柄やはずれ図柄といった各図柄は、第２特別図柄表示器４Ｂによる特図ゲームにおける各図柄とは異なる特別図柄となるようにしてもよいし、双方の特図ゲームにおいて共通の特別図柄が大当り図柄やはずれ図柄となるようにしてもよい。
【００４７】
特図ゲームにおける確定特別図柄として「３」、「５」、「７」の数字を示す大当り図柄が停止表示されて特定表示結果としての「大当り」となった後、大当り遊技状態において、特別可変入賞球装置７の大入賞口扉が、所定の上限時間（例えば、２９秒間）が経過するまでの期間あるいは所定個数（例えば９個）の入賞球が発生するまでの期間にて、大入賞口を開放状態とする。これにより、特別可変入賞球装置７を遊技者にとって有利な第１状態（開放状態）とするラウンドが実行される。
【００４８】
ラウンドの実行中に大入賞口を開放状態とした大入賞口扉は、遊技盤２の表面を落下する遊技球を受け止め、その後に大入賞口を閉鎖状態とすることにより、特別可変入賞球装置７を遊技者にとって不利な第２状態（閉鎖状態）に変化させて、１回のラウンドを終了させる。大入賞口の開放サイクルであるラウンドは、その実行回数が所定の上限回数（例えば、「１６」など）に達するまで、繰り返し実行可能となっている。なお、ラウンドの実行回数が上限回数に達する前であっても、所定条件の成立（例えば大入賞口に遊技球が入賞しなかったことなど）により、ラウンドの実行が終了するようにしてもよい。
【００４９】
大当り遊技状態におけるラウンドのうち、特別可変入賞球装置７を遊技者にとって有利な第１状態（開放状態）とする上限時間が比較的に長い時間（例えば、２９秒など）となるラウンドは、通常開放ラウンドともいう。一方、特別可変入賞球装置７を第１状態（開放状態）とする上限時間が比較的に短い時間（例えば、０．１秒など）となるラウンドは、短期開放ラウンドともいう。
【００５０】
なお、小当り図柄を停止表示する場合にあっては、これら小当り図柄が確定特別図柄として導出された後に、特殊遊技状態としての小当り遊技状態に制御すればよい。具体的に小当り遊技状態では、例えば、上記した、実質的には出球（賞球）が得られない短期開放大当り状態と同様に特別可変入賞球装置７において大入賞口を遊技者にとって有利な第１状態（開放状態）に変化させる可変入賞動作を実行すればよい。
【００５１】
投影装置６００により投影される可動演出画像表示装置６０（又は可動立体演出表示装置６０）や、ＬＣＤ（液晶表示装置）等から構成される演出画像表示装置５では、第１特別図柄表示器４Ａにおける第１特図を用いた特図ゲームと、第２特別図柄表示器４Ｂにおける第２特図を用いた特図ゲームとのうち、いずれかの特図ゲームが開始されることに対応して、演出図柄の変動表示が開始される。そして、演出図柄の変動表示が開始されてから変動表示が終了するまでの期間では、演出図柄の変動表示状態が所定のリーチ状態となることがある。
【００５２】
ここで、リーチ状態とは、可動演出画像表示装置６０（又は可動立体演出表示装置６０）上や演出画像表示装置５上の領域にて、停止表示された演出図柄が大当り組合せの一部を構成しているときに未だ停止表示されていない演出図柄については変動が継続している表示状態、あるいは、全部又は一部の演出図柄が大当り組合せの全部又は一部を構成しながら同期して変動している表示状態のことである。具体的には、例えば、可動演出画像表示装置６０（又は可動立体演出表示装置６０）や演出画像表示装置５の「左」、「中」、「右」の演出図柄変動エリアにおける一部（例えば「左」及び「右」の演出図柄変動エリアなど）において予め定められた大当り組合せを構成する演出図柄（例えば「７」の英数字を示す演出図柄）が停止表示されているときに、未だ停止表示していない残りの演出図柄変動エリア（例えば「中」の演出図柄変動エリアなど）において演出図柄が変動している表示状態、あるいは、「左」、「中」、「右」の演出図柄変動エリア５Ｌ、５Ｃ、５Ｒにおいて全部又は一部の演出図柄が、大当り組合せの全部又は一部を構成しながら同期して変動している表示状態である。なお、これらリーチ状態は、可動演出画像表示装置６０（又は可動立体演出表示装置６０）における変動表示においても発生する。
【００５３】
また、リーチ状態となったことに対応して、演出図柄の変動速度を低下させたり、可動演出画像表示装置６０（又は可動立体演出表示装置６０）や演出画像表示装置５に、演出図柄とは異なるキャラクタ画像（人物等を模した演出画像）を表示させたり、背景画像の表示態様を変化させたり、可動演出画像表示装置６０（又は可動立体演出表示装置６０）の形状を変化させたりすることで、リーチ状態となる以前とは異なる演出動作が実行される場合がある。このようなキャラクタ画像の表示や背景画像の表示態様の変化、動画像の再生表示、演出図柄の変動態様の変化といった演出動作を、リーチ演出という。なお、リーチ演出には、可動演出画像表示装置６０（又は可動立体演出表示装置６０）や演出画像表示装置５における表示動作のみならず、スピーカ８Ｌ、８Ｒによる音声出力動作や、演出用ＬＥＤ９などの発光体における点灯動作（点滅動作）などを、リーチ状態となる以前の動作態様とは異なる動作態様とすることが含まれていてもよい。
【００５４】
リーチ演出における演出動作としては、互いに動作態様（リーチ態様）が異なる複数種類の演出パターン（「リーチパターン」ともいう）が、予め用意されていればよい。そして、それぞれのリーチ態様では「大当り」となる可能性（「信頼度」あるいは「大当り信頼度」ともいう）が異なる。すなわち、複数種類のリーチ演出のいずれが実行されるかに応じて、変動表示結果が大当りとなる可能性を異ならせることができる。
【００５５】
特図ゲームにおける確定特別図柄として、はずれ図柄となる特別図柄が停止表示（導出）される場合には、演出図柄の変動表示が開始されてから、演出図柄の変動表示状態がリーチ状態とならずに、所定の非リーチ組合せとなる確定演出図柄が停止表示されることがある。このような演出図柄の変動表示態様は、変動表示結果がはずれとなる場合における「非リーチ」（「通常はずれ」ともいう）の変動表示態様と称される。
【００５６】
特図ゲームにおける確定特別図柄として、はずれ図柄となる特別図柄が停止表示（導出）される場合には、演出図柄の変動表示が開始されてから、演出図柄の変動表示状態がリーチ状態となったことに対応して、リーチ演出が実行された後に、あるいは、リーチ演出が実行されずに、所定のリーチはずれ組合せとなる確定演出図柄が停止表示されることがある。このような演出図柄の変動表示結果は、変動表示結果が「はずれ」となる場合における「リーチ」（「リーチはずれ」ともいう）の変動表示態様と称される。
【００５７】
特図ゲームにおける確定特別図柄として、大当り図柄となる特別図柄のうち「３」の数字を示す大当り図柄が停止表示される場合には、演出図柄の変動表示状態がリーチ状態となったことに対応して、所定のリーチ演出が実行された後に、複数種類の大当り組合せのうち、所定の通常大当り組合せ（「非確変大当り組合せ」ともいう）となる確定演出図柄が停止表示される。なお、リーチ演出が実行されずに、確定演出図柄として非確変大当り組合せを停止表示してもよい。
【００５８】
通常大当り組合せ（非確変大当り組合せ）となる確定演出図柄は、例えば、可動演出画像表示装置６０（又は可動立体演出表示装置６０）上や演出画像表示装置５上において変動表示される図柄番号が「１」〜「８」の演出図柄のうち、図柄番号が偶数「２」、「４」、「６」、「８」である演出図柄のいずれか１つが、「左」、「中」、「右」の各演出図柄変動エリアにて所定の有効ライン上に揃って停止表示されるものであればよい。通常大当り組合せを構成する図柄番号が偶数「２」、「４」、「６」、「８」である演出図柄は、通常図柄（「非確変図柄」ともいう）と称される。
【００５９】
特図ゲームにおける確定特別図柄が通常大当り図柄となることに対応して、所定のリーチ演出が実行された後に、通常大当り組合せ（非確変大当り組合せ）の確定演出図柄が停止表示される演出図柄の変動表示態様は、変動表示結果が「大当り」となる場合における「非確変」（「通常大当り」ともいう）の変動表示態様（「大当り種別」ともいう）と称される。なお、リーチ演出が実行されずに、確定演出図柄として通常大当り組合せ（非確変大当り組合せ）を停止表示してもよい。「非確変」の大当り種別で変動表示結果が「大当り」となったことに基づいて、通常開放大当り状態に制御され、その終了後には、時間短縮制御（時短制御）が行われる。時短制御が行われることにより、特図ゲームにおける特別図柄の変動表示時間（特図変動時間）は、通常状態に比べて短縮される。なお、時短制御では、後述するように普通図柄の当選頻度が高められて、第２始動入賞口６Ｂへの入賞頻度が高められる、いわゆる電チューサポートが実施される。ここで、通常状態とは、大当り遊技状態等の特定遊技状態などとは異なる通常遊技状態であり、パチンコ遊技機１の初期設定状態（例えばシステムリセットが行われた場合のように、電源投入後に初期化処理を実行した状態）と同一の制御が行われる。時短制御は、大当り遊技状態の終了後に所定回数（例えば１００回）の特図ゲームが実行されることと、変動表示結果が「大当り」となることのうち、いずれかの条件が先に成立したときに、終了すればよい。
【００６０】
特図ゲームにおける確定特別図柄として、大当り図柄となる特別図柄のうち、「５」、「７」の数字を示す特別図柄といった確変大当り図柄が停止表示される場合には、演出図柄の変動表示状態がリーチ状態となったことに対応して、演出図柄の変動表示態様が「通常」である場合と同様のリーチ演出が実行された後に、複数種類の大当り組合せのうち、所定の確変大当り組合せとなる確定演出図柄が停止表示されることがある。なお、リーチ演出が実行されずに、確定演出図柄として確変大当り組合せを停止表示してもよい。確変大当り組合せとなる確定演出図柄は、例えば、可動演出画像表示装置６０（又は可動立体演出表示装置６０）上や演出画像表示装置５上において変動表示される図柄番号が「１」〜「８」の演出図柄のうち、図柄番号が「１」、「３」、「５」、「７」である演出図柄が、「左」、「中」、「右」の各演出図柄変動エリアにて所定の有効ライン上に揃って停止表示されるものであればよい。確変大当り組合せを構成する図柄番号が「１」、「３」、「５」、「７」である演出図柄は、確変図柄と称される。特図ゲームにおける確定特別図柄として確変大当り図柄が停止表示される場合に、演出図柄の変動表示結果として、通常大当り組合せとなる確定演出図柄が停止表示されることがあるようにしてもよい。
【００６１】
確定演出図柄が通常大当り組合せであるか確変大当り組合せであるかにかかわらず、特図ゲームにおける確定特別図柄として確変大当り図柄が停止表示される変動表示態様は、変動表示結果が「大当り」となる場合における「確変」の変動表示態様（「大当り種別」ともいう）と称される。なお、本実施例では、「確変」の大当り種別のうち、確定特別図柄として「５」、「７」の変動表示結果にて「大当り」となったことに基づいて、通常開放大当り状態に制御され、その終了後には、時短制御とともに確率変動制御（確変制御）が行われる。
【００６２】
これら確変制御が行われることにより、各回の特図ゲームにおいて変動表示結果（特図表示結果）が「大当り」となる確率は、通常状態に比べて高くなる。確変制御は、大当り遊技状態の終了後に変動表示結果が「大当り」となって再び大当り遊技状態に制御されるという条件が成立したときに、終了すればよい。なお、時短制御と同様に、大当り遊技状態の終了後に所定回数（例えば時短回数と同じ１００回や、時短回数とは異なる９０回）の特図ゲームが実行されたときに、確変制御を終了してもよい。また、大当り遊技状態の終了後に特図ゲームが開始されるごとに実行される確変転落抽選にて確変制御を終了させる「確変転落あり」の決定がなされたときに、確変制御を終了してもよい。
【００６３】
時短制御が行われるときには、普通図柄表示器２０による普図ゲームにおける普通図柄の変動時間（普図変動時間）を通常状態のときよりも短くする制御や、各回の普図ゲームで普通図柄の変動表示結果が「普図当り」となる確率を通常状態のときよりも向上させる制御、変動表示結果が「普図当り」となったことに基づく第２始動入賞口６Ｂにおける可動翼片の傾動制御を行う傾動制御時間を通常状態のときよりも長くする制御、その傾動回数を通常状態のときよりも増加させる制御といった、遊技球が第２始動入賞口６Ｂを通過（進入）しやすくして第２始動条件が成立する可能性を高めることで遊技者にとって有利となる制御（電チューサポート制御）が行われる。このように、時短制御に伴い第２始動入賞口６Ｂに遊技球が進入しやすくして遊技者にとって有利となる制御は、高開放制御ともいう。高開放制御としては、これらの制御のいずれか１つが行われるようにしてもよいし、複数の制御が組合せられて行われるようにしてもよい。
【００６４】
高開放制御が行われることにより、第２始動入賞口６Ｂは、高開放制御が行われていないときよりも拡大開放状態となる頻度が高められる。これにより、第２特別図柄表示器４Ｂにおける第２特図を用いた特図ゲームを実行するための第２始動条件が成立しやすくなり、特図ゲームが頻繁に実行可能となることで、次に変動表示結果が「大当り」となるまでの時間が短縮される。高開放制御が実行可能となる期間は、高開放制御期間ともいい、この期間は、時短制御が行われる期間と同一であればよい。
【００６５】
時短制御と高開放制御がともに行われる遊技状態は、時短状態あるいは高ベース状態ともいう。また、確変制御が行われる遊技状態は、確変状態あるいは高確状態ともいう。確変制御とともに時短制御や高開放制御が行われる遊技状態は、高確高ベース状態とも称される。なお、本実施例では制御される遊技状態としては設定されていないが、確変制御のみが行われて時短制御や高開放制御が行われない確変状態は、高確低ベース状態とも称される。また、確変制御とともに時短制御や高開放制御が行われる遊技状態のみを、特に「確変状態」ということもあり、高確低ベース状態とは区別するために、時短付確変状態ということもある。一方、確変制御のみが行われて時短制御や高開放制御が行われない確変状態（高確低ベース状態）は、高確高ベース状態と区別するために、時短なし確変状態ということもある。確変制御が行われずに時短制御や高開放制御が行われる時短状態は、低確高ベース状態とも称される。確変制御や時短制御及び高開放制御がいずれも行われない通常状態は、低確低ベース状態とも称される。通常状態以外の遊技状態において時短制御や確変制御の少なくともいずれかが行われるときには、特図ゲームが頻繁に実行可能となることや、各回の特図ゲームにおける変動表示結果が「大当り」となる確率が高められることにより、遊技者にとって有利な状態となる。大当り遊技状態とは異なる遊技者にとって有利な遊技状態は、特別遊技状態とも称される。
【００６６】
なお、小当り図柄を停止表示する場合にあっては、前述した小当り遊技状態に制御した後には、遊技状態の変更が行われず、変動表示結果が「小当り」となる以前の遊技状態に継続して制御すればよい。
【００６７】
（遊技機の制御構成）
パチンコ遊技機１には、例えば図２および図４８のブロック図に示されるような主制御基板１１、演出制御基板１２、音声制御基板１３、ＬＥＤ制御基板１４といった、各種の制御基板が搭載されている。また、パチンコ遊技機１には、主制御基板１１と演出制御基板１２との間で伝送される各種の制御信号を中継するための中継基板１５なども搭載されている。その他にも、パチンコ遊技機１における遊技盤２などの背面には、例えば払出制御基板９１、発射制御基板、インタフェース基板、ターミナル基板、などといった、各種の基板が配置されている。
【００６８】
主制御基板１１は、メイン側の制御基板であり、パチンコ遊技機１における遊技の進行を制御するための各種回路が搭載されている。主制御基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主制御基板１１は、第１特別図柄表示器４Ａと第２特別図柄表示器４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。
【００６９】
主制御基板１１には、例えば遊技制御用マイクロコンピュータ１００や、遊技球検出用の各種スイッチからの検出信号を取り込んで遊技制御用マイクロコンピュータ１００に伝送するスイッチ回路１１０、遊技制御用マイクロコンピュータ１００からのソレノイド駆動信号をソレノイド８１、８２に伝送するソレノイド回路１１１などが搭載されている。
【００７０】
演出制御基板１２は、主制御基板１１とは独立したサブ側の制御基板であり、中継基板１５を介して主制御基板１１から伝送された制御信号を受信して、投影装置６００、演出画像表示装置５、各モータ、スピーカ８Ｌ、８Ｒ及び演出用ＬＥＤ９といった演出用の電気部品による演出動作を制御するための各種回路が搭載され、これら演出用の電気部品に所定の演出動作を実行させるための制御内容を決定する機能を備えている。
【００７１】
音声制御基板１３は、演出制御基板１２とは別個に設けられた音声出力制御用の制御基板であり、演出制御基板１２からの指令や制御データなどに基づき、スピーカ８Ｌ、８Ｒから音声を出力させるための音声信号処理を実行する処理回路などが搭載されている。ＬＥＤ制御基板１４は、演出制御基板１２とは別個に設けられたＬＥＤ出力制御用の制御基板であり、演出制御基板１２からの指令や制御データなどに基づき、演出用ＬＥＤ９などにおける点灯／消灯駆動を行うＬＥＤドライバ回路などが搭載されている。
【００７２】
図２および図４８のブロック図に示されるように、主制御基板１１には、ゲートスイッチ２１、第１始動口スイッチ２Ａ、第２始動口スイッチ２Ｂ、カウントスイッチ２３からの検出信号を伝送する配線が接続されている。なお、ゲートスイッチ２１、第１始動口スイッチ２Ａ、第２始動口スイッチ２Ｂ、カウントスイッチ２３は、例えばセンサと称されるものなどのように、遊技媒体としての遊技球を検出できる任意の構成を有するものであればよい。
【００７３】
また、主制御基板１１には、第１特別図柄表示器４Ａ、第２特別図柄表示器４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００７４】
主制御基板１１から演出制御基板１２に向けて伝送される制御信号は、中継基板１５によって中継される。中継基板１５を介して主制御基板１１から演出制御基板１２に対して伝送される制御コマンドは、例えば、電気信号として送受信される演出制御コマンドである。演出制御コマンドには、例えば、演出図柄の変動時間及びリーチ演出の種類や擬似連の有無等の変動態様を示す変動パターンを示す変動パターン指定コマンドや、投影装置６００における投影動作や演出画像表示装置５における画像表示動作を制御するために用いられる表示制御コマンド、スピーカ８Ｌ、８Ｒからの音声出力を制御するために用いられる音声制御コマンド、演出用ＬＥＤ９の点灯動作などを制御するために用いられるＬＥＤ制御コマンドが含まれている。
【００７５】
主制御基板１１に搭載された遊技制御用マイクロコンピュータ１００は、例えば１チップのマイクロコンピュータであり、遊技制御用のプログラムや固定データ等を記憶するＲＯＭ１０１と、遊技制御用のワークエリアを提供するＲＡＭ１０２と、遊技制御用のプログラムを実行して制御動作を行うＣＰＵ１０３と、ＣＰＵ１０３とは独立して乱数値を示す数値データの更新を行う乱数回路１０４と、Ｉ／Ｏ１０５と、を備えて構成される。
【００７６】
一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。
【００７７】
図２および図４８のブロック図に示されるように、演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、可動演出画像表示装置６０（又は可動立体演出表示装置６０）の駆動制御内容や演出画像表示装置５における表示動作の制御内容を決定するための処理や投影装置６００における投影動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【００７８】
一例として、演出制御基板１２では、演出制御用ＣＰＵ１２０がＲＯＭ１２１から読み出した演出制御用のプログラムを実行することにより、演出用の電気部品による演出動作を制御するための処理が実行される。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作なども行われる。
【００７９】
本実施例の表示制御部１２３は、主制御基板１１からの前述した表示制御コマンドの受信に基づいて演出制御用ＣＰＵ１２０から出力される指示に応じて、ＲＯＭ１２１に記憶されているキャラクタ画像データ等の各種画像データを読み出して、投影装置６００により投影される画像や演出画像表示装置５に表示される画像を生成して投影装置６００や演出表示装置５に出力する。
【００８０】
なお、本発明の第１発明に係る可動演出画像表示装置６０（図７等参照）には、折り戸状の折り戸スクリーン部材３０２Ｌ、３０３Ｌ、３０２Ｒ、３０３Ｒ（以下、折り戸スクリーン部材３０２Ｌ、３０３Ｌ、３０２Ｒ、３０３Ｒの総称として、単に「折り戸スクリーン部材３０２」と略記する場合がある）、引き戸状の引き戸スクリーン部材４０２Ｌ、４０２Ｒ（以下、引き戸スクリーン部材４０２Ｌ、４０２Ｒの総称として、単に「引き戸スクリーン部材４０２」と略記する場合がある）、前後に出没する中央演出部材５０２が設けられているため、これら各部材のそれぞれの形状に合わせて予め作成された画像データがＲＯＭ１２１に記憶されており、これら各部材の形状に合わせた画像が表示制御部１２３において生成され（読み出され）て投影装置６００に出力されることにより、各部材の形状や各部材の可動態様に合わせた画像が投影装置６００により投影される。なお、本実施例では、ＲＯＭ１２１に記憶された画像として、各部材の形状において、投影対象となる各部位に対応付けられた画像、つまりプロジェクションマッピング技術により作成された画像を用いている。
【００８１】
また、本発明の第２発明に係る可動立体演出表示装置６０（図５２等参照）には、遊技機の前後方向に移動可能な弾性可動スクリーン部材３２０と、当該弾性可動スクリーン部材３２０の後方中央付近に進退可能に構成された角形可動部材４２０および円形可動部材５２０とが設けられており、これら各部材の動作態様に応じて予め作成された画像データがＲＯＭ１２１に記憶されている。そして、これら各部材の動作態様に応じた画像が、表示制御部１２３において生成され（読み出され）て投影装置６００に出力されることにより、各部材の動作態様に応じた画像が投影装置６００により弾性可動スクリーン部材３２０に対して投影されている。なお、本実施例では、ＲＯＭ１２１に記憶された画像として、投影対象となる弾性可動スクリーン部材３２０に対応付けられた画像、つまりプロジェクションマッピング技術により作成された画像を用いている。
【００８２】
なお、本発明の第１発明に係る実施例では、上記折り戸スクリーン部材３０２、引き戸スクリーン部材４０２、中央演出部材５０２のそれぞれの形状や可動態様に合わせて予めマッピングして画像を作成しておき、その画像データをＲＯＭ１２１に記憶しておいて、表示制御部１２３がＲＯＭ１２１に記憶された画像データを読み出して、投影装置６００に出力するようにしているが、これに限定されるものではなく、上記折り戸スクリーン部材３０２、引き戸スクリーン部材４０２、中央演出部材５０２のそれぞれの形状や可動態様に対応したマッピング済みの画像を予め作成しておくものでなくてもよい。例えば、上記折り戸スクリーン部材３０２、引き戸スクリーン部材４０２、中央演出部材５０２の形状や可動態様に対応していない画像データと、上記折り戸スクリーン部材３０２、引き戸スクリーン部材４０２、中央演出部材５０２の形状や可動態様に合致させて画像をマッピングするための領域（座標）が記述されたマッピング用データをＲＯＭ１２１に記憶しておき、表示制御部１２３がＲＯＭ１２１に記憶された画像データとスクリーンに応じたマッピング用データとを読み出すとともに、その読み出した画像データを上記折り戸スクリーン部材３０２、引き戸スクリーン部材４０２、中央演出部材５０２の形状や可動態様に対応するようにリアルタイムにてマッピングして、該マッピングした画像を上記折り戸スクリーン部材３０２、引き戸スクリーン部材４０２、中央演出部材５０２に投影装置６００を用いて投影するようにしてもよい。
【００８３】
また、本発明の第２発明に係る実施例では、上記弾性可動スクリーン部材３２０、上記角形可動部材４２０および円形可動部材５２０の可動態様に合わせて予めマッピングして画像を作成しておき、その画像データをＲＯＭ１２１に記憶しておいて、表示制御部１２３がＲＯＭ１２１に記憶された画像データを読み出して、投影装置６００に出力するようにしているが、これに限定されるものではなく、上記弾性可動スクリーン部材３２０、上記角形可動部材４２０および円形可動部材５２０の可動態様に対応したマッピング済みの画像を予め作成しておくものでなくてもよい。例えば、上記弾性可動スクリーン部材３２０と、角形可動部材４２０および円形可動部材５２０との位置関係に対応していない画像データと、上記弾性可動スクリーン部材３２０と、角形可動部材４２０および円形可動部材５２０との位置関係に合致させて画像をマッピングするための領域（座標）が記述されたマッピング用データとを、ＲＯＭ１２１に記憶しておき、表示制御部１２３がＲＯＭ１２１に記憶された上記画像データと、上記弾性可動スクリーン部材３２０と、角形可動部材４２０および円形可動部材５２０との位置関係に応じたマッピング用データとを読み出すとともに、その読み出した画像データを上記弾性可動スクリーン部材３２０、角形可動部材４２０および円形可動部材５２０の可動態様に対応するようにリアルタイムにてマッピングし、当該マッピングした画像を上記弾性可動スクリーン部材３２０に投影装置６００を用いて投影するようにしてもよい。
【００８４】
（遊技機の全体構造）
次に、各図に基づいて、パチンコ遊技機１の全体構造について説明する。図３の遊技機の背面図に示されるように、パチンコ遊技機１の背面側、つまり、遊技機枠３の背面上部には、遊技場に設置される遊技島（図示略）から供給される遊技球を受ける球タンク１５０が設けられている。球タンク１５０に供給された遊技球は、補給通路１５１を流下して左側の払出装置１５２に供給される。払出装置１５２から払い出された遊技球は、賞球通路１５３を流下してパチンコ遊技機１の前面に設けられた打球供給皿（図示略）に誘導される。また、遊技機枠３の背面における補給通路１５１の上方には、各種情報をパチンコ遊技機１の外部に出力するための各端子を備えたターミナル基板が設置されている。
【００８５】
図３の遊技機の背面図および図４および図４９の遊技機の断面図に示されるように、外枠２００は、四角枠状に形成されており、該外枠２００の下部には、幕板が設けられている。外枠２００には、遊技機枠３が左側辺を中心として外枠２００を閉鎖する閉鎖位置と外枠２００を開放する開放位置との間で回動可能に支持されており、遊技機枠３が閉鎖位置にあるときに、遊技機枠３と幕板とにより開口が閉鎖されるようになっている。
【００８６】
図４および図４９の遊技機の断面図に示されるように、遊技機枠３には、遊技機枠３とほぼ同形に形成された枠体と、第１透明板５０ａ及び第２透明板５０ｂとを有する開閉扉枠５０が左側辺を中心として回動可能に設けられ、遊技領域１０を含む遊技機枠３の前面を開閉できるようになっている。開閉扉枠５０を閉鎖したときには、第１透明板５０ａ及び第２透明板５０ｂを透して遊技領域１０を透視できるようになっている。また、開閉扉枠５０は、遊技機枠３の前面全域を被覆可能な大きさに形成されている。
【００８７】
また、遊技機枠３には、正面視四角形状の開口部（図示略）が形成されており、当該開口部（図示略）を閉鎖するように遊技盤２が前方から着脱可能に取付けられる。また、遊技盤２の背面には、演出画像表示装置５、可動演出画像表示装置６０（又は可動立体演出表示装置６０）等が組付けられている。
【００８８】
図３の遊技機の背面図に示されるように、パチンコ遊技機１の背面下方には主制御基板１１が収納された主制御基板ケース１１Ａが設けられている。また、併せて、遊技球の払い出しに関わる制御を行う払出制御基板９１が収納された払出制御基板ケース９１Ａと、パチンコ遊技機１に電力を供給するための電源基板（図示略）が収納された電源基板ケース（図示略）と、が前後に重畳するように設けられている。
【００８９】
図４および図４９の遊技機の断面図に示されるように、開閉扉枠５０の前面には、第２透明板５０ｂの上方の上突出部２１０Ａと、第２透明板５０ｂの左右の側方突出部２１０Ｂと、第２透明板５０ｂの下方の上皿９０および下皿９２と、からなるカバー部材が、それぞれ第２透明板５０ｂに対し前方に突出するように設けられている。遊技場等においてパチンコ遊技機１は左右方向に複数並設されているため、第２透明板５０ｂの左右側に側方突出部２１０Ｂが突設されていることで、隣接する他のパチンコ遊技機から入射する光を遮ることができるため、パチンコ遊技機１における遊技領域１０、演出画像表示装置５や可動演出画像表示装置６０（又は可動立体演出表示装置６０）の視認性が低下することが防止される。
【００９０】
図１の遊技機の正面図、図４および図４９の遊技機の断面図に示されるように、上突出部２１０Ａは、開閉扉枠５０の上辺に沿って庇状に形成され、左右方向の中央位置には投影装置６００を収容可能な収容部２１１が設けられている。また、収容部２１１の左右にはスピーカ８Ｌ、８Ｒが収容されている。なお、上突出部２１０Ａにおける収容部２１１に対応する部分は、その左右側よりもやや前方に突出している。側方突出部２１０Ｂは、開閉扉枠５０の左側辺及び右側辺それぞれに沿って上下方向に延設され、正面視細長帯状に形成されている。開閉扉枠５０の下方には、上皿９０および下皿９２、プッシュボタン３１及び打球操作ハンドル５２等が設けられている。なお、上突出部２１０Ａにおける収容部２１１に対応する部分は、側方突出部２１０Ｂよりも前方に大きく突出している。
【００９１】
上記したように、側方突出部２１０Ｂにスピーカ８Ｌ、８Ｒを配置することで、遊技者とスピーカ８Ｌ、８Ｒの距離を短縮することができるため、他のパチンコ遊技機１から出力される音の影響を受けにくくなり、効果音の効果を高めることができる。
【００９２】
第１透明板５０ａ及び第２透明板５０ｂは、枠体の開口を閉鎖するように設けられている。本実施例では、第１透明板５０ａは透明なガラス板にて構成され、第２透明板５０ｂは、前方側からの光（例えば、遊技場の室内光や他のパチンコ遊技機からの光など）の入射を防ぐために、半透明のアクリル樹脂板（いわゆるスモークアクリル板）にて構成されており、第１透明板５０ａ及び第２透明板５０ｂは、前方、つまり、遊技者側から見て第２透明板５０ｂ、第１透明板５０ａの順に配置されている。
【００９３】
また、第１透明板５０ａは第２透明板５０ｂよりも薄い板厚寸法を有する平板（ガラス板）にて形成されている。
【００９４】
このように、本実施例では、第２透明板５０ｂが存在することにより、第１透明板５０ａは、遊技者によって殴打されること等が無いとともに、投影装置６００から投影される画像の光（投影光）は、第１透明板５０ａを透過しなければならないため、できるだけ第１透明板５０ａによる屈折や光の吸収等を抑えることが好ましいので、第１透明板５０ａの板厚を、遊技球の衝突等によって破損しない強度を有する最小限の厚みとなるようにしている。
【００９５】
また、第２透明板５０ｂとしてアクリル樹脂板を用いることにより、第２透明板５０ｂが破損しても破片が飛散してしまうことを防ぐことができるようにしているが、本発明はこれに限定されるものではなく、第２透明板５０ｂとしてスモークフィルムを貼着したガラス板等を用いてもよい。また、逆に、第１透明板５０ａと第２透明板５０ｂの双方をアクリル樹脂板としてもよい。
【００９６】
なお、本実施例の第１透明板５０ａ（ガラス板）の表面には、光の反射を抑えるために、蒸着によって銀の薄膜が形成されている。
【００９７】
このように、第１透明板５０ａにのみ銀の薄膜を表面に形成しているのは、本実施例では、投影装置６００から投影される画像の光（投影光）は、第２透明板５０ｂは透過しないが、第１透明板５０ａを透過しなければならないとともに、第１透明板５０ａに対して斜め上方から投影光が入射されるので、投影光が第１透明板５０ａにて反射され易いことから、これら投影光が第１透明板５０ａにて反射されることを、銀の薄膜を表面に形成することによって防ぐようにしている。
【００９８】
なお、本実施例では、反射防止膜として銀薄膜を用いた形態を例示したが、本発明はこれに限定されるものではなく、これら銀薄膜以外の反射防止膜を使用してもよい。
【００９９】
また、本実施例では、第１透明板５０ａと第２透明板５０ｂとに平板を用いた形態を例示しているが、本発明はこれに限定されるものではなく、湾曲する湾曲板や、屈曲板等にて構成されていてもよい。
【０１００】
また、本実施例では、上記したように、第１透明板５０ａを透明なガラス板にて構成し、第２透明板５０ｂを半透明のアクリル樹脂板にて構成した形態を例示したが、第１透明板５０ａと第２透明板５０ｂの少なくとも一方を、ガラス板またはアクリル樹脂板以外の透明素材、例えば、ポリカーボネート樹脂等にて構成されていてもよい。このように、第１透明板５０ａと第２透明板５０ｂとは、異なる素材にて構成されていてもよいし、同一の素材にて構成されていてもよい。
【０１０１】
また、本実施例では、第２透明板５０ｂを半透明のアクリル樹脂板にて構成することで、パチンコ遊技機１の前方側からの光の入射を防ぐ形態を例示したが、第２透明板５０ｂを構成するガラス板や透明樹脂板に遮光フィルムを貼着すること等により、少なくとも外部から入射する光の強度を低下させるための遮光層を設けることで、周囲の照明の光によって、可動演出画像表示装置６０（又は可動立体演出表示装置６０）に投影された画像が視認しづらくなってしまうことを、より一層防ぐことができる。
【０１０２】
第１透明板５０ａは、略鉛直方向に沿って立設されており、開閉扉枠５０が閉鎖位置にあるときに、遊技盤２の盤面板に対し前方に離れた位置において略平行をなし、該盤面板との間に遊技球が流下可能な遊技領域１０が形成されるようになっている。
【０１０３】
第２透明板５０ｂは、第１透明板５０ａに対し前方に離れた位置において傾斜するように設けられる。つまり、第２透明板５０ｂは、下方から上方にかけて漸次、第１透明板５０ａとの距離が増大するように傾斜して設けられている。
【０１０４】
また、第１透明板５０ａと第２透明板５０ｂとの間に形成される空間の側周面は閉鎖枠２１２により覆われており（図４および図４９参照）、第１透明板５０ａと第２透明板５０ｂとの間に手指を挿入できないようになっている。また、閉鎖枠２１２における収容部２１１に対応する部分（上部）には投影口２１３が形成されており、該投影口２１３に投影部６０１（レンズ）が臨むように投影装置６００が設けられている。つまり、本実施例における投影部６０１は、第１透明板５０ａと第２透明板５０ｂとの間に設けられている（図４および図４９参照）。
【０１０５】
投影装置６００は、投影部６０１を後斜め下向きにした状態で収容部２１１内に設置される。また、投影部６０１には、該投影部６０１からの投影光の拡散を防止する（投影範囲を決定する）ための拡散防止筒６０２が投影部６０１を囲むように設けられている。
【０１０６】
このように投影装置６００は、第１透明板５０ａと第２透明板５０ｂと閉鎖枠２１２とにより囲まれた空間と収容部２１１とを連通する投影口２１３に投影部６０１及び拡散防止筒６０２が臨むように収容部２１１に設けられることで、収容部２１１の後方に配設される可動演出画像表示装置６０（又は可動立体演出表示装置６０）に第１透明板５０ａを通して画像を投影可能となっている。詳しくは、投影部６０１から投影された投影光は、第１透明板５０ａの前方から該第１透明板５０ａを斜めに透過し、遊技盤２の開口２ｄを通過して可動演出画像表示装置６０（又は可動立体演出表示装置６０）に到達するようになっている。つまり、投影装置６００は、投影部６０１から投影される光が第２透明板５０ｂを通過せずに第１透明板５０ａを通過する位置に設けられている。
【０１０７】
また、投影部６０１及び拡散防止筒６０２は、第１透明板５０ａと第２透明板５０ｂと閉鎖枠２１２とにより囲まれた空間内に投影口２１３を介して臨むように設けられていることで、投影部６０１及び拡散防止筒６０２の前方が第２透明板５０ｂにより被覆されるため、第１透明板５０ａと第２透明板５０ｂと閉鎖枠２１２とにより囲まれた空間内に手指や異物を進入させることができないので、投影部６０１から投影された投影光が手指で遮られたり、投影部６０１（レンズなど）や第１透明板５０ａに触られて指紋がついたりすること等を回避できる。
【０１０８】
また、開閉扉枠５０の背面下部には、演出制御基板１２が収納された演出制御基板ケース１２Ａが取付けられている（図示略）。演出制御基板１２には、配線の一端が接続され、遊技機枠３の下部に形成された挿通口を介して遊技機枠３の背面側に延設され、該配線の他端は、主制御基板１１や各種基板及び演出用電子部品にそれぞれ接続されている。なお、演出制御基板ケース１２Ａは、開閉扉枠５０に着脱可能に設けられている。なお、本実施例では、演出制御基板１２を開閉扉枠５０の背面下部に設けた形態を例示したが、本発明はこれに限定されるものではなく、カバー体の背面以外であれば、その他の部分に演出制御基板１２を配置するようにしてもよい。
【０１０９】
［第１発明］
以下に、本発明の第１発明に係る好適な実施形態について、図２、図４〜図４７に基づいて説明する。
【０１１０】
（可動演出画像表示装置の構造）
図１４および図１５の分解斜視図に示されているように、可動演出画像表示装置６０は、底板６１と、側板６２と、背面板６３と、折り戸スクリーン部材駆動機構３００とがそれぞれ組み付けられることにより、前方が開放される箱状に形成され、図９に示されるように、その内部には、投影装置６００から照射される投影画像が投影される、折り戸スクリーン部材３０２、引き戸スクリーン部材４０２および中央演出部材５０２が収容され、それぞれ移動可能に構成されている。
【０１１１】
また、上記各部材の駆動機構として、可動演出画像表示装置６０の上部には、スクリーン駆動機構７０が備えられ、当該スクリーン駆動機構７０には、折り戸スクリーン部材を駆動する折り戸スクリーン部材駆動機構３００と、引き戸スクリーン部材を駆動する引き戸スクリーン部材駆動機構４００とが設けられている。さらに、可動演出画像表示装置６０の背面には、中央演出部材５０２を駆動する中央演出部材駆動機構５００（図１０等参照）が設けられている。
【０１１２】
投影装置６００によって画像が投影される被投影部として、可動演出画像表示装置６０は、折り戸スクリーン部材３０２と、引き戸スクリーン部材４０２と、中央演出部材５０２とが、選択的に移動配置され、それぞれの部材の動きや、各部材の前後方向の配置の違いに応じて、臨場感のある演出画像を上記各部材の投影面に投影することが可能となっている。
【０１１３】
本実施例では、可動演出画像表示装置６０における演出画像の投影状態として、可動演出画像表示装置６０内の折り戸スクリーン部材３０２、引き戸スクリーン部材４０２および中央演出部材５０２の可動態様に応じて、以下のような３つの投影状態が設定されている。まず、第１投影状態は、図３２に示されるように、左右の引き戸スクリーン部材４０２が、可動演出画像表示装置６０の中央位置で接合され、引き戸スクリーン部材４０２の前面と、その両側に固定配置されている固定スクリーン部材４０３Ｌ、４０３Ｒの前面とで投影面を形成している状態である。第２投影状態は、図９および図３５に示されるように、左右の引き戸スクリーン部材４０２の間に中央演出部材５０２を挟み込み、引き戸スクリーン部材４０２の前面と、中央演出部材５０２の表面とで投影面を形成している状態である。第３投影状態は、図１３に示されるように、左側折り戸スクリーン部材３０２Ｌ、３０３Ｌおよび右側折り戸スクリーン部材３０２Ｒ、３０３Ｒをそれぞれ可動演出画像表示装置６０の中央位置まで展開して接合し、左右の折り戸スクリーン部材３０２の前面で一つの投影面を形成している状態である。
【０１１４】
なお、本実施例では、図５に示されるように、上記第１投影状態および上記第２投影状態であるとき、可動演出画像表示装置６０の左右端部付近において、折り戸スクリーン部材３０２の接続部分が少なくとも前方から見えないように、非透過性の飾り枠２ｂが接続部分の前方側を覆うように設けられている。このように構成されることで、折り戸スクリーン部材３０２の接続部が遊技者から視認され、美観を損ねることを防いでいる。また、上記第１投影状態および上記第２投影状態において、折り戸スクリーン部材３０２が折り畳まれている状態であっても、図５に示されるように、折り戸スクリーン部材３０２のうち、折り戸スクリーン部材３０２Ｌ、３０２Ｒの一部が視認されるように構成されており、当該折り戸スクリーン部材３０２Ｌ、３０２Ｒの一部に投影画像を投影するようにしてもよい。これにより、奥行き方向に立体感のある演出が可能となる。
【０１１５】
また、投影される状態としては、上記３つの各投影状態（第１投影状態、第２投影状態、第３投影状態）に限られるものではなく、本実施例では、移動中の上記各部材の投影面に、その移動態様に合せて投影画像が投影されるように構成されているため、より立体感と臨場感のある演出が可能となっている。
【０１１６】
なお、本実施例では、左右の引き戸スクリーン部材４０２が可動演出画像表示装置６０の中央に進出して投影面を形成する上記第１投影状態（図３２参照）を、可動演出画像表示装置６０の駆動初期状態としており、通常の遊技状態においては、第１投影状態に制御されている。そして第１投影状態では、主に引き戸スクリーン部材の投影面において、演出図柄の変動表示態様が投影されたり、演出画像表示装置５において表示されている演出図柄の変動表示に対応した演出画像が投影される。
【０１１７】
また、例えば、主制御基板内で実行された抽選結果に応じ、演出制御用ＣＰＵ１２０が予告演出やスーパーリーチ演出等の演出の実行および演出パターン等を決定した場合は、決定した演出パターンに応じて、上記各投影状態（第１投影状態、第２投影状態、第３投影状態）が変更されて投影画像による演出が実行されることがある。
【０１１８】
投影装置６００は、図４に示されるように、後斜め下方に投影部６０１が向けられるように、上突出部２１０Ａ内に形成された収容部２１１に設けられるとともに、投影部６０１から照射された投影光が投影装置６００の後斜め下方に配設された可動演出画像表示装置６０に到達するように設けられている。具体的には、投影部６０１から照射された投影光の投影範囲は、図４において破線で示されているように、少なくとも、図８および図９に示される折り戸スクリーン部材３０２の上端部から底板６１までの範囲とされている。
【０１１９】
また、図６および図７に示される可動演出画像表示装置６０の周囲を覆うように配設された飾り枠２ｂは、表面が光を反射し難い色に着色されており、投影光が飾り枠２ｂにて遊技者側へ反射したり、第１透明板５０ａや第２透明板５０ｂに映り込むこと等により、可動演出画像表示装置６０内の投影画像の視認性が低下してしまうことを防ぐようになっている。
【０１２０】
また、飾り枠２ｂは、図６に示されるように、遊技盤２の遊技盤面から前方に突出するように構成されており、遊技領域１０を流下する遊技球が可動演出画像表示装置６０へ進入しないようになっている。したがって、投影部６０１から投影される投影光が遊技球により遮られることを防止している。なお、本実施例では、可動演出画像表示装置６０の前方斜め上方位置から画像が投影されるため、突出壁部５１ａが投影部６０１から投影される投影光を遮らないように設けられていることが好ましい。
【０１２１】
以下では、可動演出画像表示装置６０内で可動する各部材（折り戸スクリーン部材３０２、引き戸スクリーン部材４０２、中央演出部材５０２）の構成について、図面に基づいて説明する。
【０１２２】
（折り戸スクリーン部材）
折り戸スクリーン部材３０２は、図９等に示されているように、可動演出画像表示装置６０内で可動する各部材（折り戸スクリーン部材３０２、引き戸スクリーン部材４０２、中央演出部材５０２）の中で最も前面側に配置され、可動演出画像表示装置６０の左側端部付近に折り畳まれて収容される左側折り戸スクリーン部材３０２Ｌ、３０３Ｌと、可動演出画像表示装置６０の右側端部付近に折り畳まれて収容される右側折り戸スクリーン部材３０２Ｒ、３０３Ｒとから構成されており、左側折り戸スクリーン部材３０２Ｌ、３０３Ｌおよび右側折り戸スクリーン部材３０２Ｒ、３０３Ｒがそれぞれ収容状態にあるときは、図５に示されるように、左側折り戸スクリーン部材３０２Ｌの一部および右側折り戸スクリーン部材３０２Ｒの一部が、遊技機正面側から視認されるようになっている。また、左側折り戸スクリーン部材３０２Ｌ、３０３Ｌおよび右側折り戸スクリーン部材３０２Ｒ、３０３Ｒが可動演出画像表示装置６０の左右端部付近に折り畳まれて収容されている状態から、可動演出画像表示装置６０の中央に展開される際は、図１３に示されているように、左右方向から折り戸スクリーン部材３０２が展開されて、可動演出画像表示装置６０の中央で左側折り戸スクリーン部材２０２Ｌと右側折り戸スクリーン部材２０２Ｒとが接合し、折り戸スクリーン部材３０２全体で一つの投影面が形成されるように構成されている。
【０１２３】
また、図２５〜図２７には、可動演出画像表示装置６０内の折り戸スクリーン部材３０２を抜き出して図示されているが、当該図面に示されているように、左側折り戸スクリーン部材３０２Ｌと左側折り戸スクリーン部材３０３Ｌとは、上部接続部３１００Ｌおよび下部接合部３２００Ｌにおいて互いに回動可能に接続されており、同様に、右側折り戸スクリーン部材３０２Ｒと３０３Ｒとは、上部接続部３１００Ｒおよび下部接合部３２００Ｒにおいて互いに回動可能に接続されている。
【０１２４】
より具体的に説明すると、左側折り戸スクリーン部材３０２Ｌ、３０３Ｌは、左側折り戸スクリーン部材３０３Ｌに設けられた上部ヒンジピン部材３０５３Ｌおよび下部ヒンジピン部材３０７１Ｌが、隣接する左側折り戸スクリーン部材３０２Ｌに設けられた上部ヒンジ部材３０５４Ｌおよび下部ヒンジ部材３０７２Ｌに、それぞれ回動自在に接続されることによって、折り畳み又は展開可能に構成されている。同様に、右側折り戸スクリーン部材３０２Ｒ、３０３Ｒは、右側折り戸スクリーン部材３０３Ｒに設けられた上部ヒンジピン部材３０５３Ｒおよび下部ヒンジピン部材３０７１Ｒが、隣接する右側折り戸スクリーン部材３０２Ｒに設けられた上部ヒンジ部材３０５４Ｒおよび下部ヒンジ部材３０７２Ｒにそれぞれ回動自在に接続されることによって、折り畳み又は展開可能に構成されている。
【０１２５】
なお、本実施例では、折り戸スクリーン部材３０２を左側折り戸スクリーン部材３０２Ｌ、３０３Ｌと右側折り戸スクリーン部材３０２Ｒ、３０３Ｒとに分け、左側折り戸スクリーン部材２０２Ｌと右側折り戸スクリーン部材２０２Ｒとが、可動演出画像表示装置６０の中央で接合して一つの投影面が形成されるように構成されているが、折り戸スクリーン部材３０２を構成する全ての部材を互いに接続し、一つの部材構成として可動演出画像表示装置６０の左右いずれか一方の端部付近に、折り畳まれるようにしてもよい。また、本実施例では、左側折り戸スクリーン部材３０２Ｌ、３０３Ｌおよび右側折り戸スクリーン部材３０２Ｒ、３０３Ｒは、いずれも、二つの板状のスクリーン部材が回動自在に接続されて構成されているが、３つ以上の複数の板状のスクリーン部材が回動自在に接続されるようにしてもよい。
【０１２６】
続いて、折り戸スクリーン部材３０２の駆動機構３００について以下に説明する。折り戸スクリーン部材３０２は、図２５および図２６の斜視図に示されるように、折り戸スクリーン部材３０２を構成する各スクリーン部材３０２Ｌ、３０３Ｌ、３０２Ｒ、３０３Ｒのそれぞれに設けられた、上部ヒンジピン部材３０６３Ｌ、３０５３Ｌ、３０４３Ｌ、３０６３Ｒ、３０５３Ｒ、３０４３Ｒを介して上方から吊り下げられている。また、各上部ヒンジピン部材３０６３Ｌ、３０５３Ｌ、３０４３Ｌ、３０６３Ｒ、３０５３Ｒ、３０４３Ｒの頭部には、ビス３０４１Ｌ、３０５１Ｌ、３０６１Ｌ、３０４１Ｒ、３０５１Ｒ、３０６１Ｒとワッシャ（図示略）により、摺動ブッシュ３０６２Ｌ、３０５２Ｌ、３０４２Ｌ、３０６２Ｒ、３０５２Ｒ、３０４２Ｒがそれぞれ取り付けられることにより、後述する摺動案内溝に受け入れられる摺動受け部３０４Ｌ、３０５Ｌ、３０６Ｌ、３０４Ｒ、３０５Ｒ、３０６Ｒが形成されている。そして、上記摺動受け部３０４Ｌ、３０５Ｌ、３０６Ｌ、３０４Ｒ、３０５Ｒ、３０６Ｒが後述する摺動案内溝の中で摺動し、所定の位置に案内されることで、折り戸スクリーン部材３０２が折り畳み又は展開されるように構成されている。
【０１２７】
図１７、図１８、図２０〜図２２には、折り戸スクリーン部材３０２の駆動機構３００の平面図、側面図および分解図が示されているが、これら図面に示されているように、折り戸スクリーン部材３０２の駆動機構３００には、左側折り戸スクリーン部材３０２Ｌ、３０３Ｌを折り畳み又は展開するための駆動力を提供する折り戸用モータ３０１Ａと、右側折り戸スクリーン部材３０２Ｒ、３０３Ｒを折り畳み又は展開するための駆動力を提供する折り戸用モータ３０１Ｂとが駆動部案内ベース部材３１０上に設けられている。折り戸用モータ３０１Ａ、３０１Ｂは、その下方にそれぞれピニオンギヤ３１２Ａ、３１２Ｂを有しており（図１８、図２１等参照）、駆動部案内ベース部材３１０上に形成されたラック３１５Ｌ、３１５Ｒにそれぞれ噛み合わされ（図１７、図２２等参照）、折り戸用モータ３０１Ａ、３０１Ｂが左右に移動できるように構成されている。さらに、図２０、図２１等に示されているように、左右の折り戸用モータ３０１Ａ、３０１Ｂは、それぞれ二つのモータ摺動ブッシュ３１６Ａ、３１６Ｂを備えており、当該モータ摺動ブッシュ３１６Ａ、３１６Ｂが駆動部案内ベース部材３１０上に形成された駆動モータ案内溝３１４Ｌ、３１４Ｒの中で摺動し、左右の折り戸用モータ３０１Ａ、３０１Ｂがそれぞれ左右に案内されるように構成されている。
【０１２８】
また、折り戸用モータ３０１Ａ、３０１Ｂは、駆動部案内ベース部材３１０の貫通溝３１７Ｌ、３１７Ｒを貫通し、折り戸スクリーン部材３０３Ｌ、３０３Ｒに設けられた前述の摺動受け部３０５Ｌ、３０５Ｒと接続される誘導アーム３１８Ａ、３１８Ｂを備えている（図２０、図２１等参照）。すなわち、折り戸用モータ３０１Ａ、３０１Ｂが左右に移動するのに合わせて、誘導アーム３１８Ａ、３１８Ｂに接続された摺動受け部３０５Ｌ、３０５Ｒが左右に移動することによって、折り戸スクリーン部材３０２が折り畳み又は展開されるように構成されている。
【０１２９】
さらに、折り戸スクリーン部材３０２の駆動機構３００は、図２０の駆動機構３００の分解斜視図および図２１の駆動機構３００の分解側面図等に示されているように、駆動部案内ベース部材３１０の下部に、前述の摺動受け部３０４Ｌ、３０５Ｌ、３０６Ｌ、３０４Ｒ、３０５Ｒ、３０６Ｒを摺動させて、それぞれ所定の位置に案内する折り戸スクリーン案内ベース部材３２０が積層されている。
【０１３０】
そして、図２２の駆動機構３００の分解図および図２９の折り戸スクリーン案内ベース部材３２０の平面図等に示されているように、折り戸スクリーン案内ベース部材３２０は、折り戸スクリーン部材３０２Ｌ、３０２Ｒに設けられた前述の摺動受け部３０６Ｌ、３０６Ｒを、それぞれ所定の位置に案内するとともに円弧状で後方側に湾曲するように形成された第１案内溝３２３Ｌ、３２３Ｒと、折り戸スクリーン部材３０３Ｌ、３０３Ｒに設けられた前述の摺動受け部３０４Ｌ、３０４Ｒを、それぞれ所定の位置に案内するとともに円弧状で前方に湾曲するように形成された第２案内溝３２２Ｌ、３２２Ｒと、折り戸用モータ３０１Ａ、３０１Ｂの誘導アーム３１８Ａ、３１８Ｂに接続されている前述の摺動受け部３０５Ｌ、３０５Ｒを、それぞれ所定の位置に案内するとともに直線状に形成された第３案内溝（３２１Ｌ、３２１Ｒ）とを備えている。このような折り戸スクリーン案内ベース部材３２０の構成により、折り戸用モータ３０１Ａ、３０１Ｂが左右に移動するのに合わせて、折り戸スクリーン部材３０２が折り畳み又は展開されるように構成されている。
【０１３１】
なお、本実施例では、図２９の折り戸スクリーン案内ベース部材３２０の平面図等に示されるように、第１案内溝３２３Ｌ、３２３Ｒを後方に湾曲する円弧状とするとともに、第２案内溝３２２Ｌ、３２２Ｒを前方に湾曲する円弧状とし、当該第１案内溝３２３Ｌ、３２３Ｒと当該第２案内溝３２２Ｌ、３２２Ｒとを、可動演出画像表示装置６０の前後方向に一部並行させて、折り戸スクリーン案内ベース部材３２０上に形成されている。このような構成により、可動演出画像表示装置６０の前後方向における省スペース化を図ることを可能にしている。
【０１３２】
さらに本実施例では、前述したように、ピニオンギヤ３１２Ａ、３１２Ｂや駆動モータ案内溝３１４Ｌ、３１４Ｒが形成された駆動部案内ベース部材３１０と、第１案内溝３２３Ｌ、３２３Ｒ、第２案内溝３２２Ｌ、３２２Ｒおよび第３案内溝３２１Ｌ、３２１Ｒが形成された折り戸スクリーン案内ベース部材３２０とを積層することにより、折り戸スクリーン部材の駆動機構３００のみならず、遊技機全体の上下方向における収容スペースを大幅に節約することを可能にしている。
【０１３３】
また、本実施例では、図１７の駆動機構３００の平面図および図２２の駆動機構３００の分解図等に示されるように、駆動部案内ベース部材３１０に形成された駆動モータ案内溝３１４Ｌ、３１４Ｒと、駆動部案内ベース部材３１０の下層の折り戸スクリーン案内ベース部材３２０に形成された第１案内溝３２３Ｌ、３２３Ｒおよび第２案内溝３２２Ｌ、３２２Ｒとが、上下方向に一部で重なるように構成されている。例えば、図１７に示された態様では、駆動部案内ベース部材３１０に形成された駆動モータ案内溝３１４Ｌ、３１４Ｒの開口を通じて、下層の折り戸スクリーン案内ベース部材３２０に形成された第１案内溝３２３Ｌ、３２３Ｒを摺動する摺動受け部３０６Ｌ、３０６Ｒに対して直接アクセスすることが可能となっている。このように構成されていることにより、例えば、折り戸スクリーン部材３０２Ｌ、３０２Ｒの摺動受け部３０６Ｌ、３０６Ｒにおいて、摺動ブッシュ３０６２Ｌ、３０６２Ｒを固定するビス３０６１Ｌ、３０６１Ｒに緩みが生じて折り戸スクリーン部材３０２Ｌ、３０２Ｒにガタつきが生じたような場合は、駆動部案内ベース部材３１０と下層の折り戸スクリーン案内ベース部材３２０とを分解することなく、駆動部案内ベース部材３１０に形成された駆動モータ案内溝３１４Ｌ、３１４Ｒの開口を通じて、ビス３０６１Ｌ、３０６１Ｒを締付けることが可能となるほか、ビス３０６１Ｌ、３０６１Ｒを外して、折り戸スクリーン部材３０２Ｌ、３０２Ｒを交換することも可能となる。
【０１３４】
さらに、例えば図１７に示された状態から、折り戸用モータ３０１Ａ、３０１Ｂを折り戸スクリーン部材３０２の駆動機構３００の中心方向に移動させることにより、図示されてはいないが、駆動部案内ベース部材３１０に形成された駆動モータ案内溝３１４Ｌ、３１４Ｒの開口を通じて、下層の折り戸スクリーン案内ベース部材３２０に形成された第２案内溝３２２Ｌ、３２２Ｒを摺動する摺動受け部３０４Ｌ、３０４Ｒに対しても、直接アクセスすることが可能となり、駆動部案内ベース部材３１０と下層の折り戸スクリーン案内ベース部材３２０とを分解することなく、折り戸スクリーン部材３０３Ｌ、３０３Ｒの摺動受け部３０４Ｌ、３０４Ｒにおいて、摺動ブッシュ３０４２Ｌ、３０４２Ｒを固定するビス３０４１Ｌ、３０４１Ｒを締付けたり、緩めたりすることが可能となる。
【０１３５】
また、本実施例では、図１８の駆動機構３００の側面図および図１９の駆動機構３００の背面図等に示されるように、駆動部案内ベース部材３１０と、折り戸スクリーン案内ベース部材３２０とを隙間なく積層しているが、駆動部案内ベース部材３１０と、折り戸スクリーン案内ベース部材３２０とが、上下に離間していてもよい。
【０１３６】
図４３および図４４には、折り戸スクリーン部材３０２が、可動演出画像表示装置６０内の左右の収容位置に折り畳まれて収容されている態様が斜視図と平面図とによって示されている。本実施例では、前述した折り戸スクリーン部材３０２の駆動機構３００により、左側折り戸スクリーン部材３０２Ｌの端部３０６０Ｌおよびそれと隣接する左側折り戸スクリーン部材３０３Ｌの端部３０７０Ｌは、図４４に示された矢印のように、常に前後方向の位置をほぼ変えることなく左右方向に移動させられる。同様に、右側折り戸スクリーン部材３０２Ｒの端部３０６０Ｒおよびそれと隣接する右側折り戸スクリーン部材３０３Ｒの端部３０７０Ｒは、図４４に示された矢印のように、常に前後方向の位置をほぼ変えることなく左右方向に移動させられる。そして、隣接する端部がない端部３０８０Ｌ、３０５０Ｌ、３０８０Ｒ、３０５０Ｒは、それぞれ、図４４に示された矢印のように、上記端部３０６０Ｌ、３０７０Ｌ、３０６０Ｒ、３０７０Ｒの奥側の位置から前方に弧を描いて移動させられることにより、折り戸スクリーン部材３０２が展開するように構成されている。このような構成により、折り戸スクリーン部材３０２が折り畳まれる際の、折り戸スクリーン部材３０２の前方への突出量（図４４の端部３０６０Ｌ、３０７０Ｌ、３０６０Ｒ、３０７０Ｒの位置）が、折り戸スクリーン部材３０２が展開された後もほぼ変わることがない。すなわち、折り戸スクリーン部材３０２の折り畳み動作に伴って、折り戸スクリーン部材３０２の一部（例えば、端部３０６０Ｌ、３０７０Ｌ、３０６０Ｒ、３０７０Ｒ）が、可動演出画像表示装置６０の前方に大きく突出することがないように構成されている。
【０１３７】
また、図４５には、従来の駆動機構を使用した場合の、左側折れ戸部材８０２Ｌ、８０３Ｌの移動態様が示され、図４５（ａ）には、左側折れ戸部材８０２Ｌ、８０３Ｌが、後方部材９０２Ｌから離隔距離Ｄの前方位置に展開した状態が示されている。左側折れ戸部材８０２Ｌ、８０３Ｌが折り畳まれる際は、図４５（ｂ）に示されるように、受部８０４Ｌおよび８０６Ｌが左側の収容位置に直線的に移動させられることにより、左側折れ戸部材８０２Ｌ、８０３Ｌの端部８０８０Ｌ、８０５０Ｌも同様に左側の収容位置に直線的に移動させられる。一方、受部８０５Ｌは、受部８０４Ｌおよび８０６Ｌが左側の収容位置に直線的に移動させられるのに伴って、少しずつ前方向に突出して行き、併せて、左側折れ戸部材８０２Ｌ、８０３Ｌの端部８０６０Ｌ、８０７０Ｌも少しずつ前方向に突出することになる。すなわち、左側折れ戸部材８０２Ｌ、８０３Ｌを、後方部材９０２Ｌから離隔距離Ｄの前方位置に展開しようとする場合、左側折れ戸部材８０２Ｌ、８０３Ｌの折り畳みによって、突出部分の収容スペースとして前方向にさらに距離Ｄ１のスペースが必要となってしまう。
【０１３８】
しかし、本実施例では、図４６（ａ）に示されているように、当該図４５（ａ）に示された左側折れ戸部材８０２Ｌ、８０３Ｌの展開位置と同様に、左側折れ戸スクリーン部材３０２Ｌ、３０３Ｌが、後方にある引き戸スクリーン部材４０２Ｌから離隔距離Ｄの前方位置に展開した状態が示されている。左側折れ戸スクリーン部材３０２Ｌ、３０３Ｌが折り畳まれる際は、図４６（ｂ）に示されるように、前述の折り戸用モータ３０１Ａの誘導アーム３１８Ａに接続されている摺動受け部３０５が、左右方向に直線状に伸びる第３案内溝３２１Ｌに沿って左側の収容位置に直線的に移動させられることにより、左側折れ戸スクリーン部材３０２Ｌ、３０３Ｌの隣接する端部３０６０Ｌ、３０７０Ｌも同様に左側の収容位置に直線的に移動させられる。一方、摺動受け部３０４Ｌ、３０６Ｌは、前述の円弧状に形成された第１案内溝３２３Ｌ、３２３Ｒおよび第２案内溝３２２Ｌ、３２２Ｒによって、上記隣接する端部３０６０Ｌ、３０７０Ｌよりも奥側に移動させられて、収容位置に収容されている。したがって、前述の従来の駆動機構による動作態様とは異なり、左側折れ戸スクリーン部材３０２Ｌ、３０３Ｌの折り畳みに伴って左側折れ戸スクリーン部材３０２Ｌ、３０３Ｌの展開位置よりも前方に当該左側折れ戸スクリーン部材３０２Ｌ、３０３Ｌが突出することがないことため、従来、折り畳み時に生じていた展開位置から距離Ｄ１の前方の収容スペースが必要なくなり、展開位置よりも後方のスペースで折り畳み、収容することが可能となっている。
【０１３９】
本実施例では、図１７の駆動機構３００の平面図および図１８の駆動機構３００の側面図に示されているように、駆動部案内ベース部材３１０の左右端部付近には位置検出センサ３１１Ａ、３１１Ｂが備えられ、折り戸用モータ３０１Ａ、３０１Ｂに備えられた検出片３３０Ａ、３３０Ｂが検出されることにより、折り戸用モータ３０１Ａ、３０１Ｂの位置が特定されるように構成されている。なお、本実施例における折り戸用モータ３０１Ａ、３０１Ｂの位置検出は、図９の可動演出画像表示装置６０の斜視図に示されているように、折り戸用モータ３０１Ａ、３０１Ｂがそれぞれ駆動部案内ベース部材３１０左右の端部付近に位置し、折り戸スクリーン部材３０２が折り畳まれている状態である。
【０１４０】
（引き戸スクリーン部材）
引き戸スクリーン部材４０２は、図９の可動演出画像表示装置６０の斜視図に示されているように、可動演出画像表示装置６０内において、折り戸スクリーン部材３０２の後方に配置されている。また、図３１および図３２の可動演出画像表示装置６０の斜視図に示されるように、引き戸スクリーン部材４０２は、可動演出画像表示装置６０の中央から左側にかけて左右に移動可能な左側引き戸スクリーン部材４０２Ｌと、可動演出画像表示装置６０の中央から右側にかけて左右に移動可能な右側引き戸スクリーン部材４０２Ｒとから構成されている。
【０１４１】
図３１および図３５の可動演出画像表示装置６０の斜視図に示されるように、引き戸スクリーン部材４０２がそれぞれ可動演出画像表示装置６０の左右に退避しているときは、左側引き戸スクリーン部材４０２Ｌと右側引き戸スクリーン部材４０２Ｒとの間に、後述する中央演出部材５０２が可動演出画像表示装置６０の後方から進出して挟み込まれ、引き戸スクリーン部材４０２の前面と中央演出部材５０２の前面とによって、平滑な一つの投影面が形成される。
【０１４２】
一方、図３２の可動演出画像表示装置６０の斜視図に示されるように、左側引き戸スクリーン部材４０２Ｌと右側引き戸スクリーン部材４０２Ｒとが、可動演出画像表示装置６０の中央に移動して接しているときは、左側引き戸スクリーン部材４０２Ｌの前面と右側引き戸スクリーン部材４０２Ｒの前面とによって、平滑な一つの投影面が形成されるとともに、可動演出画像表示装置６０の背面板６３に固定されている固定スクリーン部材４０３Ｌ、４０３Ｒが前方から視認され、当該固定スクリーン部材４０３Ｌ、４０３Ｒと引き戸スクリーン部材４０２とによって投影面が形成される。
【０１４３】
また、図１５の可動演出画像表示装置６０の分解斜視図および図３３の可動演出画像表示装置６０の斜視図に示されるように、左側引き戸スクリーン部材４０２Ｌの左側下方端部には、下方に突出する下部規制ピン４０２１Ｌが、右側引き戸スクリーン部材４０２Ｒの右側下方端部には、下方に突出する下部規制ピン４０２１Ｒが備えられ、さらに、各下部規制ピン４０２１Ｌ、４０２１Ｒの下端部には、それぞれビス（図示略）とワッシャ（図示略）により固定される下部摺動ブッシュ４０２２Ｌ、４０２２Ｒが取り付けられている。そして、当該下部摺動ブッシュ４０２２Ｌ、４０２２Ｒと対応する位置にある可動演出画像表示装置６０の底板６１には、図３２の可動演出画像表示装置６０の斜視図に示されるように、当該下部摺動ブッシュ４０２２Ｌ、４０２２Ｒの移動範囲を規制する底板規制溝６１Ｌ、６１Ｒが、引き戸スクリーン部材４０２の左右の移動範囲に対応してそれぞれ形成されている。
【０１４４】
続いて、引き戸スクリーン部材４０２の駆動機構４００について以下に説明する。図１４の可動演出画像表示装置６０の分解斜視図および図３７の可動演出画像表示装置６０の斜視図に示されているように、左側引き戸スクリーン部材４０２Ｌの上端部には、上方に突出する２つの上部規制ピン４０２３Ｌが、右側引き戸スクリーン部材４０２Ｒの上端部には、上方に突出する２つの上部規制ピン４０２３Ｒが備えられ、さらに、各上部規制ピン４０２３Ｌ、４０２３Ｒの上端部には、図２２の駆動機構４００の分解図に示されるように、それぞれビス（図示略）とワッシャ（図示略）により固定される上部摺動ブッシュ４０２４Ｌ、４０２４Ｒが取り付けられている。そして、上記上部摺動ブッシュ４０２４Ｌ、４０２４Ｒが、駆動部固定ベース部材４１０に形成された摺動案内溝４１３Ｌ、４１３Ｒにおいて摺動して所定の位置に案内されるように構成されている。また、上記上部摺動ブッシュ４０２４Ｌ、４０２４Ｒは、ラック４３０Ｌ、４３０Ｒにそれぞれ固着されている。
【０１４５】
また、図３０の駆動機構４００の平面図および図３３の駆動機構４００の斜視図に示されるように、引き戸スクリーン部材４０２の駆動機構４００は、引き戸スクリーン部材４０２をそれぞれ左右に移動するための駆動力を提供する引き戸用モータ４０１Ａ、４０１Ｂが駆動部固定ベース部材４１０上に固定されている。そして、引き戸用モータ４０１Ａ、４０１Ｂは、その下方にそれぞれピニオンギヤ４１２Ａ、４１２Ｂを有しており、駆動部固定ベース部材４１０上で、ラック４３０Ｌ、４３０Ｒと噛み合わされることによって、当該ラック４３０Ｌ、４３０Ｒを左右に移動するように構成されている。すなわち、引き戸スクリーン部材４０２と連結されたラック４３０Ｌ、４３０Ｒが左右に移動させられるのに合せて、引き戸スクリーン部材４０２が左右に移動するように構成されている。
【０１４６】
また、図２２の駆動機構４００の分解図および図３０の駆動機構４００の平面図に示されるように、引き戸用モータ４０１Ａ、４０１Ｂにはそれぞれ位置検出センサ４１１Ａ、４１１Ｂが固着されており、ラック４３０Ｌ、４３０Ｒの上面にそれぞれ立設された検出片４３２Ｌ、４３２Ｒが検出されることによって、当該ラック４３０Ｌ、４３０Ｒの位置検出を行い、引き戸スクリーン部材４０２Ｌ、４０２Ｒの位置が特定されるように構成されている。
【０１４７】
また、本実施例の引き戸用モータ４０１Ａ、４０１Ｂには、４相４８極（１回転当りのステップ数が４８ステップ）のステッピングモータが用いられ、以下に説明する引き戸スクリーン部材位置修正プログラムに従って動作するように構成されている。左側引き戸スクリーン部材４０２Ｌと右側引き戸スクリーン部材４０２Ｒとの間に、中央演出部材５０２が挟み込まれて一つの投影面が形成される場合、まず、ラック４３０Ｌ、４３０Ｒの上面に立設された検出片４３２Ｌ、４３２Ｒが位置検出センサ４１１Ａ、４１１Ｂに検出されるまでステッピングモータが正回転（８５ステップ）し、引き戸スクリーン部材４０２が、図３１に示されるように可動演出画像表示装置６０の左右の退避位置まで移動する。それに併せて、後述する中央演出部材５０２は、後方から進出動作を始め、引き戸スクリーン部材４０２の前面と中央演出部材５０２の前面とが略同一の前後方向の位置に到達することで進出動作を停止する。このとき、引き戸スクリーン部材４０２と中央演出部材５０２との位置関係は、図４１の斜視図に示されているように、中央演出部材５０２の左右端部に形成された段差部５０２１内で、４ｍｍ程度離間して隙間Ｗが形成される。このように隙間Ｗが形成されることで、中央演出部材５０２の進出時に、引き戸スクリーン部材４０２と中央演出部材５０２とが干渉することを防いでいる。その後、上記引き戸スクリーン部材位置修正プログラムによって、ステッピングモータが４ステップ逆回転することで、図４２の斜視図に示されるように、引き戸スクリーン部材４０２の前面と中央演出部材５０２の前面とが近接して略面一の一つの投影面を形成している。
【０１４８】
本実施例では、引き戸スクリーン部材４０２は前面に平坦な投影面を有しており、投影装置６００からの投影画像が当該投影面に投影されるように構成されているが、本発明はこれに限定されるものではなく、引き戸スクリーン部材４０２をＬＣＤ（液晶表示装置）等から構成し、各種の演出画像を表示する表示領域を有するものとしてもよい。このように構成することにより、中央演出部材５０２に投影される投影画像と、引き戸スクリーン部材４０２に表示される液晶表示画像とによって、演出効果を高めることが可能となる。
【０１４９】
さらに別実施形態として、引き戸スクリーン部材４０２の前面に、例えば、所定のキャラクタ形状などを模した立体的凹凸面を形成するようにしてもよい。この場合、左側引き戸スクリーン部材４０２Ｌと右側引き戸スクリーン部材４０２Ｒとに、独立した互いに異なる立体的凹凸面を形成してもよいし、左側引き戸スクリーン部材４０２Ｌと右側引き戸スクリーン部材４０２Ｒとが接して一つの投影面を形成するときに、別の一つのキャラクタ形状が構成されるようにしてもよく、例えば、図４７（ａ）には、左側引き戸スクリーン部材４０２Ｌと右側引き戸スクリーン部材４０２Ｒとが接して一つの山を模した立体的凹凸面形状が形成される例が示されている。そして、当該立体的凹凸面形状に応じた投影画像を投影することにより、遊技者に対して立体的な映像演出を提供することが可能となる。
【０１５０】
（中央演出部材）
中央演出部材５０２は、図９の可動演出画像表示装置６０の斜視図に示されるように、一つの平坦な投影面を有し、可動演出画像表示装置６０内の中央部において、左側引き戸スクリーン部材４０２Ｌと右側引き戸スクリーン部材４０２Ｒとの間で進退可能に構成されている。すなわち、図１０の可動演出画像表示装置６０の側面図、図１１および図３８の可動演出画像表示装置６０の平面図に示されるように、可動演出画像表示装置６０の背面板６３の後方には、中央演出部材５０２を前後に移動させる中央演出部材駆動機構５００が設けられている。
【０１５１】
また、図１４の可動演出画像表示装置６０の分解斜視図および図３７の斜視図に示されているように、可動演出画像表示装置６０の背面板６３の中央部分には、中央演出部材５０２が前後方向に通過することができるように背面板開口部６３ａが形成されている。したがって、中央演出部材５０２は、図３７および図３８の斜視図に示される退避位置から、上記背面板開口部６３ａを通過して、図３５の斜視図に示される進出位置まで移動することが可能となる。中央演出部材５０２の進出後は、前述したように中央演出部材５０２が左側引き戸スクリーン部材４０２Ｌと右側引き戸スクリーン部材４０２Ｒとの間に挟み込まれ、引き戸スクリーン部材４０２の前面と中央演出部材５０２の前面とによって、平滑な一つの投影面が形成されるように構成されている。
【０１５２】
本実施例では、中央演出部材５０２は前面に一つの平坦な投影面を有しており、投影装置６００からの投影画像が投影面に投影されるように構成されているが、本発明はこれに限定されるものではなく、中央演出部材５０２をＬＣＤ（液晶表示装置）等から構成し、各種の演出画像を表示する表示領域を有するものとしてもよい。このように構成することにより、引き戸スクリーン部材４０２に投影される投影画像と、中央演出部材５０２に表示される液晶表示画像とによって、演出効果を高めることが可能となる。
【０１５３】
さらに別実施形態として、中央演出部材５０２の前面に、例えば、所定のキャラクタ形状などを模した立体的凹凸面を形成するようにしてもよく、当該立体的凹凸面形状に応じた投影画像を投影することにより、遊技者に対して立体的な映像演出を提供することが可能となる。さらに、引き戸スクリーン部材４０２と中央演出部材５０２が接して一つの投影面を形成するときに、当該引き戸スクリーン部材４０２の前面の立体的凹凸面と当該中央演出部材５０２の前面の立体的凹凸面とで、別の一つのキャラクタ形状が構成されるようにしてもよい。
【０１５４】
さらに、図４７の（ｂ）に示されているように、引き戸スクリーン部材４０２Ｌと４０２Ｒとの間に中央演出部材５０２が進出した場合には、当該中央演出部材５０２に形成された山の一部を模した立体的凹凸面と、引き戸スクリーン部材４０２に形成された山の一部を模した立体的凹凸面とで、別の一つの山の形状が構成されるようにすることも可能である。なお、上記実施例では山を模したキャラクタを例として示しているが、これに限られず、例えば、人物を模したキャラクタ等であってもよい。
【０１５５】
また、中央演出部材５０２を左側引き戸スクリーン部材４０２Ｌと右側引き戸スクリーン部材４０２Ｒとの間で進退させる機構として、図３９および図４０の中央演出部材駆動機構５００の斜視図に示されているように、シザースリンク機構５２０を可動演出画像表示装置６０の背面板６３の後方に備えている。そして、シザースリンクベース部材５２１には、中央演出部材用モータ５０１が設けられ、当該中央演出部材用モータ５０１に備えられたピニオンギヤ（図示略）によってギヤアーム５２２が傾動することにより、中央演出部材５０２が前後方向に移動するように構成されている。
【０１５６】
なお、シザースリンク機構５２０には、図３９および図４０の中央演出部材駆動機構５００の斜視図に示されているように、位置検出センサ５１１がアーム固定ベース５２６に固定されており、従動アーム５２５に備えられた検出片（図示略）が検出されることにより、当該従動アーム５２５の位置を検出し、中央演出部材５０２の位置が特定されるように構成されている。
【０１５７】
また、本実施例では、図３８の中央演出部材駆動機構５００の平面図および図３９の中央演出部材駆動機構５００の斜視図に示されるように、中央演出部材５０２の左右両端部には、幅４ｍｍ程度の段差部５０２１が形成されている。これは、中央演出部材５０２と引き戸スクリーン部材４０２との間に、図４１の斜視図に示されるような隙間Ｗが形成されている場合に、遊技者側から当該隙間Ｗを通じて中央演出部材５０２の裏側の機構等が見えてしまったり、当該裏側の機構等に投影画像が投影されてしまうことを防ぐためのものである。
【０１５８】
以上、本発明の第１発明に係る実施例を図面により説明してきたが、具体的な構成はこれら実施例に限られるものではなく、本発明の要旨を逸脱しない範囲における変更や追加があっても本発明に含まれ、例えば、以下のような構成が含まれる。
【０１５９】
例えば、前記実施例では、可動演出画像表示装置６０内において、折り戸スクリーン部材３０２、引き戸スクリーン部材４０２および中央演出部材５０２の３つの可動部材を投影面として有していたが、本発明はこれに限定されるものではなく、１つの可動部材にて構成されていてもよいし、４つ以上の可動部材にて構成されていてもよい。また、全ての投影面が可動するのではなく、一部、固定された投影面を有するようにしてもよい。
【０１６０】
また、前記実施例では、折り戸スクリーン部材３０２および引き戸スクリーン部材４０２が、それぞれ左右に移動するような構成としていたが、本発明はこれに限定されるものではなく、折り戸スクリーン部材３０２および引き戸スクリーン部材４０２が上下方向に移動するように構成してもよいし、折り戸スクリーン部材３０２と引き戸スクリーン部材４０２との内、いずれか一方が上下方向に移動するように構成してもよい。
【０１６１】
また、前記実施例では、投影装置６００が収容部２１１内に固定されている形態を例示したが、本発明はこれに限定されるものではなく、例えば、収容部２１１に対し、投影装置６００が前後・上下方向に移動可能な移動手段を設け、投影光を投影するスクリーンに応じて投影装置６００を移動させ、投影部６０１から各スクリーンまでの距離を調整するようにしてもよい。このような構成により、いずれのスクリーンにおいても焦点のずれがほぼ無い状態で演出画像を投影することが可能となる。
【０１６２】
また、投影装置６００を移動させることで各スクリーンまでの距離を調整できるようにしなくても、投影部６０１のオートフォーカス機能により、焦点を各スクリーンに応じた位置に調整するようにしてもよい。
【０１６３】
また、演出制御用ＣＰＵ１２０は、投影部６０１からいずれのスクリーンに画像を投影するかに応じて投影部６０１から投影する投影光の発光強度（投影光の輝度）を異ならせてもよい。
【０１６４】
また、可動演出画像表示装置６０の投影対象のスクリーンが切り替わるときに一時的に投影を中止する場合、可動演出画像表示装置６０に投影していた保留記憶表示や演出図柄の変動表示を演出画像表示装置５において表示するようにしてもよい。
【０１６５】
また、可動演出画像表示装置６０において、画像が投影されるスクリーンが切り替わる前に、当該切り替わり状態の発生を予告する演出を実行可能な演出実行手段を備えるようにしてもよい。
【０１６６】
［第２発明］
以下に、本発明の第２発明係る好適な実施形態について図４８〜図８４に基づいて説明する。なお本発明の第２発明は、主に前述の第１発明に係る可動演出画像表示装置６０に代えて、可動立体演出表示装置６０を有している点を特徴とするものである。また、以下では、前述の第１発明と共通する実施構成については割愛して記載している。
【０１６７】
（可動立体演出表示装置の構造）
図５４には、可動立体演出表示装置６０の斜視図が、図５５には、可動立体演出表示装置６０の側面図が示されている。そして、図５６の可動立体演出表示装置６０の分解斜視図に示されているように、可動立体演出表示装置６０は、背面板６１に対し、弾性可動スクリーン部材３２０およびその駆動機構３００と、角形可動部材４２０およびその駆動機構４００と、円形可動部材５２０およびその駆動機構５００とが、それぞれ取り付けられ、遊技機の前後方向に移動可能な上記弾性可動スクリーン部材３２０の後方において、上記角形可動部材４２０および上記円形可動部材５２０が、当該弾性可動スクリーン部材３２０の中央後方部に進出および退避可能に構成された、略四角形状の装置である。
【０１６８】
また、投影装置６００により演出画像が投影される被投影部として、可動立体演出表示装置６０は、弾性可動スクリーン部材３２０を当該可動立体演出表示装置６０の前面に備えており、後述する角形可動部材４２０または円形可動部材５２０が、当該弾性可動スクリーン部材３２０の後方に進出した後、当該弾性可動スクリーン部材３２０を構成する弾性スクリーンシート３２２が後方に移動することによって、後方にある上記角形可動部材４２０または上記円形可動部材５２０の前面に、当該弾性スクリーンシート３２２が押さえ付けられるように構成されている。これにより、上記弾性スクリーンシート３２２の表面に、上記角形可動部材４２０または上記円形可動部材５２０の立体表面形状に応じた膨出部が形成され、当該膨出部の立体形状に応じた演出画像が、投影装置６００によって弾性スクリーンシート３２２の表面に投影されるように構成されている。（図７４、図７７等参照）
【０１６９】
すなわち、本実施例では、可動立体演出表示装置６０における演出画像の投影状態として、弾性可動スクリーン部材３２０、角形可動部材４２０および円形可動部材５２０の可動態様に応じて、以下に示すように３つの投影状態が設定されている。
【０１７０】
第１投影状態は、図５４の可動立体演出表示装置６０の斜視図に示されるように、弾性可動スクリーン部材３２０を構成する弾性スクリーンシート３２２が、その可動範囲において最前面に位置し、当該弾性スクリーンシート３２２の投影面が平坦な状態において演出画像が投影される状態である。
【０１７１】
第２投影状態は、図６６の可動立体演出表示装置６０の斜視図に示されるように、角形可動部材４２０が弾性可動スクリーン部材３２０の中央後方部に進出するとともに、図７５の可動立体演出表示装置６０の斜視図および図７６の可動立体演出表示装置６０の側面図に示されるように、弾性可動スクリーン部材３２０を構成する弾性スクリーンシート３２２が後方に移動して角形可動部材４２０の前面に圧接され、当該弾性スクリーンシート３２２の投影面に当該角形可動部材４２０の立体表面形状に応じた膨出部が形成された状態において演出画像が投影される状態（図７７、図７８参照）である。
【０１７２】
第３投影状態は、図２１の可動立体演出表示装置６０の斜視図に示されるように、円形可動部材５２０が弾性可動スクリーン部材３２０の中央後方部に進出するとともに、図７２の可動立体演出表示装置６０の斜視図および図７３の可動立体演出表示装置６０の側面図に示されるように、弾性可動スクリーン部材３２０を構成する弾性スクリーンシート３２２が後方に移動して円形可動部材５２０の前面に圧接され、当該弾性スクリーンシート３２２の投影面に当該円形可動部材５２０の立体表面形状に応じた膨出部が形成された状態において演出画像が投影される状態（図７４参照）である。
【０１７３】
なお、弾性可動スクリーン部材３２０を構成する弾性スクリーンシート３２２に演出画像が投影される状態としては、上記３つの各投影状態（第１投影状態、第２投影状態、第３投影状態）に限られるものではない。例えば、本実施例では、角形可動部材４２０または円形可動部材５２０のいずれか一方の可動部材が弾性可動スクリーン部材３２０の中央後方部に進出した後、弾性可動スクリーン部材３２０を構成する弾性スクリーンシート３２２が後方に移動するように構成されているが、その際、当該弾性スクリーンシート３２２の投影面に徐徐に膨出部が形成されていく態様に合せて演出画像を投影することも可能である。これにより、さらに立体感と臨場感のある演出が可能となる。
【０１７４】
さらに別実施例として、例えば、前述のように弾性スクリーンシート３２２の投影面に膨出部が形成された後または徐徐に膨出部が形成されていく過程において、角形可動部材４２０または円形可動部材５２０を上下左右に移動させ、移動する膨出部に対して演出画像を投影することも可能である。このような構成により、さらに動きのある立体的な演出が可能となる。
【０１７５】
なお、本実施例では、図５４の可動立体演出表示装置６０の斜視図に示されるように、弾性可動スクリーン部材３２０を構成する弾性スクリーンシート３２２が前後方向の可動範囲において最前面に位置し、当該弾性スクリーンシート３２２の投影面が平坦な状態において演出画像が投影されている状態（前述の第１投影状態）を通常演出態様としている。そして、当該通常演出態様（第１投影状態）においては、弾性スクリーンシート３２２の投影面において、演出図柄の変動表示態様が投影されたり、演出画像表示装置５において表示されている演出図柄の変動表示に対応した演出画像が投影される。ただし、通常演出態様（第１投影状態）以外の演出態様（例えば、第２投影状態、第３投影状態、他）においても、弾性スクリーンシート３２２の投影面において、演出図柄の変動表示態様が投影されたり（図７８参照）、演出画像表示装置５において表示されている演出図柄の変動表示に対応した演出画像が投影される場合もある。
【０１７６】
また、例えば、主制御基板内で実行された抽選結果に応じ、演出制御用ＣＰＵ１２０が、予告演出やスーパーリーチ演出等の演出の実行および演出パターン等を決定した場合は、決定した演出パターンに応じて、前述の各投影状態（第１投影状態、第２投影状態、第３投影状態）が変更され、それぞれの状態に応じた投影画像による演出が実行されることがある。
【０１７７】
投影装置６００は、図４９に示されるように、後斜め下方に投影部６０１が向けられるように、上突出部２１０Ａ内に形成された収容部２１１に設けられるとともに、投影部６０１から照射された投影光が投影装置６００の後斜め下方に配設された可動立体演出表示装置６０に到達するように設けられている。具体的には、投影部６０１から照射された投影光の投影範囲は、図４９において破線で示されているように、少なくとも、図５０の遊技盤２の正面図に示される弾性可動スクリーン部材３２０を構成する弾性スクリーンシート３２２の投影面を演出画像の投影範囲としている。
【０１７８】
なお、上記演出画像の投影範囲はこれに限定されるものでははく、例えば、図５０の遊技盤の正面図に示されるように、飾り枠２の前面に形成された表示装置囲い面５１を演出画像の投影範囲に含めるようにすることも可能であり、このような構成により、遊技盤の前面の広い範囲で、インパクトのある演出が可能となる。
【０１７９】
また、本実施例では、図４９の遊技機の断面図に示されるように、可動立体演出表示装置６０は斜め後方に傾斜して遊技盤２に取り付けられており、可動立体演出表示装置６０内の弾性スクリーンシート３２２の投影面中心部を、投影装置６００の焦点位置としている。すなわち、弾性スクリーンシート３２２の投影面の上方位置（図４９の上側破線参照）と下方位置（図４９の下側破線参照）との間の中間位置を焦点位置とし、投影面内での焦点のズレを最小に抑えている。なお、焦点のズレを抑えるためには投影部６０１に対して弾性スクリーンシート３２２の投影面を垂直に設ければよいのではあるが、そうすると投影面が大きく傾斜して遊技者からの視認性が大きく損なわれるので、投影装置６００の設置場所や投影角度も考慮して、可動立体演出表示装置６０の傾斜角度を設定するとよい。また、本実施例では、可動立体演出表示装置６０内で投影面を形成する弾性スクリーンシート３２２が前後方向に移動するため、焦点位置のズレによる演出画像の視認性への若干の影響が考えられる。このような場合に対応して、投影装置６００に予め弾性スクリーンシート３２２の前後方向の位置にもとづいて焦点位置を補正する機能を付加してもよい。このような構成により、焦点位置のズレによって演出画像が見えづらくなるようなことを防ぐことが可能となる。
【０１８０】
図５１の遊技盤２および可動立体演出表示装置６０の斜視図（なお図５１では、表示装置囲い面５１を省略して図示している。）および図５２の遊技盤２の分解斜視図に示される飾り枠２ｂの周囲は、表面が光を反射し難い色に着色されており、投影光が飾り枠２ｂにて遊技者側へ反射したり、第１透明板５０ａや第２透明板５０ｂに映り込むこと等により、可動立体演出表示装置６０内の投影画像の視認性が低下してしまうことを防ぐようになっている。
【０１８１】
また、飾り枠２ｂの周囲は、図５１の遊技盤２および可動立体演出表示装置６０の斜視図に示されるように、遊技盤２の遊技盤面から前方に突出するように構成されており、遊技領域１０を流下する遊技球が、飾り枠２の前面に形成された表示装置囲い面５１や可動立体演出表示装置６０へは進入しないようになっている。したがって、投影部６０１から投影される投影光が遊技球により遮られることを防止している。なお、本実施例では、可動立体演出表示装置６０の前方斜め上方位置から画像が投影されるため、突出壁部５１ａが投影部６０１から投影される投影光を遮らないように設けられていることが好ましい。
【０１８２】
以下では、可動立体演出表示装置６０内で可動する各部材（弾性可動スクリーン部材３２０、角形可動部材４２０、円形可動部材５２０）の構成について、図面に基づいて説明する。
【０１８３】
（弾性可動スクリーン部材）
弾性可動スクリーン部材３２０は、図５４の可動立体演出表示装置６０の斜視図に示されるように、可動立体演出表示装置６０内に設けられるとともに、当該可動立体演出表示装置６０の最前面に位置して、投影装置６００からの投影画像を投影可能に構成されている。また、弾性可動スクリーン部材３２０は、図５７および図５８の弾性可動スクリーン部材３２０の分解斜視図に示されるように、スクリーンフレーム３２１と、弾性スクリーンシート３２２と、スクリーンベース３２３とが遊技機前面からこの順番で重ねられている。
【０１８４】
弾性可動スクリーン部材３２０を構成する上記スクリーンフレーム３２１は、金属性または樹脂製の枠形状となっており、図５８の弾性可動スクリーン部材３２０の分解斜視図に示されるように、フレーム固定穴３２１０Ａ、３２１０Ｂ、３２１０Ｃ、３２１０Ｄ（以下、これらの総称として「フレーム固定穴３２１０」と称する）が四隅に２箇所ずつ設けられ、フレーム固定軸３３０Ａ、３３０Ｂ、３３０Ｃ、３３０Ｄ（以下、これらの総称として「フレーム固定軸３３０」と称する）を介して背面板６１に固定されるモータベース３５０Ａ、３５０Ｂ、３５０Ｃ、３５０Ｄとネジ等の固着手段（図示略）によって固定されている。
【０１８５】
また、上記弾性スクリーンシート３２２は、可動立体演出表示装置６０の投影面として機能し、非透過性の伸縮可能な弾性材料により構成されている。そして、上記弾性スクリーンシート３２２は、その背面にあるスクリーンベース３２３の前面に接着剤によって接着固定されている。
【０１８６】
また、上記スクリーンベース３２３は、金属性または樹脂製の板状となっており、図５７の弾性可動スクリーン部材３２０の分解斜視図に示されるように、その中央部分に、後述する角形可動部材４２０および円形可動部材５２０を後方から挿通可能な開口部３２３１を有している。当該開口部３２３１の形状は、上記角形可動部材４２０および上記円形可動部材５２０のそれぞれの形状と略同一形状となっている。すなわち、当該開口部３２３１の前方に位置する上記弾性スクリーンシート３２２に対してのみ、上記角形可動部材４２０および上記円形可動部材５２０が背面から圧接され上記弾性スクリーンシート３２２の投影面に膨出部を形成し得る構造となっているため、接着された上記弾性スクリーンシート３２２の投影面に対してエッジの利いた膨出部を上記弾性スクリーンシート３２２の投影面上に形成することが可能となる。なお、前述した別実施例のように膨出部を形成した状態で当該膨出部を移動させる場合は、スクリーンベース３２３の開口部３２３１の形状を、例えば、図８４に示されているように、可動部材の可動範囲に応じて額縁形状にすることで上記膨出部を自在に移動させることができる。
【０１８７】
また、スクリーンベース３２３の四隅には、図５８の弾性可動スクリーン部材３２０の分解斜視図および図６０の弾性可動スクリーン部材３２０の拡大分解斜視図に示されるように、移動用ブッシュ固定穴３２３０Ａ、３２３０Ｂ、３２３０Ｃ、３２３０Ｄ（以下、これらの総称として「移動用ブッシュ固定穴３２３０」と称する）が設けられ、当該スクリーンベース３２３が前後方向に移動するための移動用ブッシュ３４１Ａ、３４１Ｂ、３４１Ｃ、３４１Ｄ（以下、これらの総称として「移動用ブッシュ３４１」と称する）がビス３２３１Ａ、３２３１Ｂ、３２３１Ｃ、３２３１Ｄ（以下、これらの総称として「ビス３２３１」と称する）により固着されている。
【０１８８】
上記移動用ブッシュ３４１は、例えば図６０の弾性可動スクリーン部材３２０の拡大分解斜視図に示されるように、前後に貫通する貫通孔３４１１Ａ、３４１１Ｂ、３４１１Ｃ、３４１１Ｄ（以下、これらの総称として「貫通孔３４１１」と称する）を有し、当該貫通孔３４１１には雌ねじを形成するナット３４１２Ａ、３４１２Ｂ、３４１２Ｃ、３４１２Ｄ（以下、これらの総称として「ナット３４１２」と称する）が埋め込まれている。そして、上記移動用ブッシュ３４１がスクリーンベース３２３に固着されると、移動用ブッシュ３４１の貫通孔３４１１と、スクリーンベース３２３に設けられ回転軸挿通穴３２３２Ａ、３２３２Ｂ、３２３２Ｃ、３２３２Ｄ（以下、これらの総称として「回転軸挿通穴３２３２」と称する）とが連通するように構成されている。このような構成により、後述する雄ねじが形成された回転軸３４０Ａ、３４０Ｂ、３４０Ｃ、３４０Ｄがナット３４１２内を回転し、スクリーンベース３２３が前後方向に移動するように構成されている。
【０１８９】
続いて、弾性可動スクリーン部材３２０の駆動機構３００について以下に説明する。図５８〜図６０の駆動機構３００の分解斜視図に示されるように、弾性スクリーンシート３２２が接着固定されたスクリーンベース３２３を前後方向に移動するための駆動力を提供する４つの弾性可動スクリーン用モータ３０１Ａ、３０１Ｂ、３０１Ｃ、３０１Ｄ（以下、これらの総称として「弾性可動スクリーン用モータ３０１」と称する）が、モータベース３５０Ａ、３５０Ｂ、３５０Ｃ、３５０Ｄ（以下、これらの総称として「モータベース３５０」と称する）を介して、それぞれ背面板６１に固定されている。
【０１９０】
さらに、図５９および図６０の駆動機構３００の斜視図に示されるように、弾性可動スクリーン用モータ３０１の後方にはピニオンギヤ３０２Ａ、３０２Ｂ、３０２Ｃ、３０２Ｄ（以下、これらの総称として「ピニオンギヤ３０２」と称する）が備えられており、回転軸３４０Ａ、３４０Ｂ、３４０Ｃ、３４０Ｄ（以下、これらの総称として「回転軸３４０」と称する）の後端部に固着された従動ギヤ３０３Ａ、３０３Ｂ、３０３Ｃ、３０３Ｄ（以下、これらの総称として「従動ギヤ３０３」と称する）と噛み合わされて上記回転軸３４０を回転させるように構成されている。
【０１９１】
より詳しくは、図６０の駆動機構３００の拡大斜視図に示されるように、回転軸３４０には、軸方向に雄ねじが形成されており、移動用ブッシュ３４１に取り付けられた雌ねじを形成するナット３４１２の中を当該回転軸３４０が回転することにより、スクリーンベース３２３が前後方向に移動するように構成されている。また、回転軸３４０の先端部には上記移動ブッシュ３４１の前方向の移動を規制する規制ピン３４２Ａ、３４２Ｂ、３４２Ｃ、３４２Ｄ（以下、これらの総称として「規制ピン３４２」と称する）が取り付けられ、スクリーンフレーム３２１の四隅に形成された嵌合穴３２１２Ａ、３２１２Ｂ、３２１２Ｃ、３２１２Ｄ（以下、これらの総称として「嵌合穴３２１２」と称する）に回転可能に嵌合されている。
【０１９２】
なお、本実施例では、各弾性可動スクリーン用モータ３０１の近傍に、それぞれ位置検出センサ（図示略）が設けられ、当該位置検出センサと対応するスクリーンベース３２３の所定の箇所には、検出片（図示略）が設けられている。そして、図６１の可動立体演出表示装置６０の側面図に示されているようなスクリーンベース３２３の前方位置において、上記検出片が検知されるように構成されている。このような構成により、全ての弾性可動スクリーン用モータ３０１を常に同期させることができるとともに、各回転軸３４０上のスクリーンベース３２３の移動位置に、ズレが生じることを防いでいる。
【０１９３】
（角形可動部材）
角形可動部材４２０は、図６４の可動立体演出表示装置６０の斜視図（なお図６４では、弾性スクリーンシート３２２およびスクリーンベース３２３を省略して図示している。）に示されているように、可動立体演出表示装置６０内において、弾性可動スクリーン部材３２０の後方に配置されるとともに、当該弾性可動スクリーン部材３２０の後方中心部の進出位置（図６６参照）と、当該弾性可動スクリーン部材３２０の上方の退避位置（図６４参照）との間を移動可能に構成されている。また、図６７の角形可動部材４２０の斜視図に示されるように、角形可動部材４２０の前面は前方に徐徐に膨出する立体表面形状となっている。
【０１９４】
続いて、角形可動部材４２０の駆動機構４００について以下に説明する。図６４の可動立体演出表示装置６０の斜視図に示されるように、可動立体演出表示装置６０の背面板６１には、摺動フレーム４３０Ｌ、４３０Ｒと、回転ベルトカバー４４０とがビス等の固着手段（図示略）により固着されている。また、図６９の角形可動部材４２０の斜視図に示されるように、角形可動部材４２０はその左右両側に左側摺動アーム４２１Ｌと右側摺動アーム４２１Ｒとを有し、各摺動アーム４２１Ｌ、４２１Ｒには、摺動ブッシュ４２１１が左右に２つずつ設けられて、上記摺動フレーム４３０Ｌ、４３０Ｒ内に形成された摺動溝を上下方向に摺動するように構成されている。
【０１９５】
角形可動部材４２０の背面には、図６９の角形可動部材４２０の斜視図および図７０の駆動機構４００分解斜視図にも示されているように、上記回転ベルトカバー４４０内で回転する回転ベルト４０３と結合するベルト固定部４２２が備えられている。そして、上記回転ベルトカバー４４０内で回転する上記回転ベルト４０３が回転移動するのに合せて、上記ベルト固定部４２２とともに角形可動部材４２０が上下に移動するように構成されている。
【０１９６】
図７０の駆動機構４００分解斜視図に示されるように、回転ベルトカバー４４０の下方端部付近には、回転ベルト４０３を回転させるための角形可動体用モータ４０１が固定されており、当該角形可動体用モータ４０１の回転軸にはプーリー４０２が取り付けられて、上記回転ベルト４０３を回転させている。なお、回転ベルト４０３の上方端部には同様にプーリー（図示略）が設けられている。
【０１９７】
なお、本実施例では、摺動フレーム４３０Ｌまたは摺動フレーム４３０Ｒの上端部近傍に、位置検出センサ（図示略）が設けられ、当該位置検出センサと対応する角形可動部材４２０の所定の箇所には、検出片（図示略）が設けられている。そして、図６７の角形可動部材４２０の斜視図に示されているような上方の退避位置において、上記検出片が検知されるように構成されている。このような構成により、角形可動部材４２０の進出位置および退避位置にズレが生じることを防いでいる。
【０１９８】
（円形可動部材）
円形可動部材５２０は、図６４の可動立体演出表示装置６０の斜視図に示されているように、可動立体演出表示装置６０内において、弾性可動スクリーン部材３２０の後方に配置されるとともに、当該弾性可動スクリーン部材３２０の後方中心部の進出位置（図６５参照）と、当該弾性可動スクリーン部材３２０の下方の退避位置（図６４参照）との間を回転移動可能に構成されている。
【０１９９】
また、図７１の円形可動部材５２０の斜視図からは判りづらいが、図７３の側面図に示されるように、円形可動部材５２０の前面は前方に徐徐に膨出する立体表面形状となっている。さらに、右側方向に伸びる回動アーム５２２を有しており、当該回動アーム５２２の右側端部付近には、回転軸５２３を中心に、半円弧状のギヤ部５２１が形成されている。
【０２００】
続いて、円形可動部材５２０の駆動機構５００について以下に説明する。図５５の可動立体演出表示装置６０の側面図、図５６の可動立体演出表示装置６０の分解斜視図および図７１の円形可動部材５２０の斜視図に示されるように、後方駆動ベース５３０と前方駆動ベース５４０とが、可動立体演出表示装置６０の背面板６１を挟み込むように固定され、上記前方駆動ベース５４０と上記背面板６１との間には、所定の空間が形成されている。また、上記前方駆動ベース５４０には、円形可動体用モータ５０１に設けられ、背面に形成された上記所定の空間には、当該円形可動体用モータ５０１の回転軸に取り付けられたピニオンギヤ（図示略）が配置されている。そして、当該ピニオンギヤ（図示略）と、上記回動アーム５２２に形成された半円弧状のギヤ部５２１とが噛みあうことにより、円形可動部材５２０を回転移動させている。
【０２０１】
なお、本実施例では、円形可動体用モータ５０１の近傍に、位置検出センサ（図示略）が設けられ、当該位置検出センサと対応する回動アーム５２２の所定の箇所には、検出片（図示略）が設けられている。そして、図６６の可動立体演出表示装置６０の斜視図に示されているような下方の退避位置において、上記検出片が検知されるように構成されている。このような構成により、円形可動部材５２０の進出位置および退避位置にズレが生じることを防いでいる。
【０２０２】
（角形可動部材による立体演出）
本実施例では、図６６の可動立体演出表示装置６０の斜視図に示されるように、角形可動部材４２０が弾性可動スクリーン部材３２０の後方中心部の進出位置まで移動すると、図７５の斜視図および図７６の側面図に示されるように、弾性スクリーンシート３２２およびスクリーンベース３２３が後方に移動し、上記角形可動部材４２０の前面が弾性スクリーンシート３２２によって圧接されて当該弾性スクリーンシート３２２の投影面に上記角形可動部材４２０の立体表面形状に応じた膨出部３２２２が形成される。
【０２０３】
その後、弾性スクリーンシート３２２の投影面に形成された膨出部３２２２に対し、その形状に応じた演出画像を投影装置６００から投影する。例えば、図７７には、膨出部３２２２の投影面にキャラクタの顔を投影した演出態様が例示されている。また、図７８には、膨出部３２２２の投影面に演出図柄の変動状況を投影した演出態様が例示されている。なお、図７７および図７８に示された実施例に限定されるものではなく、例えば、弾性スクリーンシート３２２の投影面に投影されるキャラクタ画像を構成する一部分を、上記膨出部３２２２に投影することも可能である。以上のような立体演出の構成により、立体感と臨場感のある演出が可能となる。
【０２０４】
（円形可動部材による立体演出）
本実施例では、図６５の可動立体演出表示装置６０の斜視図に示されるように、円形可動部材５２０が弾性可動スクリーン部材３２０の後方中心部の進出位置まで回転移動すると、図７２の斜視図および図７９の側面図に示されるように、弾性スクリーンシート３２２およびスクリーンベース３２３が後方に移動し、上記円形可動部材５２０の前面が弾性スクリーンシート３２２によって圧接されて当該弾性スクリーンシート３２２の投影面に上記円形可動部材５２０の立体表面形状に応じた膨出部３２２１が形成される。
【０２０５】
その後、弾性スクリーンシート３２２の投影面に形成された膨出部３２２１に対し、その形状に応じた演出画像を投影装置６００から投影する。例えば、図７４には、膨出部３２２１の投影面にキャラクタの顔を投影した演出態様が例示されている。なお、図７５に示された実施例に限定されるものではなく、例えば、弾性スクリーンシート３２２の投影面に投影されるキャラクタ画像を構成する一部分を、上記膨出部３２２１に投影することも可能である。以上のような立体演出の構成により、立体感と臨場感のある演出が可能となる。
【０２０６】
（第二の実施例）
前述の実施例では、各可動部材（角形可動部材４２０および円形可動部材５２０）の表面形状を互いに関連しない円形および角形とし、さらに、各可動部材が互いに異なるタイミングで弾性可動スクリーン部材３２０の後方中心部の進出位置まで移動するように構成されているが、本発明はこれに限定されるものではなく、例えば、前述の角形可動部材４２０の形状をハートマークの右半分を構成する形状とし、さらに、前述の円形可動部材５２０の形状をハートマークの左半分を構成する形状として、両可動部材が弾性可動スクリーン部材３２０の後方中心部の進出位置に同時に配置されるように構成し、一つのハートマークを形成するようにすることも可能である。
【０２０７】
より詳細に説明すると、図７９の可動立体演出表示装置６０の正面図に示されるように、ハートマークの右半分を形成する右ハート形可動部材４２０Ａが弾性可動スクリーン部材３２０上方の退避位置に位置し、ハートマークの左半分を形成する左ハート形可動部材５２０Ａが弾性可動スクリーン部材３２０下方の退避位置に位置している。そして、ハートマークの右半分による演出が実行される場合には、図８０の可動立体演出表示装置６０の正面図に示されるように、右ハート形可動部材４２０Ａが弾性可動スクリーン部材３２０の後方中心部の進出位置まで移動し、その後、スクリーンベース３２３が後方に移動する。これにより、右ハート形可動部材４２０Ａの立体表面に弾性スクリーンシート３２２が圧接されることによって弾性スクリーンシート３２２の投影面に膨出部３２２３が形成され、当該膨出部３２２３に応じた演出画像が投影される。
【０２０８】
さらにその後、ハートマーク全体による演出を実行する場合は、一旦、スクリーンベース３２３が前方の元の位置に移動し、弾性可動スクリーン部材３２０下方の退避位置にある左ハート形可動部材５２０Ａが弾性可動スクリーン部材３２０の後方中心部の進出位置まで移動する。これにより、右ハート形可動部材４２０Ａと左ハート形可動部材５２０Ａとが組み合わせられ、再び上記スクリーンベース３２３が後方に移動することで、さらに膨出部３２２４が弾性スクリーンシート３２２の投影面に形成される。このような動作態様によって、図８１に示されるように、膨出部３２２３と膨出部３２２４とにより一つのハートマークが形成され、当該膨出部３２２３、３２２４に応じた演出画像が投影される。以上のような構成により、遊技者に対して意外性のある立体的な演出がさらに可能となる。
【０２０９】
なお、上記した第二の実施例ではハートマークを例示したが、これに限られるものではなく、例えば、合体ロボットが組み立てられるような態様でもよいし、ドル箱が積み上げられるよう態様でもよく、複数の可動体による種々の組み合わせ態様を適用することが可能である。
【０２１０】
（第三の実施例）
第三の実施例では、上記第二の実施例に加えて、さらに異なる表面立体形状を有する可動部材を追加して、複数種類の膨出部を弾性スクリーンシート３２２の投影面に形成している。例えば、図８２の可動立体演出表示装置６０の正面図に示されるように、弾性可動スクリーン部材３２０の右側にはさらに星形可動部材７２０Ａが退避位置に位置しており、左右方向に移動可能に構成されている。そして、ハートマークの膨出部３２２３、３２２４が弾性スクリーンシート３２２の投影面に形成されて演出画像が投影された後、一旦、スクリーンベース３２３が前方の元の位置に移動し、弾性可動スクリーン部材３２０右側の退避位置にある星形可動部材７２０Ａが右ハート形可動部材４２０Ａ近傍の進出位置まで移動する。そして再び上記スクリーンベース３２３が後方に移動することで、図８３の可動立体演出表示装置６０の正面図に示されるように、さらに星形可動部材７２０Ａによる膨出部３２２５が弾性スクリーンシート３２２の投影面に形成され、当該膨出部３２２５に応じた演出画像が投影される。このような構成により、複数の異なる形状の膨出部を弾性スクリーンシート３２２の投影面に形成して演出画像を投影することができるため、さらに多種多様な演出を行うことが可能となり、例えば、様々な遊技状態を遊技者に対して報知する手段として効果的に演出することが可能となる。
【０２１１】
なお、上記した各実施例では、各可動部材の退避位置が、前後に移動するスクリーンベース３２３の外側に位置しているため、当該スクリーンベース３２３が後方に移動して弾性スクリーンシート３２２が可動部材の立体表面に圧接されている状態においては、他の可動部材によって弾性スクリーンシート３２２の投影面に膨出部を形成することはできない。したがって、例えば、可動部材の移動態様に併せて弾性スクリーンシート３２２の投影面に形成される膨出部を移動させ、当該移動する膨出部に応じて演出画像を投影するような場合は、可動部材の退避位置および進出位置を含めた移動範囲が常に弾性スクリーンシート３２２の後方に位置するように構成することで、移動する膨出部に応じた演出が可能となる。
【０２１２】
以上、本発明の第２発明に係る実施例を図面により説明してきたが、具体的な構成はこれら実施例に限られるものではなく、本発明の要旨を逸脱しない範囲における変更や追加があっても本発明に含まれ、例えば、以下のような構成が含まれる。
【０２１３】
例えば、前記実施例では、可動立体演出表示装置６０内において、弾性スクリーンシート３２２が接着固定されたスクリーンベース３２３を後方に移動することにより、角形可動部材４２０および円形可動部材５２０の前面に弾性スクリーンシート３２２が圧接されて、当該弾性スクリーンシート３２２の投影面に膨出部３２２１、３２２２２が形成されるが、本発明はこれに限定されるものではなく、可動部材が前方に移動することによって弾性スクリーンシート３２２の投影面に膨出部が形成されるようにしてもよい。
【０２１４】
また、前記実施例では、各可動部材（角形可動部材４２０および円形可動部材５２０）の表面形状を円形および角形としているが、本発明はこれに限定されるものではなく、様々な任意の表面形状を有する可動部材を適用してもよいし、複数の凹凸面を有する可動部材を適用してもよい。なお、可動部材の立体表面形状は、投影装置からの投影角度を考慮し、投影面に形成された膨出部によって、周辺の投影面に影が生じない形状とすることが好ましい。
【０２１５】
また、前記実施例の別実施形態として、弾性スクリーンシートを、光透過性を有する弾性部材で構成するとともに、当該弾性スクリーンシートの背面に圧接される可動部材に発光手段を設けるようにしてもよい。このように構成することにより、弾性スクリーンシートの弾性変形した領域に演出画像を投影しつつ、上記発光手段からの発光態様を、当該弾性スクリーンシートを透過させて遊技者に視認させることが可能となり、多種多様な立体演出を行うことが可能となる。
【０２１６】
また、前記実施例では、角形可動部材４２０は上下方向に直線移動し、円形可動部材５２０は下方から上方へ回転移動する構成となっているが、本発明はこれに限定されるものではなく、左右方向から直線移動してもよいし、左右方向から回転移動するようにしてもよい。
【０２１７】
また、前記実施例では、角形可動部材４２０は上下方向に直線移動し、円形可動部材５２０は下方から上方へ回転移動する構成となっているが、本発明はこれに限定されるものではなく、角形可動部材４２０および円形可動部材５２０をいずれも上下方向に移動させるように構成してもよいし、角形可動部材４２０および円形可動部材５２０をいずれも上下方向に回転移動させるように構成してもよい。
【０２１８】
また、前記実施例では、角形可動部材４２０および円形可動部材５２０の二つの可動部材をスクリーンベース３２３の中央部後方に移動する構成となっているが、本発明はこれに限定されるものではなく、三つ以上の可動部材をスクリーンベース３２３の中央部後方に移動するように構成してもよい。
【０２１９】
また、前記実施例では、角形可動部材４２０および円形可動部材５２０の二つの可動部材がスクリーンベース３２３の外側から内側へ移動可能に構成されているが、本発明はこれに限定されるものではなく、各可動部材の移動範囲をスクリーンベース３２３の内側のみとすることも可能であり、このように構成することにより、可動立体演出表示装置６０全体の大きさを小型化することが可能となるとともに、遊技機内部の省スペース化を図ることが可能となる。
【０２２０】
また、前記実施例では、角形可動部材４２０および円形可動部材５２０の二つの可動部材をスクリーンベース３２３の中央部後方に移動する構成となっているが、本発明はこれに限定されるものではなく、それぞれスクリーンベース３２３後方の任意の位置に移動するように構成してもよい。さらに、各可動部材が互いに異なる位置に移動するように構成してもよく、このような場合はスクリーンベース３２３に各可動部材の形状および進出位置に応じた開口部を複数設けるとよい。
【０２２１】
また、前記実施例では、角形可動部材４２０および円形可動部材５２０により弾性スクリーンシート３２２の投影面に形成された膨出部は、膨出した状態で投影面内を移動するような構成とはなっていないが、本発明はこれに限定されるものではなく、例えば、膨出部を形成した状態で、可動部材を移動させるようにしてもよい。この場合、可動部材の移動範囲に対応する開口部をスクリーンベース３２３に形成するとよい。
【０２２２】
また、前記実施例では、スクリーンベース３２３に、角形可動部材４２０および円形可動部材５２０の形状に合わせた開口部を形成しているが、本発明はこれに限定されるものではなく、スクリーンベース３２３を枠状のフレーム構造としてもよい。
【０２２３】
また、前記実施例では、投影装置６００を収容部２１１内に固定されている形態を例示したが、本発明はこれに限定されるものではなく、例えば、収容部２１１に対し投影装置６００を前後・上下方向に移動可能な移動手段を設けてもよい。
【０２２４】
また、投影部６０１にオートフォーカス機能により、焦点を弾性スクリーンシート３２２の前後位置に応じた位置に調整するようにしてもよい。
【０２２５】
また、演出制御用ＣＰＵ１２０は、弾性スクリーンシート３２２の前後位置応じて投影部６０１から投影する投影光の発光強度（投影光の輝度）を異ならせてもよい。
【０２２６】
また、前記実施例には記載していないが、可動立体演出表示装置６０における演出態様が切り替わるときにおいて投影を中止する場合は、可動立体演出表示装置６０に投影可能な保留記憶表示や演出図柄の変動表示を、演出画像表示装置５に表示してもよい。
【０２２７】
また、前記実施例には記載していないが、可動立体演出表示装置６０において、弾性スクリーンシート３２２の投影面に形成される膨出部の形状が変化または変更される前に、そのことを予告する演出を実行可能な演出実行手段を備えるようにしてもよい。
【０２２８】
また、可動立体演出表示装置６０に投影される投影画像と、演出画像表示装置５に表示される表示画像とが、互いに作用し合うような連携演出を行ってもよく、この場合にあっては、可動立体演出表示装置６０の近傍に配置される演出画像表示装置５の表示制御と、投影装置６００の投影制御とを行う演出制御用ＣＰＵ１２０は、連携演出が実行されるときには、投影装置６００により投影される投影画像の明るさと、演出画像表示装置５により表示される表示画像の明るさとを合わせる制御を行うようにすればよい。
【０２２９】
以上説明したように、本発明（第１発明および第２発明）の実施例におけるパチンコ遊技機１にあっては、投影部６０１が第１透明板５０ａと第２透明板５０ｂとの間に設けられていることで、投影装置６００から可動演出画像表示装置６０（又は可動立体演出表示装置６０）に向けて投影される投影光が、第１透明板５０ａのみを通過するため、第２透明板５０ｂによって可動演出画像表示装置６０（又は可動立体演出表示装置６０）への画像の投影が阻害されることが防止されるとともに、投影装置６００からの投影光が第２透明板５０ｂにより屈折されることがなくなる。つまり、投影装置６００は、投影部６０１からの投影光が第２透明板５０ｂを通過せずに第１透明板５０ａを通過する位置に設けられていればよい。
【０２３０】
また、第１透明板５０ａを投影装置６００の投影光の通過に適したガラス板により構成したり、第２透明板５０ｂをガラス板よりも強度が向上したアクリル樹脂板により構成する等、第１透明板５０ａと第２透明板５０ｂとを異なる材質により構成することで、各々の透明板を使用用途に適した構成とすることができる。
【０２３１】
また、第１透明板５０ａと第２透明板５０ｂとを厚みが異なるようにすることで、各々の透明板に適した厚みにすることができる。例えば、第２透明板５０ｂの強度を向上させるために第１透明板５０ａよりも厚く形成したり、第１透明板５０ａの投影光の透過率を向上させるために薄く形成したりすることができる。
【０２３２】
また、第１透明板５０ａの表面に光の反射を低減させるための低反射層として銀の薄膜層を形成することにより、投影装置６００からの投影光が第１透明板５０ａで反射し難くなり、可動演出画像表示装置６０（又は可動立体演出表示装置６０）や遊技領域１０、演出画像表示装置５の視認性を向上させることができる。なお、銀の薄膜層は、遊技球との接触により剥離することがないように第１透明板５０ａの前面側に形成されているが、前方が第２透明板５０ｂにより覆われていることで、遊技者が薄膜層に触れて指紋等が付着して遊技領域１０の視認性が損なわれることがない。
【０２３３】
また、主制御基板１１、演出制御基板１２や払出制御基板９１が、可動演出画像表示装置６０の前方領域を除く位置であって、当該可動演出画像表示装置６０（又は可動立体演出表示装置６０）の後方端よりも前方となる位置に配置されることで、可動演出画像表示装置６０（又は可動立体演出表示装置６０）の後方領域には主制御基板１１、演出制御基板１２や払出制御基板９１が配置されることがないので、投影装置６００と可動演出画像表示装置６０（又は可動立体演出表示装置６０）との距離を長くしつつ、遊技島にて特別な設置工事等を行うこと無く当該遊技島にパチンコ遊技機１を設置することができるとともに、遊技島において、島設備や該遊技島の対向面側に設けられた他のパチンコ遊技機により本パチンコ遊技機１の後方突出距離が制限されてしまうことを回避することができる。
【０２３４】
なお、可動演出画像表示装置６０（又は可動立体演出表示装置６０）の前方領域を除く位置であって、該可動演出画像表示装置６０（又は可動立体演出表示装置６０）の後方端よりも前方となる位置とは、可動演出画像表示装置６０（又は可動立体演出表示装置６０）の前方領域及び後方領域を除く位置、つまり、パチンコ遊技機１において投影部６０１からの投影光を遮らない位置であればよい。
【０２３５】
また、演出制御基板１２は、パチンコ遊技機１の前面に開閉可能に設けられた開閉扉枠５０の背面下部に着脱可能に設けられているので、演出制御基板１２を開閉扉枠５０から取り外すことにより演出制御基板１２のメンテナンスを簡便に行うことができる。
【０２３６】
また、パチンコ遊技機１の前面上部位置において該パチンコ遊技機１の前方側に突出するように形成された上突出部２１０Ａ内に、投影装置６００とスピーカ８Ｌ、８Ｒとが配置されることで、遊技場の照明光等によって、可動演出画像表示装置６０（又は可動立体演出表示装置６０）に投影された画像が視認しづらくなってしまうことを防ぐことができる。更に、上突出部２１０Ａを用いて投影装置６００を配置するスペースを確保できるとともに、遊技者に近い位置にて音を出力することができる。
【０２３７】
また、パチンコ遊技機１の前面上部位置に、該パチンコ遊技機１の前方側に突出するように形成された上突出部２１０Ａ内に投影装置６００が設けられることで、遊技場の照明光によって、上突出部２１０Ａの下方に配設された可動演出画像表示装置６０（又は可動立体演出表示装置６０）に投影された画像が視認しづらくなってしまうことを防ぐことができるとともに、投影装置６００と可動演出画像表示装置６０（又は可動立体演出表示装置６０）との距離を長くとることができ、投影される画像のゆがみを抑えることができる。
【０２３８】
また、パチンコ遊技機１の前面における左右両側部位置に、パチンコ遊技機１の前方側に突出するように側方突出部２１０Ｂを形成することで、隣接するパチンコ遊技機１から入射する光によって、可動演出画像表示装置６０（又は可動立体演出表示装置６０）に投影された画像が視認しづらくなってしまうことを防ぐことができる。
【０２３９】
また、パチンコ遊技機１は、音を出力可能なスピーカ８Ｌ、８Ｒが上突出部２１０Ａに設けられていることで、遊技者に近い位置にて音を出力することができる。
【０２４０】
以上、本発明の実施例を図面により説明してきたが、具体的な構成はこれら実施例に限られるものではなく、本発明の要旨を逸脱しない範囲における変更や追加があっても本発明に含まれる。
【０２４１】
また、前記実施例では、投影装置６００は、投影部６０１を後斜め下向きにした状態で収容部２１１内に収容され、投影部６０１からの投影光を直接可動演出画像表示装置６０（又は可動立体演出表示装置６０）に対して投影しているが、本発明はこれに限定されるものではなく、投影装置６００の投影部６０１を前斜め下向きにした状態で収容部２１１内に収容し、投影部６０１からの投影光を収容部２１１内に配置したミラーで反射させ、可動演出画像表示装置６０に対して投影するように構成してもよい。
【０２４２】
また、前記実施例では、第１透明板５０ａに対し、第２透明板５０ｂを下方から上方にかけて漸次、第１透明板５０ａとの距離が増大するように傾斜して設ける形態を例示したが、本発明はこれに限定されるものではなく、第１透明板５０ａと第２透明板５０ｂとの間隔が、投影光が入射される側が広ければ、第２透明板５０ｂ全体を第１透明板５０ａに対し傾斜させなくてもよい。つまり、第２透明板５０ｂの少なくとも一部を第１透明板５０ａに対し傾斜させることで、第１透明板５０ａと第２透明板５０ｂとの間隔は投影光が入射される側が広くなるようにしてもよく、また、第１透明板５０ａと第２透明板５０ｂとを略平行に設けてもよい。
【０２４３】
また、前記実施例では、投影装置６００の投影部６０１を第１透明板５０ａと第２透明板５０ｂとの間に設けることで、これら第１透明板５０ａと第２透明板５０ｂとの間に投影部６０１から投影光を出力する形態を例示したが、本発明はこれに限定されるものではなく、投影光が、第１透明板５０ａと第２透明板５０ｂとの間に投影されて、第２透明板５０ｂを通過せずに第１透明板５０ａを通過する位置であれば、投影部６０１は第１透明板５０ａと第２透明板５０ｂとの間に設けられていなくてもよい。つまり、投影光が、第１透明板５０ａと第２透明板５０ｂとの間に投影されるものであれば、投影部６０１が第１透明板５０ａと第２透明板５０ｂとの間に設けられていなくてもよい。
【０２４４】
また、前記実施例では、第１透明板５０ａと第２透明板５０ｂとは、第１透明板５０ａと第２透明板５０ｂとの上端部間の離間寸法が第１透明板５０ａと第２透明板５０ｂとの下端部間の離間寸法よりも長寸となるように設けられているが、本発明はこれに限定されるものではなく、第１透明板５０ａと第２透明板５０ｂとの上端部間の離間寸法が第１透明板５０ａと第２透明板５０ｂとの下端部間の離間寸法よりも短寸となるように設け、第１透明板５０ａと第２透明板５０ｂとの下端部間に投影部６０１を設けて下方から投影するようにしてもよい。また、第１透明板５０ａと第２透明板５０ｂとの上端部間及び下端部間双方の離間寸法を中央部の離間寸法よりも長寸とし、上方及び下方から投影するようにしてもよい。
【０２４５】
また、前記実施例では、上部に上突出部２１０Ａが設けられた開閉扉枠５０を、左側辺を中心として回動可能に遊技機枠３に対して設けることで、左側辺を中心として開閉扉枠５０を回動させることで遊技機枠３の前面を開閉する形態を例示したが、本発明はこれに限定されるものではなく、上部に上突出部２１０Ａが設けられた開閉扉枠５０を、上辺または下辺を中心として回動可能に遊技機枠３に対して設け、該開閉扉枠５０を、左右方向を向く回動軸を中心として上方または下方に回動させることで遊技機枠３の前面を開閉するようにしても良く、このようにすることで、遊技機枠３を開閉する際に上突出部２１０Ａが隣接する他のパチンコ遊技機１等に当接して邪魔になることを防ぐことができる。
【０２４６】
また、前記実施例では、パチンコ遊技機１の上部に設けられた上突出部２１０Ａ内に投影装置６００を収容することで、可動演出画像表示装置６０（又は可動立体演出表示装置６０）に対してパチンコ遊技機１の上部から投影光を入射させる形態を例示したが、本発明はこれに限定されるものではなく、パチンコ遊技機１の左右側部に設けられた側方突出部２１０Ｂや、パチンコ遊技機１の下部に設けられた上皿９０の周辺に投影装置６００を収容することで、可動演出画像表示装置６０（又は可動立体演出表示装置６０）に対してパチンコ遊技機１の左右側部や下部から投影光を入射させるようにしてもよい。
【０２４７】
また、前記実施例では、第１透明板５０ａの表面に銀の薄膜を形成することによって、光の反射を抑える形態を例示したが、本発明はこれに限定されるものではなく、第２透明板５０ｂの表面に銀の薄膜を形成することによって、遊技場等において隣接する他のパチンコ遊技機や遊技場の照明等からの光が第２透明板５０ｂで反射することを低減させるようにしてもよい。
【０２４８】
また、前記実施例では、制御基板の一例として、遊技の制御を行う主制御基板１１、演出の制御を行う演出制御基板１２及び賞球の制御を行う払出制御基板９１等を例示したが、本発明はこれに限定されるものではなく、遊技に関連する制御を行う制御基板であれば、上記以外の制御基板を含む。
【０２４９】
また、前記実施例では、演出制御基板１２を開閉扉枠５０に対して着脱可能な演出制御基板ケースに収納することで、演出制御基板１２を開閉扉枠５０に対して着脱可能とする形態を例示したが、本発明はこれに限定されるものではなく、開閉扉枠５０に対して演出制御基板ケース１２Ａを移動可能に取付けることで、演出制御基板１２を開閉扉枠５０に対して移動可能に設けても良く、このようにすることで、演出制御基板１２を作業しやすい位置まで移動させることが可能となるので、メンテナンスを簡便に行うことができる。また、主制御基板１１や払出制御基板９１等を着脱可能または移動可能に設けてもよい。
【０２５０】
また、前記実施例では、主制御基板１１や払出制御基板９１を開閉扉枠５０の背面における可動演出画像表示装置６０（又は可動立体演出表示装置６０）の下方位置に設け、演出制御基板１２を可動演出画像表示装置６０の前下方に設けた形態を例示したが、本発明はこれに限定されるものではなく、可動演出画像表示装置６０（又は可動立体演出表示装置６０）の前方領域を除く位置であって、可動演出画像表示装置６０（又は可動立体演出表示装置６０）の後方端よりも前方となる位置であれば、主制御基板１１、払出制御基板９１や演出制御基板１２を上記以外の場所に設けてもよい。このようにすることで、主制御基板ケース１１Ａ、払出制御基板ケース９１Ａや演出制御基板ケース１２Ａの前後寸法分、可動演出画像表示装置６０（又は可動立体演出表示装置６０）をパチンコ遊技機１の後方に配置できるようにし、投影装置６００と可動演出画像表示装置６０（又は可動立体演出表示装置６０）との距離を極力長くすることができる。また、これら制御基板ケースは、遊技機用枠３や開閉扉枠５０の背面等に係止部やネジ等を介して取付けるだけでなく、フック等を介して吊支することにより設けてもよい。
【０２５１】
また、主制御基板１１、払出制御基板９１や演出制御基板１２を、パチンコ遊技機１の前方側に突出するように該パチンコ遊技機１の前面上部位置に形成された上突出部２１０Ａに設けても良く、このように上突出部２１０Ａを備えることで、周囲の照明の光によって、可動演出画像表示装置６０（又は可動立体演出表示装置６０）に投影された画像が視認しづらくなってしまうことを防ぐことができ、かつ上突出部２１０Ａを用いて主制御基板１１、払出制御基板９１や演出制御基板１２を配置するスペースを確保できる。
【０２５２】
また、前記実施例では、遊技機枠３の背面下部に主制御基板１１、払出制御基板９１及び電源基板を設け、開閉扉枠５０の背面下部に演出制御基板１２を設ける形態を例示したが、本発明はこれに限定されるものではなく、これら主制御基板１１、演出制御基板１２、払出制御基板９１及び電源基板のうち、遊技に関連する制御を行う制御基板としての主制御基板１１、演出制御基板１２及び払出制御基板９１に関しては、パチンコ遊技機１の前方から不正されにくい遊技機枠３の背面下部に設けることが好ましいが、主制御基板１１、演出制御基板１２、払出制御基板９１及び電源基板全てを開閉扉枠５０の背面下部、または遊技機枠３の背面等に設けてもよい。
【０２５３】
また、前記実施例では、開閉扉枠５０の背面下部に演出制御基板１２を設ける形態を例示したが、本発明はこれに限定されるものではなく、演出制御基板１２は、パチンコ遊技機１を設置する遊技島等、パチンコ遊技機１以外に設けるようにしてもよい。なお、演出制御基板１２に替えて、或いは加えて遊技に関連する制御を行う制御基板としての主制御基板１１、演出制御基板１２や払出制御基板９１を遊技島に設けるようにしてもよい。
【０２５４】
また、前記実施例では、上突出部２１０Ａにスピーカ８Ｌ、８Ｒを収容する形態を例示したが、本発明はこれに限定されるものではなく、スピーカ８Ｌ、８Ｒは側方突出部２１０Ｂや下皿９２の周辺に収容してもよい。
【０２５５】
また、前記実施例では、上突出部２１０Ａにスピーカ８Ｌ、８Ｒを収容する形態を例示したが、本発明はこれに限定されるものではなく、上突出部２１０Ａ内において、該上突出部２１０Ａとスピーカ８Ｌ、８Ｒとの間に防振手段としてのバネやゴム等の弾性部材を介在させることで、スピーカ８Ｌ、８Ｒの音出力により生じる振動が投影装置６００に伝達されてしまうことを防止し、可動演出画像表示装置６０（又は可動立体演出表示装置６０）に表示される画像が不鮮明になってしまうことを防ぐようにしてもよい。
【０２５６】
また、前記実施例では、上突出部２１０Ａ内の収容部２１１に投影装置６００を収容する形態を例示したが、本発明はこれに限定されるものではなく、収容部２１１と上突出部２１０Ａの外方とに連通する開口を上突出部２１０Ａに形成することで、投影装置６００の駆動により生じる熱を収容部２１１内から排出して投影装置６００の過熱を防ぐようにしてもよい。なお、開口は上突出部２１０Ａの上面、下面、側面のいずれに形成されていてもよいが、収容部２１１内から排出される熱が効率よく排出されるように上突出部２１０Ａの上面に開口を形成することが望ましい。また、上突出部２１０Ａの下面に開口を形成する場合は、例えば、悪戯によって液体などが上突出部２１０Ａに投入されても、該液体を上突出部２１０Ａの外に容易に流出させることができる。
【０２５７】
また、前記実施例では、可動演出画像表示装置６０（又は可動立体演出表示装置６０）の周囲に位置する部材としての飾り枠２ｂを、可動演出画像表示装置６０（又は可動立体演出表示装置６０）の周囲に位置しない部材（例えば、遊技領域１０外に配設されている部材など）よりも、光を反射し難い色、材質、表面状態の少なくともいずれかとしている形態を例示したが、本発明はこれに限定されるものではなく、可動演出画像表示装置６０（又は可動立体演出表示装置６０）の周囲に位置する部材として、障害釘、風車、入賞装置等を可動演出画像表示装置６０（又は可動立体演出表示装置６０）の周囲に位置しない部材よりも、光を反射し難い色、材質、表面状態の少なくともいずれかとしてもよい。また、パチンコ遊技機１全体（例えば、遊技盤２や上突出部２１０Ａ、側方突出部２１０Ｂ、下皿９２および上皿９０、プッシュボタン３１等を含む開閉扉枠５０等）を、光を反射し難い色、材質、表面状態の少なくともいずれかとしてもよい。
【０２５８】
また、前記実施例では実施していないが、パチンコ遊技機１にエラー報知制御手段を備えるようにして、該エラー報知制御手段により、パチンコ遊技機１における異常の発生を報知するようにしても良く、この場合にあっては、本体を開閉可能に覆う開閉扉枠５０の開放異常を投影装置６００により可動演出画像表示装置６０（又は可動立体演出表示装置６０）に大きく投影して報知しようとしても、前記実施例では開閉扉枠５０に投影装置６００が設けられているため、異常を報知する画像を可動演出画像表示装置６０に投影できなくなってしま可能性が高いので、少なくとも開閉扉枠５０が開放されている期間においては、可動演出画像表示装置６０（又は可動立体演出表示装置６０）とは個別に設けられ、画像を表示可能な表示手段である演出画像表示装置５に、エラー報知画像を表示して異常の発生を報知するようにすればよい。
【０２５９】
また、前記実施例では、遊技球が通過する通過経路は、該通過経路を通過する遊技球が可動演出画像表示装置６０（又は可動立体演出表示装置６０）に投影される投影光を遮らない位置に設けられていることで、通過経路を通過する遊技球によって投影光が遮られて画像が分かりづらくなってしまうことを防止できるようにしているが、本発明はこれに限定されるものではなく、通過経路を通過する遊技球が、投影光の一部を遮るように通過経路を形成するようにしてもよい。
【０２６０】
また、前記実施例では、特に詳細な説明はしていないが、投影装置６００の制御を行う投影制御手段である演出制御用ＣＰＵ１２０は、本体を開閉可能に覆う開閉扉枠５０の開放に関係なく投影装置６００の制御を行っているが、本発明はこれに限定されるものではなく、投影制御手段である演出制御用ＣＰＵ１２０は、少なくとも開閉扉枠５０が開放されている期間においては、閉鎖されている期間と比較して投影装置６００から投影される投影光の明るさを低減させる制御、または、投影装置６００による投影を停止する制御を行うようにしてもよい。
【０２６１】
また、可動演出画像表示装置６０（又は可動立体演出表示装置６０）に投影される投影画像と、演出画像表示装置５に表示される表示画像とが、互いに作用し合うような連携演出を行ってもよく、本発明はこれに限定されるものではなく、投影装置６００が投影する投影画像と演出画像表示装置５が表示する表示画像とにより連携演出を実行する連携演出実行手段を備えるようにしても良く、この場合にあっては、可動演出画像表示装置６０（又は可動立体演出表示装置６０）の近傍に配置される演出画像表示装置５の表示制御と、投影装置６００の投影制御を行う制御手段である演出制御用ＣＰＵ１２０は、連携演出が実行されるときには、投影装置６００により投影される投影画像の明るさと、演出画像表示装置５により表示される表示画像の明るさとを合わせる制御を行うようにすればよい。
【０２６２】
また、前記実施例では、投影装置６００を、本体を開閉可能に覆う開閉扉枠５０に前方側に突出するように庇状に形成された上突出部２１０Ａに設け、開閉扉枠５０の開閉に応じて投影装置６００の投影方向が変化する形態を例示しているが、本発明はこれに限定されるものではなく、これら投影装置６００を、開閉扉枠５０を閉鎖した状態及び開放した状態のいずれの状態であっても、可動演出画像表示装置６０（又は可動立体演出表示装置６０）に画像を投影可能な位置に設けるようにしてもよい。
【０２６３】
また、前記実施例では、スーパーリーチ演出や予告演出として可動演出画像表示装置６０（又は可動立体演出表示装置６０）に対して画像を投影する形態を例示しているが、本発明はこれに限定されるものではなく、例えば、変動表示が実行されていない大当り中において、該大当り遊技が確変大当りの大当り遊技であるか通常大当り（非確変大当り）の大当り遊技であるかが不明である場合に、確変大当りの大当り遊技であることを報知する確変昇格演出として可動演出画像表示装置６０（又は可動立体演出表示装置６０）に対して画像を投影するようにしてもよいし、例えば、５ラウンド大当りであるか１６ラウンドの大当りであるかが不明である場合に、１６ラウンドであることを報知するラウンド昇格演出として可動演出画像表示装置６０（又は可動立体演出表示装置６０）に対して画像を投影するようにしてもよい。更には、大当りに当選する確率が高い高確率状態であるのか、大当りに当選する確率が低い通常状態（低確率状態）であるのかが判別不能である潜伏状態である場合に、高確率状態であるか通常状態（低確率状態）であるのを示唆する演出として可動演出画像表示装置６０（又は可動立体演出表示装置６０）に対して画像を投影するようにしてもよい。
【０２６４】
また、前記実施例では、スーパーリーチ演出や予告演出等の遊技中の演出として可動演出画像表示装置６０（又は可動立体演出表示装置６０）に対して画像を投影する形態を例示しているが、本発明はこれに限定されるものではなく、例えば、パチンコ遊技機１の演出や特徴等を紹介するデモ演出等、パチンコ遊技機１において遊技が行われていない状態（非遊技中）で実行される演出として可動演出画像表示装置６０（又は可動立体演出表示装置６０）に対して画像を投影するようにしてもよい。
【０２６５】
また、前記実施例では、投影装置６００から投影される画像を表示するための可動演出画像表示装置６０（又は可動立体演出表示装置６０）と演出画像を表示するための演出画像表示装置５をパチンコ遊技機１に設ける形態を例示したが、本発明はこれに限定されるものではなく、パチンコ遊技機１には演出表示装置５を設けないようにしてもよい。なお、パチンコ遊技機１に演出画像表示装置５を設けない場合は、演出図柄の変動表示や各種演出画像を投影装置６００からの投影によって可動演出画像表示装置６０に表示すればよい。
【０２６６】
また、前記実施例では、可動演出画像表示装置６０（又は可動立体演出表示装置６０）と演出画像表示装置５との両方で演出図柄の変動表示を実行可能な形態を例示したが、本発明はこれに限定されるものではなく、演出図柄の変動表示は可動演出画像表示装置６０（又は可動立体演出表示装置６０）と演出画像表示装置５のいずれか一方のみで実行するようにしてもよい。
【０２６７】
また、前記実施例では、遊技機の一例としてパチンコ遊技機１を例示しているが、本発明はこれに限定されるものではなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。なお、これら封入式遊技機においては遊技球ではなく得点やポイントが遊技者に付与されるので、これら付与される得点やポイントが遊技価値に該当する。
【０２６８】
また、前記実施例では、遊技球を打球発射装置により遊技領域よりも下方から打ち出す形態を例示したが、本発明はこれに限定されるものではなく、例えば、前記打球発射装置をパチンコ遊技機１における遊技領域の上方位置に設けることによって、遊技球を遊技領域の上方位置から打ち出すようにしてもよい。
【０２６９】
また、前記実施例では、始動入賞口を、第１始動入賞口６Ａと第２始動入賞口６Ｂとの２つとした形態を例示しているが、本発明はこれに限定されるものではなく、始動入賞口を１つのみとしてもよいし、始動入賞口を３つ以上としてもよい。
【０２７０】
また、前記実施例では、特別図柄を、第１特図と第２特図との２つとした形態を例示しているが、本発明はこれに限定されるものではなく、特別図柄を１つのみとしてもよいし、特別図柄を３つ以上としてもよい。
【０２７１】
また、前記実施例では、第１特別図柄表示器４Ａおよび第２特別図柄表示器４Ｂはそれぞれ表示結果となる最終停止図柄を含む複数種類の特別図柄を変動表示した後に、最終停止図柄を停止表示するようになっているが、本発明はこれに限定されるものではなく、表示結果となる最終停止図柄を含めずに複数種類の特別図柄を変動表示した後に、最終停止図柄を停止表示するものであってもよい。つまり、表示結果となる最終停止図柄は、変動表示に用いられる特別図柄と異なる図柄であってもよい。
【０２７２】
前記遊技者にとって有利な状態とは、遊技者が多くの遊技媒体を獲得できる遊技者にとって有利な特定遊技状態（大当り等）や、獲得できる遊技媒体の期待値が異なる複数種類の特定遊技状態（ラウンド数が異なる大当り等）や、通常遊技状態よりも賞球払出の条件が成立しやすくなる高ベース状態（時短状態）や、前記特定遊技状態となる確率が高い高確率遊技状態（高確率状態）や高確低ベース状態（潜伏確変状態）、特別リーチ状態（例えば、スーパーリーチ等）、変動パターンが大当り変動パターンに基づく変動パターンである状態等が含まれる。
【０２７３】
また、前記実施例では、遊技機の一例としてパチンコ遊技機が適用されていたが、例えば遊技用価値を用いて１ゲームに対して所定数の賭数を設定することによりゲームが開始可能となるとともに、各々が識別可能な複数種類の図柄を変動表示可能な演出画像表示装置やリールに変動表示結果が導出されることにより１ゲームが終了し、該演出画像表示装置に導出された変動表示結果に応じて入賞が発生可能とされたスロットマシンにも適用可能である。なお、本発明をスロットマシンに適用する場合の遊技領域としては、スロットマシンの前面を閉鎖する遊技機用枠に設けられた透明板の後方に配置されるスクリーンユニットを含む。
【０２７４】
また、前記実施例では、可動演出画像表示装置６０（又は可動立体演出表示装置６０）の後方領域には、いずれの基板も配置しない形態を例示したが、本発明はこれに限定されるものではなく、例えば、投影装置６００と可動演出画像表示装置６０（又は可動立体演出表示装置６０）との距離を十分に確保できる場合にあっては、可動演出画像表示装置６０（又は可動立体演出表示装置６０）の後方領域に、基板を配置するようにしてもよい。
【０２７５】
また、前述の説明では、前記第１発明と前記第２発明とをそれぞれ実施例に基づいて説明したが、これらの発明を組み合わせることも可能である。例えば、前記第１発明の折り戸スクリーン部材３０２Ｌ、３０２Ｒの後方に、第２発明の可動立体演出表示装置６０を設けることが可能であり、また、前記第１発明の引き戸スクリーン部材４０２Ｌ、４０２Ｒの間に、第２発明の可動立体演出表示装置６０を進退可能に設けることも可能である。このような構成とすることで、立体的な動きのある演出が可能となる。
【０２７６】
以上説明したように、本実施の形態のパチンコ遊技機１やパチスロ機によれば、以下のような遊技機を提供することができる。
【０２７７】
［付記１−１］
（１）本発明に係る遊技機は、遊技者が視認可能な所定の演出を実行可能な演出装置（例えば、中央演出部材５０２）と、前記演出装置の前方に設けられ、遊技者が前記演出装置を視認困難な第１の位置（例えば、折り戸スクリーン部材の展開位置）と視認容易な第２の位置（例えば、折り戸スクリーン部材の折り畳み位置）との間を移動可能な開閉扉（例えば、折り戸スクリーン部材）と、少なくとも前記開閉扉を移動制御可能な移動制御手段（例えば、スクリーン駆動機構７０）と、を備えた遊技機（例えば、パチンコ遊技機１）であって、前記開閉扉は、第１の部材（例えば、折り戸スクリーン部材３０２Ｌ、３０２Ｒ）および該第１の部材に隣接する第２の部材（例えば、折り戸スクリーン部材３０３Ｌ、３０３Ｒ）とを含む複数の部材と、前記複数の部材を接続する接続部（例えば、上部接続部３１００Ｌ、３１００Ｒと下部接合部３２００Ｌ、３２００Ｒ）と、を有し、前記移動制御手段により前記開閉扉が前記第２の位置に移動した場合には折畳状態となるとともに、前記第１の位置に移動した場合には前記複数の部材が展開することで前記演出装置の少なくとも一部を隠蔽可能な略平板形状となり、前記第１の部材及び前記第２の部材のうち、前記開閉扉の端部を構成している部材について、前記第１の部材と前記第２の部材とが隣接していない端部側（例えば、端部３０５０Ｌ、３０８０Ｌ、３０５０Ｒ、３０８０Ｒ）を、前記第１の部材と前記第２の部材とが隣接している端部側（例えば、端部３０６０Ｌ、３０７０Ｌ、３０６０Ｒ、３０７０Ｒ）よりも奥側に位置するように移動可能に構成されてなることを特徴とする。
【０２７８】
上記（１）の遊技機によれば、従来、開閉扉が折り畳まれる際、図４５（ｂ）に示されるように、開閉扉の接続部が前方に突出していたため、遊技機の前後方向において大きなスペースが必要であったが、開閉扉（例えば、折り戸スクリーン部材）が折り畳まれる際、上記第１の部材（例えば、折り戸スクリーン部材３０２Ｌ、３０２Ｒ）と第２の部材（例えば、折り戸スクリーン部材３０３Ｌ、３０３Ｒ）とが隣接して接続されていない方の端部（例えば、端部３０５０Ｌ、３０８０Ｌ、３０５０Ｒ、３０８０Ｒ）が、隣接して接続されている方の端部（例えば、端部３０６０Ｌ、３０７０Ｌ、３０６０Ｒ、３０７０Ｒ）よりも奥側に移動するように構成（図４４等参照）されているため、例えば図４６（ｂ）に示されるように、開閉扉の接続部が可動演出画像表示装置６０の前方側に突出することがなく、可動演出画像表示装置６０前方の省スペース化を図ることが可能となる。またこれにより、可動演出画像表示装置６０自体の小型化が可能となる。
【０２７９】
［付記１−２］
（１）本発明に係る遊技機は、遊技者が視認可能な所定の演出を実行可能な演出装置（例えば、中央演出部材５０２および／または引き戸スクリーン部材４０２Ｌ、４０２Ｒ）と、前記演出装置の前方に設けられ、遊技者が前記演出装置を視認困難な第１の位置（例えば、折り戸スクリーン部材の展開位置）と視認容易な第２の位置（例えば、折り戸スクリーン部材の折り畳み位置）との間を移動可能な開閉扉（例えば、折り戸スクリーン部材）と、少なくとも前記開閉扉を移動制御可能な移動制御手段（例えば、スクリーン駆動機構７０）と、を備えた遊技機（例えば、パチンコ遊技機１）であって、前記開閉扉は、第１の部材（例えば、折り戸スクリーン部材３０２Ｌ、３０２Ｒ）および該第１の部材に隣接する第２の部材（例えば、折り戸スクリーン部材３０３Ｌ、３０３Ｒ）とを含む複数の部材と、前記複数の部材を接続する接続部（例えば、上部接続部３１００Ｌ、３１００Ｒと下部接合部３２００Ｌ、３２００Ｒ）と、を有し、前記移動制御手段により前記開閉扉が前記第２の位置に移動した場合には折畳状態となるとともに、前記第１の位置に移動した場合には前記複数の部材が展開することで前記演出装置の少なくとも一部を隠蔽可能な略平板形状となり、前記開閉扉が折畳状態となるときは、前記複数の部材のうち、前記開閉扉の一方の端部を構成する部材（例えば、折り戸スクリーン部材３０３Ｌ、３０３Ｒ）が前記演出装置よりも奥側に位置するように移動可能に構成されてなることを特徴とする。
【０２８０】
上記（１）の遊技機によれば、従来、開閉扉が折り畳まれる際、図４５（ｂ）に示されるように、開閉扉の接続部が前方に突出していたため、遊技機の前後方向において大きなスペースが必要であったが、開閉扉（例えば、折り戸スクリーン部材）が折り畳まれる際、当該開閉扉を構成する複数の部材（例えば、折り戸スクリーン部材３０２Ｌ、３０３Ｌ、３０２Ｒ、３０３Ｒ）のうち、当該開閉扉の一方の端部を構成する部材（例えば、折り戸スクリーン部材３０３Ｌ、３０３Ｒ）が、例えば図４６（ｂ）に示されるように、演出装置（中央演出部材５０２および／または引き戸スクリーン部材４０２Ｌ、４０２Ｒ）よりも奥側に移動するように構成されているため、比較的に横幅の広い折り戸スクリーン部材を接続した開閉扉であっても、上記演出装置前方の狭いスペースにおいて、開閉扉を折り畳みまたは展開することが可能となる。またこれにより、可動演出画像表示装置６０自体の小型化が可能となる。
【０２８１】
［付記１−３］
（１）本発明に係る遊技機は、遊技者が視認可能な所定の演出を実行可能な演出装置（例えば、中央演出部材５０２）と、前記演出装置の前方に設けられ、遊技者が前記演出装置を視認困難な第１の位置（例えば、折り戸スクリーン部材の展開位置）と視認容易な第２の位置（例えば、折り戸スクリーン部材の折り畳み位置）との間を移動可能な開閉扉（例えば、折り戸スクリーン部材）と、前記演出装置と前記開閉扉との間に位置するとともに、前記演出装置を視認困難な第３の位置と視認容易な第４の位置との間を移動可能な第２の開閉扉（例えば、引き戸スクリーン部材４０２Ｌ、４０２Ｒ）と、少なくとも前記開閉扉と前記第２の開閉扉と前記演出装置とを移動制御可能な移動制御手段（例えば、スクリーン駆動機構７０および中央演出部材駆動機構５００）と、を備えた遊技機（例えば、パチンコ遊技機１）であって、前記開閉扉は、第１の部材（例えば、折り戸スクリーン部材３０２Ｌ、３０２Ｒ）および該第１の部材に隣接する第２の部材（例えば、折り戸スクリーン部材３０３Ｌ、３０３Ｒ）とを含む複数の部材と、前記複数の部材を接続する接続部（例えば、上部接続部３１００Ｌ、３１００Ｒと下部接合部３２００Ｌ、３２００Ｒ）と、を有し、前記移動制御手段により前記開閉扉が前記第２の位置に移動した場合には折畳状態となるとともに、前記第１の位置に移動した場合には前記複数の部材が展開することで前記演出装置および／または前記第２の開閉扉の少なくとも一部を隠蔽可能な略平板形状となり、前記開閉扉が折畳状態となるときは、前記複数の部材のうち、前記開閉扉の一方の端部を構成する部材（例えば、折り戸スクリーン部材３０３Ｌ、３０３Ｒ）が前記演出装置および／または前記第２の開閉扉よりも奥側に位置するように移動可能に構成されてり、前記演出装置は、待機位置である第５の位置と、前記第５の位置よりも手前側の位置である第６の位置との間を移動可能であり、前記第６の位置は前記第２の開閉扉が前記第４の位置にあるときに当該第２の開閉扉と前後方向略同じ位置であることを特徴とする。
【０２８２】
上記（１）の遊技機によれば、従来、開閉扉が折り畳まれる際、図４５（ｂ）に示されるように、開閉扉の接続部が前方に突出していたため、遊技機の前後方向において大きなスペースが必要であったが、開閉扉（例えば、折り戸スクリーン部材）が折り畳まれる際、当該開閉扉を構成する複数の部材（例えば、折り戸スクリーン部材３０２Ｌ、３０３Ｌ、３０２Ｒ、３０３Ｒ）のうち、当該開閉扉の一方の端部を構成する部材（例えば、折り戸スクリーン部材３０３Ｌ、３０３Ｒ）が、例えば図４６（ｂ）に示されるように、演出装置（中央演出部材５０２および／または引き戸スクリーン部材４０２Ｌ、４０２Ｒ）よりも奥側に移動するように構成されているため、比較的に横幅の広い折り戸スクリーン部材を接続した開閉扉であっても、上記演出装置前方の狭いスペースにおいて、開閉扉を折り畳みまたは展開することが可能となる。またこれにより、可動演出画像表示装置６０自体の小型化が可能となる。
【０２８３】
さらに、図３２に示されるように、演出装置（例えば、中央演出部材５０２）が待機位置にあるときは、第２の開閉扉（例えば、引き戸スクリーン部材４０２Ｌ、４０２Ｒ）よりも奥側に位置して遊技機の前方からは視認できないが、上記第２の開閉扉が可動演出画像表示装置６０の左右に移動すると、図４３に示されるように、演出装置（例えば、中央演出部材５０２）が奥側から前方に進出して上記演出装置が視認可能な状態となる。このような、開閉扉、第２の開閉扉および演出装置の移動態様によって、遊技者に対して、新たな演出動作態様を提供することが可能となる。
【０２８４】
［付記１−４］
（１）本発明に係る遊技機は、所定の演出画像を表示可能な液晶表示演出装置（例えば、中央演出部材５０２）と、前記液晶表示演出装置の前方に設けられ、遊技者が前記液晶表示演出装置を視認困難な第１の位置（例えば、折り戸スクリーン部材の展開位置）と視認容易な第２の位置（例えば、折り戸スクリーン部材の折り畳み位置）との間を移動可能な開閉扉（例えば、折り戸スクリーン部材）と、前記液晶表示演出装置と前記開閉扉との間に位置するとともに、前記液晶表示演出装置を視認困難な第３の位置と視認容易な第４の位置との間を移動可能な第２の開閉扉（例えば、引き戸スクリーン部材４０２Ｌ、４０２Ｒ）と、少なくとも前記開閉扉と前記第２の開閉扉と前記液晶表示演出装置とを移動制御可能な移動制御手段（例えば、スクリーン駆動機構７０および中央演出部材駆動機構５００）と、を備えた遊技機（例えば、パチンコ遊技機１）であって、前記開閉扉は、第１の部材（例えば、折り戸スクリーン部材３０２Ｌ、３０２Ｒ）および該第１の部材に隣接する第２の部材（例えば、折り戸スクリーン部材３０３Ｌ、３０３Ｒ）とを含む複数の部材と、前記複数の部材を接続する接続部（例えば、上部接続部３１００Ｌ、３１００Ｒと下部接合部３２００Ｌ、３２００Ｒ）と、を有し、前記移動制御手段により前記開閉扉が前記第２の位置に移動した場合には折畳状態となるとともに、前記第１の位置に移動した場合には前記複数の部材が展開することで前記液晶表示演出装置および／または前記第２の開閉扉の少なくとも一部を隠蔽可能な略平板形状となり、前記開閉扉が折畳状態となるときは、前記複数の部材のうち、前記開閉扉の一方の端部を構成する部材（例えば、折り戸スクリーン部材３０３Ｌ、３０３Ｒ）が前記液晶表示演出装置および／または前記第２の開閉扉よりも奥側に位置するように移動可能に構成されてり、前記液晶表示演出装置は、待機位置である第５の位置と、前記第５の位置よりも手前側の位置である第６の位置との間を移動可能であり、前記第６の位置は前記第２の開閉扉が前記第４の位置にあるときに当該第２の開閉扉と前後方向略同じ位置であることを特徴とする。
【０２８５】
上記（１）の遊技機によれば、従来、開閉扉が折り畳まれる際、図４５（ｂ）に示されるように、開閉扉の接続部が前方に突出していたため、遊技機の前後方向において大きなスペースが必要であったが、開閉扉（例えば、折り戸スクリーン部材）が折り畳まれる際、当該開閉扉を構成する複数の部材（例えば、折り戸スクリーン部材３０２Ｌ、３０３Ｌ、３０２Ｒ、３０３Ｒ）のうち、当該開閉扉の一方の端部を構成する部材（例えば、折り戸スクリーン部材３０３Ｌ、３０３Ｒ）が、例えば図４６（ｂ）に示されるように、液晶表示演出装置（中央演出部材５０２）および／または第２の開閉扉（例えば、引き戸スクリーン部材４０２Ｌ、４０２Ｒ）よりも奥側に移動するように構成されているため、比較的に横幅の広い折り戸スクリーン部材を接続した開閉扉であっても、上記演出装置前方の狭いスペースにおいて、開閉扉を折り畳みまたは展開することが可能となる。またこれにより、可動演出画像表示装置６０自体の小型化が可能となる。
【０２８６】
さらに、図３２に示されるように、液晶表示演出装置（例えば、中央演出部材５０２）が待機位置にあるときは、第２の開閉扉（例えば、引き戸スクリーン部材４０２Ｌ、４０２Ｒ）よりも奥側に位置して遊技機の前方からは視認できないが、上記第２の開閉扉が可動演出画像表示装置６０の左右に移動すると、図４３に示されるように、液晶表示演出装置（例えば、中央演出部材５０２）が奥側から前方に進出して当該液晶表示演出装置が視認可能な状態となる。このような、開閉扉、第２の開閉扉および液晶表示演出装置の移動態様によって、遊技者に対して、新たな演出動作態様を提供することが可能となる。
【０２８７】
［付記１−５］
（１）本発明に係る遊技機は、遊技者が視認可能な所定の演出を実行可能な演出装置（例えば、中央演出部材５０２）と、前記演出装置の前方に設けられ、遊技者が前記演出装置を視認困難な第１の位置（例えば、折り戸スクリーン部材の展開位置）と視認容易な第２の位置（例えば、折り戸スクリーン部材の折り畳み位置）との間を移動可能な開閉扉（例えば、折り戸スクリーン部材）と、前記演出装置と前記開閉扉との間に位置するとともに、前記演出装置を視認困難な第３の位置と視認容易な第４の位置との間を移動可能な第２の開閉扉（例えば、引き戸スクリーン部材４０２Ｌ、４０２Ｒ）と、少なくとも前記開閉扉と前記第２の開閉扉と前記演出装置とを移動制御可能な移動制御手段（例えば、スクリーン駆動機構７０および中央演出部材駆動機構５００）と、を備えた遊技機（例えば、パチンコ遊技機１）であって、前記開閉扉は、第１の部材（例えば、折り戸スクリーン部材３０２Ｌ、３０２Ｒ）および該第１の部材に隣接する第２の部材（例えば、折り戸スクリーン部材３０３Ｌ、３０３Ｒ）とを含む複数の部材と、前記複数の部材を接続する接続部（例えば、上部接続部３１００Ｌ、３１００Ｒと下部接合部３２００Ｌ、３２００Ｒ）と、を有し、前記移動制御手段により前記開閉扉が前記第２の位置に移動した場合には折畳状態となるとともに、前記第１の位置に移動した場合には前記複数の部材が展開することで前記演出装置および／または前記第２の開閉扉の少なくとも一部を隠蔽可能な略平板形状となり、前記開閉扉が折畳状態となるときは、前記複数の部材のうち、前記開閉扉の一方の端部を構成する部材（例えば、折り戸スクリーン部材３０３Ｌ、３０３Ｒ）が前記演出装置および／または前記第２の開閉扉よりも奥側に位置するように移動可能に構成されてり、前記演出装置は、待機位置である第５の位置と、前記第５の位置よりも手前側の位置である第６の位置との間を移動可能であり、前記第６の位置は前記第２の開閉扉が前記第４の位置にあるときに当該第２の開閉扉と前後方向略同じ位置であり、前記第２の開閉扉は、前記第２の開閉扉の前面に所定の演出画像を表示可能な液晶表示部を有することを特徴とする。
【０２８８】
上記（１）の遊技機によれば、従来、開閉扉が折り畳まれる際、図４５（ｂ）に示されるように、開閉扉の接続部が前方に突出していたため、遊技機の前後方向において大きなスペースが必要であったが、開閉扉（例えば、折り戸スクリーン部材）が折り畳まれる際、当該開閉扉を構成する複数の部材（例えば、折り戸スクリーン部材３０２Ｌ、３０３Ｌ、３０２Ｒ、３０３Ｒ）のうち、当該開閉扉の一方の端部を構成する部材（例えば、折り戸スクリーン部材３０３Ｌ、３０３Ｒ）が、例えば図４６（ｂ）に示されるように、演出装置（中央演出部材５０２および／または引き戸スクリーン部材４０２Ｌ、４０２Ｒ）よりも奥側に移動するように構成されているため、比較的に横幅の広い折り戸スクリーン部材を接続した開閉扉であっても、上記演出装置前方の狭いスペースにおいて、開閉扉を折り畳みまたは展開することが可能となる。またこれにより、可動演出画像表示装置６０自体の小型化が可能となる。
【０２８９】
さらに、図３２に示されるように、演出装置（例えば、中央演出部材５０２）が待機位置にあるときは、第２の開閉扉（例えば、引き戸スクリーン部材４０２Ｌ、４０２Ｒ）よりも奥側に位置して遊技機の前方からは視認できないが、上記第２の開閉扉が可動演出画像表示装置６０の左右に移動すると、図４３に示されるように、演出装置（例えば、中央演出部材５０２）が奥側から前方に進出して上記演出装置が視認可能な状態となる。このような、開閉扉、第２の開閉扉および演出装置の移動態様によって、遊技者に対して、新たな演出動作態様を提供することが可能となる。また、上記第２の開閉扉の前面には、所定の演出画像を表示可能な液晶表示部が備えられてので、当該を第２の開閉扉の動作態様と併せて新たな視覚的効果を付加することが可能となる。
【０２９０】
［付記１−６］
（１）本発明に係る遊技機は、遊技者が視認可能な所定の演出を実行可能な演出装置（例えば、中央演出部材５０２および／または引き戸スクリーン部材４０２Ｌ、４０２Ｒ）と、前記演出装置の前方に設けられ、遊技者が前記演出装置を視認困難な第１の位置（例えば、折り戸スクリーン部材の展開位置）と視認容易な第２の位置（例えば、折り戸スクリーン部材の折り畳み位置）との間を移動可能な開閉扉（例えば、折り戸スクリーン部材）と、少なくとも前記開閉扉を移動制御可能な移動制御手段（例えば、スクリーン駆動機構７０）と、前記演出装置および前記開閉扉に対し演出画像を投影可能な投影手段（例えば、投影装置６００）と、複数の図柄を変動表示可能な変動表示装置（例えば、演出画像表示装置５）と、を備えた遊技機（例えば、パチンコ遊技機１）であって、前記開閉扉は、第１の部材（例えば、折り戸スクリーン部材３０２Ｌ、３０２Ｒ）および該第１の部材に隣接する第２の部材（例えば、折り戸スクリーン部材３０３Ｌ、３０３Ｒ）とを含む複数の部材と、前記複数の部材を接続する接続部（例えば、上部接続部３１００Ｌ、３１００Ｒと下部接合部３２００Ｌ、３２００Ｒ）と、を有し、前記移動制御手段により前記開閉扉が前記第２の位置に移動した場合には折畳状態となるとともに、前記第１の位置に移動した場合には前記複数の部材が展開することで前記演出装置の少なくとも一部を隠蔽可能な略平板形状となり、前記開閉扉が折畳状態となるときは、前記複数の部材のうち、前記開閉扉の一方の端部を構成する部材（例えば、折り戸スクリーン部材３０３Ｌ、３０３Ｒ）が前記演出装置よりも奥側に位置するように移動可能に構成されてなり、前記変動表示装置は、前記演出装置または前記開閉扉に対して前記投影手段による複数の図柄の変動表示が少なくとも行われていない場合に、複数の図柄を変動表示可能であることを特徴とする。
【０２９１】
上記（１）の遊技機によれば、従来、開閉扉が折り畳まれる際、図４５（ｂ）に示されるように、開閉扉の接続部が前方に突出していたため、遊技機の前後方向において大きなスペースが必要であったが、開閉扉（例えば、折り戸スクリーン部材）が折り畳まれる際、当該開閉扉を構成する複数の部材（例えば、折り戸スクリーン部材３０２Ｌ、３０３Ｌ、３０２Ｒ、３０３Ｒ）のうち、当該開閉扉の一方の端部を構成する部材（例えば、折り戸スクリーン部材３０３Ｌ、３０３Ｒ）が、例えば図４６（ｂ）に示されるように、演出装置（中央演出部材５０２および／または引き戸スクリーン部材４０２Ｌ、４０２Ｒ）よりも奥側に移動するように構成されているため、比較的に横幅の広い折り戸スクリーン部材を接続した開閉扉であっても、上記演出装置前方の狭いスペースにおいて、開閉扉を折り畳みまたは展開することが可能となる。またこれにより、可動演出画像表示装置６０自体の小型化が可能となる。
【０２９２】
さらに、上記演出装置および上記開閉扉に対して演出画像を投影可能な上記投影手段とは別に、複数の図柄を変動表示可能な変動表示装置（例えば、演出画像表示装置５）が設けられており、例えば、上記開閉扉に投影される演出画像において、図柄の変動表示画像を中断して他の演出画像を表示することとなった場合、代替手段として、上記変動表示装置で引き続き図柄の変動表示画像が表示される。このような構成により、遊技者は常に図柄の変動態様を視認して把握することが可能となる。
【０２９３】
［付記１−７］
（１）本発明に係る遊技機は、遊技者が視認可能な所定の演出を実行可能な演出装置（例えば、中央演出部材５０２）と、前記演出装置の前方に設けられ、遊技者が前記演出装置を視認困難な第１の位置（例えば、折り戸スクリーン部材の展開位置）と視認容易な第２の位置（例えば、折り戸スクリーン部材の折り畳み位置）との間を移動可能な開閉扉（例えば、折り戸スクリーン部材３０２Ｌ、３０３Ｌ、３０２Ｒ、３０３Ｒ）と、前記開閉扉を移動制御可能な移動制御手段（例えば、折り戸スクリーン部材の駆動機構３００）と、を備えた遊技機（例えば、パチンコ遊技機１）であって、前記開閉扉は、第１の部材（例えば、折り戸スクリーン部材３０２Ｌ、３０２Ｒ）および該第１の部材に隣接する第２の部材（例えば、折り戸スクリーン部材３０３Ｌ、３０３Ｒ）とを含む複数の部材と、前記複数の部材を接続する接続部（例えば、上部接続部３１００Ｌ、３１００Ｒと下部接合部３２００Ｌ、３２００７Ｒ）と、を有するとともに、前記第２の位置に移動した場合には折畳状態となり、前記第１の位置に移動した場合には前記複数の部材が展開することで前記演出装置を隠蔽可能な略平板形状となり、前記接続部は、前記第１の部材の端部（例えば、端部３０６０Ｌ、３０６０Ｒ）と前記第２の部材の端部（例えば、端部３０７０Ｌ、３０７０Ｒ）とを接続し、前記第１の部材における前記接続部と接続していない端部（例えば、端部３０５０Ｌ、３０５０Ｒ）に設けられた第１の受部（例えば、摺動受け部３０６Ｌ、３０６Ｒ）と、前記第１の受部と当接し前記第１の部材の移動を案内する第１の案内部（例えば、第１案内溝３２３Ｌ、３２３Ｒ）と、前記第２部材における前記接続部と接続していない端部（例えば、端部３０８０Ｌ、３０８０Ｒ）に設けられた第２の受部（例えば、摺動受け部３０４Ｌ、３０４Ｒ）と、前記第２の受部と当接し前記第２の部材の移動を案内する第２の案内部（例えば、第２案内溝３２２Ｌ、３２２Ｒ）と、前記接続部に設けられた第３の受部（例えば、摺動受け部３０５Ｌ、３０５Ｒ）と、前記第３の受部と当接し前記接続部の移動を案内する第３の案内部（例えば、第３案内溝３２１Ｌ、３２１Ｒ）と、を備え、前記第１の案内部は上円弧状の案内経路にて形成され、前記第２の案内部は下円弧状の案内経路にて形成され、前記第１の案内部および前記第２の案内部は、前記第１の案内部における上円弧の内周側と、前記第２の案内部における下円弧の内周側とが対向するように設けられていることを特徴とする。
【０２９４】
上記（１）の遊技機によれば、開閉扉（例えば、折り戸スクリーン部材３０２Ｌ、３０３Ｌ、３０２Ｒ、３０３Ｒ）に設けられた各受部（例えば、摺動受け部３０４Ｌ、３０４Ｒ、３０６Ｌ、３０６Ｒ）をそれぞれ折り畳み方向又は展開方向に案内する案内溝が、上円弧状の案内溝（例えば、第１案内溝３２３Ｌ、３２３Ｒ）と、下円弧状の案内溝（例えば、第２案内溝３２２Ｌ、３２２Ｒ）とで形成されている。そして、図２９に示されるような態様で、上円弧の案内溝の内周側と、下円弧の案内溝の内周側とを対向するように配置するとともに、上記各案内溝が互いに干渉することなく、一部並行に近接して前後方向に配置することにより、開閉扉の前後方向の可動スペースを小さくすることが可能となる。
【０２９５】
（２）上記（１）に記載の遊技機において、前記移動制御手段は、前記接続部に対し駆動力を伝達することで、前記開閉扉を移動制御することを特徴とする。
【０２９６】
上記（２）の遊技機によれば、上記開閉扉（例えば、折り戸スクリーン部材３０２Ｌ、３０３Ｌ、３０２Ｒ、３０３Ｒ）の接続部（例えば、上部接続部３１００Ｌ、３１００Ｒ）に、駆動モータ（例えば、折り戸用モータ３０１Ａ、３０１Ｂ）の駆動力を伝達して上記接続部を移動させることにより、上記開閉扉に設けられた上記各受部を、それぞれ折り畳み方向又は展開方向に案内させることが可能となる。
【０２９７】
［付記１−８］
（１）本発明に係る遊技機は、可動体（例えば、折り戸スクリーン部材３０２Ｌ、３０３Ｌ、３０２Ｒ、３０３Ｒ）と、前記可動体を駆動する駆動部（例えば、折り戸用モータ３０１Ａ、３０１Ｂ）を含む移動制御手段（例えば、折り戸スクリーン部材の駆動機構３００）と、を備えた遊技機であって、前記可動体に設けられた第１の受部（例えば、摺動受け部３０６Ｌ、３０６Ｒ）と、前記第１の受部と当接し前記可動体の移動を案内する第１の案内部（例えば、第１案内溝３２３Ｌ、３２３Ｒ）が形成された第１のベース部（例えば、折り戸スクリーン案内ベース部材３２０）と、前記駆動部に設けられた第２の受部（例えば、モータ摺動ブッシュ３１６Ａ、３１６Ｂ）と、前記第２の受部とが当接し前記駆動部の移動を案内する第２の案内部（例えば、駆動モータ案内溝３１４Ｌ、３１４Ｒ）が形成された第２のベース部（例えば、駆動部案内ベース部材３１０）と、を備え、前記第１のベース部と前記第２のベース部とは、前記第１のベース部の上に前記第２のベース部が配置される積層構造となっており、前記第１の案内部は、前記第１のベース部に形成された第１の開口部により形成され、前記第２の案内部は、前記第２のベース部に形成された第２の開口部により形成され、前記第１の受部を前記第１の開口部に保持する第１の保持手段（例えば、ビス３０６１Ｌ、３０６１Ｒ）を備え、前記第１の開口部と前記第２の開口部とは、互いの開口部の少なくとも一部が重層しており、前記第１の開口部と前記第２の開口部とが重層している部分において、前記第２の開口部を介して前記第１の保持手段を操作可能であることを特徴とする。
【０２９８】
上記（１）の遊技機によれば、可動体（例えば、折り戸スクリーン部材３０２Ｌ、３０３Ｌ、３０２Ｒ、３０３Ｒ）の第１の受部（例えば、摺動受け部３０６Ｌ、３０６Ｒ）を案内する第１の案内部（例えば、第１案内溝３２３Ｌ、３２３Ｒ）が形成された第１のベース部（例えば、折り戸スクリーン案内ベース部材３２０）と、駆動部（例えば、折り戸用モータ３０１Ａ、３０１Ｂ）を案内する第２の案内部（例えば、駆動モータ案内溝３１４Ｌ、３１４Ｒ）が形成された第２のベース部（例えば、駆動部案内ベース部材３１０）とを積層した本発明においては、上記第１の案内部と上記第２の案内部とを互いに一部重層するように構成しているため、積層されている上記第１のベース部と上記第２のベース部とを分解することなく、上記重層した箇所の上記第２の案内部の開口を介して、上記第１の受部（例えば、摺動受け部３０６Ｌ、３０６Ｒ）の第１の保持手段（例えば、ビス３０６１Ｌ、３０６１Ｒ）を緩めて上記可動体を交換したり、メンテナンスの際に上記第１の保持手段を締付けたりすることが可能となる。
【０２９９】
（２）上記（１）に記載の遊技機において、前記可動体にはさらに第３の受部（例えば、摺動受け部３０４Ｌ、３０４Ｒ）が設けられ、前記第３の受部と当接し前記可動体の移動を案内する第３の案内部（例えば、第２案内溝３２２Ｌ、３２２Ｒ）が形成された前記第１のベース部を備え、前記第３の案内部は、前記第１のベース部に形成された第３の開口部により形成され、前記第３の受部を前記第３の開口部に保持する第３の保持手段（例えば、ビス３０４１Ｌ、３０４１Ｒ）を備え、前記第３の開口部と前記第２の開口部とは、互いの開口部の少なくとも一部が重層しており、前記第３の開口部と前記第２の開口部とが重層している部分において、前記第２の開口部を介して前記第３の保持手段を操作可能であることを特徴とする。
【０３００】
上記（２）の遊技機によれば、さらに、上記第２の案内部（例えば、駆動モータ案内溝３１４Ｌ、３１４Ｒ）と上記第３の案内部（例えば、第２案内溝３２２Ｌ、３２２Ｒ）とを互いに一部重層するように構成しているため、積層されている上記第１のベース部（例えば、折り戸スクリーン案内ベース部材３２０）と上記第２のベース部（例えば、駆動部案内ベース部材３１０）とを分解することなく、上記重層した箇所の上記第２の案内部の開口を介して、上記第３の受部（例えば、摺動受け部３０４Ｌ、３０４Ｒ）の第３の保持手段（例えば、ビス３０４１Ｌ、３０４１Ｒ）を緩めて上記可動体を交換したり、メンテナンスの際に上記第３の保持手段を締付けたりすることが可能となる。
【０３０１】
［付記１−９］
（１）本発明に係る遊技機は、遊技に関する演出動作を実行可能な複数の可動体と、前記複数の可動体を移動制御可能な移動制御手段と、前記複数の可動体に対し演出画像を投影可能な投影手段（例えば、投影装置６００）と、を備えた遊技機であって、前記複数の可動体は、第１の位置（後方退避位置）から該第１の位置とは異なる第２の位置（前方進出位置）に移動可能な第１の可動体（例えば、中央演出部材５０２）と、少なくとも一部が所定の面部で形成され、前記第１の可動体を覆う第３の位置（例えば、引き戸スクリーン部材４０２Ｌ、４０２Ｒが可動演出画像表示装置６０中心で接合している位置）と前記第１の可動体を覆わない第４の位置（例えば、図４２に示される、各引き戸スクリーン部材４０２Ｌ、４０２Ｒの間に中央演出部材５０２挟まれる位置）との間を移動可能な第２の可動体（例えば、引き戸スクリーン部材４０２Ｌ、４０２Ｒ）と、を含み、前記第１の可動体には、前記第２の位置に移動された場合に、前記第２の可動体に形成された所定の面部と略面一となる特定の面部が形成されており、前記移動制御手段は、前記第２の可動体を、一旦前記第４の位置の近傍（図４１に示される位置）まで移動制御するとともに、前記第１の可動体を前記第２の位置に移動制御し、その後、前記第２の可動体を、前記第４の位置まで所定量（図４１に示されるＷ）移動制御可能であることを特徴とする。
【０３０２】
上記（１）の遊技機によれば、第１の可動体（例えば、中央演出部材５０２）と第２の可動体（例えば、引き戸スクリーン部材４０２Ｌ、４０２Ｒ）とによって略面一となる投影面を形成する場合、上記第１の可動体（例えば、中央演出部材５０２）から所定量（図４１に示されるＷ）離隔した位置に上記第２の可動体一旦移動し、上記第１の可動体が上記第２の可動体と略面一となる投影面を形成する位置まで移動した後、上記第２の可動体を前記所定量（図４１に示されるＷ）、上記第１の可動体側に移動させることにより、上記第１の可動体と上記第２の可動体との間で隙間の少ない、略面一となる投影面が形成可能に構成されている。このような構成により、上記第１の可動体と上記第２の可動体とで平滑な投影面が形成されるとともに、上記第１の可動体が移動する際に、上記第２の可動体と互いに干渉してしまう不具合を未然に防止することが可能となる。
【０３０３】
（２）上記（１）に記載の遊技機において、前記第１の可動体（例えば、中央演出部材５０２）の特定の面部（例えば、中央演出部材５０２の前面）は、当該第１の可動体の両側面と前記第２の可動体（例えば、引き戸スクリーン部材４０２Ｌ、４０２Ｒ）の一側面とが近接することにより当該第２の可動体に形成された所定の面部（例えば、引き戸スクリーン部材４０２Ｌ、４０２Ｒの前面）と略面一となるものであり、前記第１の可動体の両側面には、前記第４の位置の近傍（図４１に示される状態）から前記第４の位置（例えば、図４２に示される、各引き戸スクリーン部材４０２Ｌ、４０２Ｒの間に中央演出部材５０２挟まれる位置）にわたり、前記第２の可動体の厚さと略同一の段差部（例えば、段差部５０２１）を有することを特徴とする。
【０３０４】
上記（２）の遊技機によれば、第２の可動体（例えば、引き戸スクリーン部材４０２Ｌ、４０２Ｒ）と近接する第１の可動体（例えば、中央演出部材５０２）の両側面には、所定量の幅を有する上記第２の可動体の厚さと略同一の段差部（例えば、段差部５０２１）が備えられているので、例えば、上記第１の可動体と上記第２の可動体との間の隙間から、各可動体の後方に配置されている駆動機構等が遊技者から見えてしまうような不具合や、各可動体の後方に投影画像が投影されてしまうような不具合を未然に防止することが可能となる。
【０３０５】
［付記１−１０］
（１）本発明に係る遊技機は、遊技に関する演出動作を実行可能な複数の可動体と、前記複数の可動体を移動制御可能な移動制御手段と、前記複数の可動体に対し演出画像を投影可能な投影手段（例えば、投影装置６００）と、を備えた遊技機であって、前記複数の可動体は、第１の位置（後方退避位置）から該第１の位置とは異なる第２の位置（前方進出位置）に移動可能な第１の可動体（例えば、中央演出部材５０２）と、少なくとも一部が所定の面部で形成され、前記第１の可動体を覆う第３の位置（例えば、引き戸スクリーン部材４０２Ｌ、４０２Ｒが可動演出画像表示装置６０中心で接合している位置）と前記第１の可動体を覆わない第４の位置（例えば、図４２に示される、各引き戸スクリーン部材４０２Ｌ、４０２Ｒの間に中央演出部材５０２挟まれる位置）との間を移動可能な第２の可動体（例えば、引き戸スクリーン部材４０２Ｌ、４０２Ｒ）と、を含み、前記第１の可動体には、前記第２の位置に移動された場合に、前記第２の可動体に形成された所定の面部と略面一となる特定の面部が形成されており、前記移動制御手段は、前記第２の可動体を、一旦前記第４の位置の近傍（図４１に示される位置）まで移動制御するとともに、前記第１の可動体を前記第２の位置に移動制御し、その後、前記第２の可動体を、前記第４の位置まで所定量（図４１に示されるＷ）移動制御可能であり、さらに、前記第１の可動体の特定の面部および／または前記第２の可動体の所定の面部は、所定のキャラクタ形状を模した立体的凹凸面を有することを特徴とする。
【０３０６】
上記（１）の遊技機によれば、第１の可動体（例えば、中央演出部材５０２）と第２の可動体（例えば、引き戸スクリーン部材４０２Ｌ、４０２Ｒ）とによって略面一となる投影面を形成する場合、上記第１の可動体（例えば、中央演出部材５０２）から所定量（図４１に示されるＷ）離隔した位置に上記第２の可動体一旦移動し、上記第１の可動体が上記第２の可動体と略面一となる投影面を形成する位置まで移動した後、上記第２の可動体を前記所定量（図４１に示されるＷ）、上記第１の可動体側に移動させることにより、上記第１の可動体と上記第２の可動体との間で隙間の少ない、略面一となる投影面が形成可能に構成されている。このような構成により、上記第１の可動体と上記第２の可動体とで平滑な投影面が形成されるとともに、上記第１の可動体が移動する際に、上記第２の可動体と互いに干渉してしまう不具合を未然に防止することが可能となる。さらに、上記第１の可動体の特定の面部と上記第２の可動体の所定の面部とのうち、少なくともいずれか一方の面部には、所定のキャラクタ形状を模した立体的凹凸面が形成されており、当該立体的凹凸面形状に応じた投影画像を投影することにより、遊技者に対して立体的な映像演出を提供することが可能となる。
【０３０７】
（２）上記（１）に記載の遊技機において、前記第１の可動体（例えば、中央演出部材５０２）の特定の面部（例えば、中央演出部材５０２の前面）は、当該第１の可動体の両側面と前記第２の可動体（例えば、引き戸スクリーン部材４０２Ｌ、４０２Ｒ）の一側面とが近接することにより当該第２の可動体に形成された所定の面部（例えば、引き戸スクリーン部材４０２Ｌ、４０２Ｒの前面）と略面一となるものであり、前記第１の可動体の両側面には、前記第４の位置の近傍（図４１に示される状態）から前記第４の位置（例えば、図４２に示される、各引き戸スクリーン部材４０２Ｌ、４０２Ｒの間に中央演出部材５０２挟まれる位置）にわたり、前記第２の可動体の厚さと略同一の段差部（例えば、段差部５０２１）を有することを特徴とする。
【０３０８】
上記（２）の遊技機によれば、第２の可動体（例えば、引き戸スクリーン部材４０２Ｌ、４０２Ｒ）と近接する第１の可動体（例えば、中央演出部材５０２）の両側面には、所定量の幅を有する上記第２の可動体の厚さと略同一の段差部（例えば、段差部５０２１）が備えられているので、例えば、上記第１の可動体と上記第２の可動体との間の隙間から、各可動体の後方に配置されている駆動機構等が遊技者から見えてしまうような不具合や、各可動体の後方に投影画像が投影されてしまうような不具合を未然に防止することが可能となる。
【０３０９】
［付記１−１１］
（１）本発明に係る遊技機は、遊技に関する演出動作を実行可能な複数の可動体と、前記複数の可動体を移動制御可能な移動制御手段と、前記複数の可動体に対し演出画像を投影可能な投影手段（例えば、投影装置６００）と、を備えた遊技機であって、前記複数の可動体は、第１の位置（後方退避位置）から該第１の位置とは異なる第２の位置（前方進出位置）に移動可能な第１の可動体（例えば、中央演出部材５０２）と、少なくとも一部が所定の面部で形成され、前記第１の可動体を覆う第３の位置（例えば、引き戸スクリーン部材４０２Ｌ、４０２Ｒが可動演出画像表示装置６０中心で接合している位置）と前記第１の可動体を覆わない第４の位置（例えば、図４２に示される、各引き戸スクリーン部材４０２Ｌ、４０２Ｒの間に中央演出部材５０２挟まれる位置）との間を移動可能な第２の可動体（例えば、引き戸スクリーン部材４０２Ｌ、４０２Ｒ）と、を含み、前記第１の可動体には、前記第２の位置に移動された場合に、前記第２の可動体に形成された所定の面部と略面一となる特定の面部が形成されており、前記移動制御手段は、前記第２の可動体を、一旦前記第４の位置の近傍（図４１に示される位置）まで移動制御するとともに、前記第１の可動体を前記第２の位置に移動制御し、その後、前記第２の可動体を、前記第４の位置まで所定量（図４１に示されるＷ）移動制御可能であり、さらに、前記第１の可動体の特定の面部および前記第２の可動体の所定の面部は、それぞれ異なる所定のキャラクタ形状を模した立体的凹凸面を有するとともに、当該第１の可動体が前記第２の位置に移動されて当該第２の可動体の所定の面部と略面一となることで、当該第１の可動体の特定の面部が有する立体的凹凸面と当該第２の可動体の所定の面部が有する立体的凹凸面とで別の一つのキャラクタ形状を形成することを特徴とする。
【０３１０】
上記（１）の遊技機によれば、第１の可動体（例えば、中央演出部材５０２）と第２の可動体（例えば、引き戸スクリーン部材４０２Ｌ、４０２Ｒ）とによって略面一となる投影面を形成する場合、上記第１の可動体（例えば、中央演出部材５０２）から所定量（図４１に示されるＷ）離隔した位置に上記第２の可動体一旦移動し、上記第１の可動体が上記第２の可動体と略面一となる投影面を形成する位置まで移動した後、上記第２の可動体を前記所定量（図４１に示されるＷ）、上記第１の可動体側に移動させることにより、上記第１の可動体と上記第２の可動体との間で隙間の少ない、略面一となる投影面が形成可能に構成されている。このような構成により、上記第１の可動体と上記第２の可動体とで平滑な投影面が形成されるとともに、上記第１の可動体が移動する際に、上記第２の可動体と互いに干渉してしまう不具合を未然に防止することが可能となる。さらに、上記第１の可動体の特定の面部および上記第２の可動体の所定の面部は、それぞれ異なる所定のキャラクタ形状を模した立体的凹凸面を有しており、当該第１の可動体が前記第２の位置に移動されて当該第２の可動体の所定の面部と略面一となった場合、例えば、図４７の（ｂ）に示されているように、中央演出部材５０２に形成された山の一部を模した立体的凹凸面と、引き戸スクリーン部材４０２に形成された山の一部を模した立体的凹凸面とで、別の一つの山の形状が構成されるようにすることが可能である。このような構成により、立体的凹凸面形状に応じた投影画像を投影することにより、遊技者に対して意外性のある立体的な映像演出を提供することが可能となるとともに、各可動体の移動態様に応じて異なるキャラクタによる演出が可能となる。
【０３１１】
（２）上記（１）に記載の遊技機において、前記第１の可動体（例えば、中央演出部材５０２）の特定の面部（例えば、中央演出部材５０２の前面）は、当該第１の可動体の両側面と前記第２の可動体（例えば、引き戸スクリーン部材４０２Ｌ、４０２Ｒ）の一側面とが近接することにより当該第２の可動体に形成された所定の面部（例えば、引き戸スクリーン部材４０２Ｌ、４０２Ｒの前面）と略面一となるものであり、前記第１の可動体の両側面には、前記第４の位置の近傍（図４１に示される状態）から前記第４の位置（例えば、図４２に示される、各引き戸スクリーン部材４０２Ｌ、４０２Ｒの間に中央演出部材５０２挟まれる位置）にわたり、前記第２の可動体の厚さと略同一の段差部（例えば、段差部５０２１）を有することを特徴とする。
【０３１２】
上記（２）の遊技機によれば、第２の可動体（例えば、引き戸スクリーン部材４０２Ｌ、４０２Ｒ）と近接する第１の可動体（例えば、中央演出部材５０２）の両側面には、所定量の幅を有する上記第２の可動体の厚さと略同一の段差部（例えば、段差部５０２１）が備えられているので、例えば、上記第１の可動体と上記第２の可動体との間の隙間から、各可動体の後方に配置されている駆動機構等が遊技者から見えてしまうような不具合や、各可動体の後方に投影画像が投影されてしまうような不具合を未然に防止することが可能となる。
【０３１３】
［付記１−１２］
（１）本発明に係る遊技機は、遊技者が視認可能な所定の演出を実行可能な演出装置（例えば、中央演出部材５０２、引き戸スクリーン部材４０２Ｌ、４０２Ｒ）と、非透過性部材で形成された前方装飾部（例えば、飾り枠２ｂ）と、前記演出装置の前方でありかつ前記前方装飾部の後方に配置され、遊技者が前記演出装置を視認困難な第１の位置（例えば、折り戸スクリーン部材の展開位置）と視認容易な第２の位置（例えば、折り戸スクリーン部材の折り畳み位置）との間を移動可能な可動体（例えば、折り戸スクリーン部材３０２Ｌ、３０３Ｌ、３０２Ｒ、３０３Ｒ）と、前記可動体を移動制御可能な移動制御手段（例えば、折り戸スクリーン部材の駆動機構３００）と、前記可動体に対し演出画像を投影可能な投影手段（例えば、投影装置６００）と、を備えた遊技機であって、前記可動体は、複数の部材（例えば、折り戸スクリーン部材３０２Ｌ、３０３Ｌ、３０２Ｒ、３０３Ｒ）と、前記複数の部材を前記複数の部材の背面側で接続する接続部（例えば、上部接続部３１００Ｌ、３１００Ｒ、下部接合部３２００Ｌ、３２００Ｒ）と、を含み、前記複数の部材は、前記第１の位置に向かう移動では、前記複数の部材が互いに接触又は近接して前記接続部を覆うように移動可能であり、前記第２の位置に向かう移動では、前記複数の部材の隣接しない端部（例えば、端部３０８０Ｌ、３０８０Ｒ、３０５０Ｌ、３０５０Ｒ）が後方に移動可能であり、前記接続部が前面側から見て露出するように移動可能であり、前記前方装飾部は、前記可動体が前記第２の位置に移動された場合に、前記接続部の露出部分の前方に位置するように配置されていることを特徴とする。
【０３１４】
上記（１）の遊技機によれば、演出装置（例えば、中央演出部材５０２、引き戸スクリーン部材４０２Ｌ、４０２Ｒ）の前方で移動する可動体（例えば、折り戸スクリーン部材３０２Ｌ、３０３Ｌ、３０２Ｒ、３０３Ｒ）が折り畳まれるとき、当該可動体を構成する複数の部材（例えば、折り戸スクリーン部材３０２Ｌ、３０３Ｌ、３０２Ｒ、３０３Ｒ）の接続部（例えば、上部接続部３１００Ｌ、３１００Ｒ、下部接合部３２００Ｌ、３２００Ｒ）が、例えば図２３に示されるように遊技者側から見えてしまう。そこで、本発明では、非透過性部材で形成された前方装飾部（例えば、飾り枠２ｂ）を、図５に示されるように上記接続部の前面を覆うように配置することによって当該接続部が遊技者に視認されないように構成し、美観性を損なうことを防いでいる。
【０３１５】
（２）上記（１）に記載の遊技機において、前記可動体（例えば、折り戸スクリーン部材３０２Ｌ、３０３Ｌ、３０２Ｒ、３０３Ｒ）は、前記第２の位置（例えば、折り戸スクリーン部材の折り畳み位置）に移動された場合に、隣接する複数の部材のうち一の部材（例えば、折り戸スクリーン部材３０２Ｌ、３０２Ｒ）が遊技機の奥行き方向に傾斜面を形成し、前記投影手段（例えば、投影装置６００）は、前記演出画像を、前記傾斜面の少なくとも一部を含む領域に投影可能であることを特徴とする。
【０３１６】
上記（２）の遊技機によれば、可動体（例えば、折り戸スクリーン部材３０２Ｌ、３０３Ｌ、３０２Ｒ、３０３Ｒ）は、前記第２の位置（例えば、折り戸スクリーン部材の折り畳み位置）に移動されたときに、図５に示されるように上記可動体の一部（例えば、折り戸スクリーン部材３０２Ｌ、３０２Ｒ）が遊技機の奥行き方向に傾斜面を有して視認されるように構成されており、本発明ではその傾斜面の少なくとも一部に前記投影手段（例えば、投影装置６００）からの投影画像を投影しているため、上記可動体の後方に位置する演出装置（例えば、中央演出部材５０２、引き戸スクリーン部材４０２Ｌ、４０２Ｒ）で投影される投影画像と併せて、奥行き方向に立体感のある演出が可能となる。
【０３１７】
［付記２−１］
従来、遊技機において、発射された遊技球が転動可能な遊技領域に設けられた始動領域を遊技球が通過したことなど、所定の可変表示開始条件の成立により、可変表示装置の表示領域上に識別情報を変動表示する制御を行い、変動表示が行われている識別情報を導出表示する制御を行う可変表示制御手段が備えられ、導出表示された識別情報が所定の組合せ（特定の表示態様）となった場合に遊技者に有利な大当り遊技状態（所謂「大当り」）に移行するようにしたものが提供されている。
【０３１８】
また、従来、プロジェクタからの投射映像をスクリーンに投影して演出画像を表示するゲーム機が提案されており、例えば特許文献１（特開平６−０３５０６６号公報）には、ゲーム機内に配置されたプロジェクタからの投射光を、反射鏡で反射し、ゲーム機内に設置されたスクリーンに演出画像を映し出す構成が開示されている。（特に、図１等参照）
【０３１９】
さらに、特許文献２（特開２００７−２８６０８９号公報）には、立体的に人の顔を模した光透過型のスクリーンに対し、後方に設けられたプロジェクタユニットよって画像を投影し、人の顔の起伏を立体的に映し出して、投影画像に視覚的な効果を付加しようとした遊技機が開示されている。（特に、図３等参照）
【０３２０】
上記特許文献１（特開平６−０３５０６６号公報）に記載されているような、従来の表示方法では、平面的な演出画像しか表示することができず、多様な演出を期待する遊技者にとっては、臨場感といった点で物足りなさを感じる場合がある。
【０３２１】
また、上記特許文献２（特開２００７−２８６０８９号公報）に記載されているような、立体的に人の顔を模した光透過型スクリーンによる表示方法では、光透過型スクリーンの透過率による影響や、光透過型スクリーンへの光の進入角度（屈折）の影響などにより、鮮明な演出画像を映し出すことが難しい。さらに、上記立体的に人の顔を模した光透過型スクリーンは、人の顔を模した立体形状部を一つしか備えておらず、そこに複数種類の演出画像を投影したとしても、その種類は自ずと限られてくるため、遊技者が演出画像に飽きてしまう場合がある。
【０３２２】
そこで本発明は、上述したような種々の課題に鑑みてなされたものであり、遊技者の興趣を向上するとともに、遊技者のニーズに応じた多種多様な演出表示を行い得る遊技機を提供することを目的とする。
【０３２３】
（１）演出画像を投影可能な投影手段（投影装置６００）と、前記投影手段から照射される画像を投影する投影部（弾性可動スクリーン部材３２０）と、を備える遊技機であって、立体形状部を有する可動体（角形可動部材４２０、円形可動部材５２０）と、前記可動体および前記投影部のうち少なくともいずれか一方を移動可能な移動制御手段と、を備え、前記投影部は、少なくとも一部が非透過性の弾性部材で形成されるスクリーン部（弾性スクリーンシート３２２）を含み、前記移動制御手段は、前記可動体の前記立体形状部と前記スクリーン部とが接触しない非接触態様（図６１に示されるように、弾性スクリーンシート３２２が前方にある位置）と、前記可動体の前記立体形状部と前記スクリーン部の背面とが接触する接触態様（図６２に示されるように、弾性スクリーンシート３２２が後方にある位置）とのいずれかとなるように移動制御可能であり、前記スクリーン部は、前記可動体の前記立体形状部が当該スクリーン部の背面に対し圧接されることで、当該スクリーン部の少なくとも一部が当該立体形状部の形状に応じて弾性変形（膨出部の形成）し、前記投影手段は、前記スクリーン部における前記弾性変形した領域の少なくとも一部に所定の演出画像（図７４、図７７、図７８等に示されるキャラクタの投影態様）を投影可能であることを特徴とする。
【０３２４】
上記（１）の遊技機によれば、一定の形状を維持したまま変形することのない従来の投影スクリーンに対し、本発明では、投影手段（投影装置６００）から投影されるスクリーン部（弾性スクリーンシート３２２）を弾性変形するように構成し、立体形状部を備える可動体（角形可動部材４２０、円形可動部材５２０）を、上記スクリーン部の背面に対して圧接させることで、上記可動体の立体形状部に合わせて上記スクリーン部を弾性変形させ、当該弾性変形した領域に応じた演出画像を投影することが可能となる。このような構成により、多種多様な立体的な演出画像を表示することが可能となり、従来にはない立体感と臨場感のある演出が可能となる。
【０３２５】
［付記２−２］
（１）演出画像を投影可能な投影手段（投影装置６００）と、前記投影手段から照射される画像を投影する投影部（弾性可動スクリーン部材３２０）と、を備える遊技機であって、立体形状部を有する可動体（角形可動部材４２０、円形可動部材５２０）と、前記可動体および前記投影部のうち少なくともいずれか一方を移動可能な移動制御手段と、を備え、前記投影部は、少なくとも一部が非透過性の弾性部材で形成されるスクリーン部（弾性スクリーンシート３２２）を含み、前記移動制御手段は、前記スクリーン部の背面側において前記可動体を移動制御可能であり、さらに、前記可動体の前記立体形状部と前記スクリーン部とが接触しない非接触態様（図６１に示されるように、弾性スクリーンシート３２２が前方にある位置）と、前記可動体の前記立体形状部と前記スクリーン部の背面とが接触する接触態様（図６２に示されるように、弾性スクリーンシート３２２が後方にある位置）とのいずれかとなるように前記スクリーン部を移動制御可能であり、前記スクリーン部は、前記可動体の前記立体形状部が当該スクリーン部の背面に対し圧接されることで、当該スクリーン部の少なくとも一部が当該立体形状部の形状に応じて弾性変形（膨出部の形成）し、前記投影手段は、前記スクリーン部における前記弾性変形した領域の少なくとも一部に所定の演出画像（図７４、図７７、図７８等に示されるキャラクタの投影態様）を投影可能であることを特徴とする。
【０３２６】
上記（１）の遊技機によれば、一定の形状を維持したまま変形することのない従来の投影スクリーンに対し、本発明では、投影手段（投影装置６００）から投影されるスクリーン部（弾性スクリーンシート３２２）が弾性変形するように構成され、立体形状部を備える可動体（角形可動部材４２０、円形可動部材５２０）を、上記スクリーン部の背面側において移動させて当該可動体に対して当該スクリーン部を圧接し、上記可動体の立体形状部に合わせて上記スクリーン部を弾性変形させることにより、当該弾性変形した領域に応じた演出画像を投影することが可能となる。このような構成により、多種多様な立体的な演出画像を表示することが可能となり、従来にはない立体感と臨場感のある演出が可能となる。
【０３２７】
［付記２−３］
（１）演出画像を投影可能な投影手段（投影装置６００）と、前記投影手段から照射される画像を投影する投影部（弾性可動スクリーン部材３２０）と、を備える遊技機であって、立体形状部を有する可動体（角形可動部材４２０、円形可動部材５２０）と、前記可動体および前記投影部のうち少なくともいずれか一方を移動可能な移動制御手段と、を備え、前記投影部は、少なくとも一部が非透過性の弾性部材で形成されるスクリーン部（弾性スクリーンシート３２２）を含み、前記移動制御手段は、前記可動体の前記立体形状部と前記スクリーン部とが接触しない非接触態様（図６１に示されるように、弾性スクリーンシート３２２が前方にある位置）と、前記可動体の前記立体形状部と前記スクリーン部の背面とが接触する接触態様（図６２に示されるように、弾性スクリーンシート３２２が後方にある位置）とのいずれかとなるように前記スクリーン部を移動制御可能であるとともに、前記可動体の前記立体形状部と前記スクリーン部の背面とが接触した状態において前記可動体を移動制御可能であり、前記スクリーン部は、前記可動体の前記立体形状部が当該スクリーン部の背面に対し圧接されることで、当該スクリーン部の少なくとも一部が当該立体形状部の形状に応じて弾性変形（膨出部の形成）し、前記投影手段は、前記スクリーン部における前記弾性変形した領域の少なくとも一部に所定の演出画像（図７４、図７７、図７８等に示されるキャラクタの投影態様）を投影可能であることを特徴とする。
【０３２８】
上記（１）の遊技機によれば、一定の形状を維持したまま変形することのない従来の投影スクリーンに対し、本発明では、投影手段（投影装置６００）から投影されるスクリーン部（弾性スクリーンシート３２２）を弾性変形するように構成し、立体形状部を備える可動体（角形可動部材４２０、円形可動部材５２０）に対して当該スクリーン部を圧接している。さらに、上記可動体と上記スクリーン部とが圧接した状態で、当該可動体を当該スクリーン部の背面側において移動させて、当該スクリーン部の表面に形成された弾性変形領域に対して演出画像を投影している。このような構成により、動きのある立体的な画像演出を行うことが可能となり、従来にはない立体感と臨場感のある演出が可能となる。
【０３２９】
［付記２−４］
（１）演出画像を投影可能な投影手段（投影装置６００）と、前記投影手段から照射される画像を投影する投影部（弾性可動スクリーン部材３２０）と、を備える遊技機であって、立体形状部を有する可動体（角形可動部材４２０、円形可動部材５２０）と、前記可動体および前記投影部のうち少なくともいずれか一方を移動可能な移動制御手段と、を備え、前記投影部は、少なくとも一部が光透過性を有する弾性部材で形成されるスクリーン部（弾性スクリーンシート３２２）を含み、前記移動制御手段は、前記可動体の前記立体形状部と前記スクリーン部とが接触しない非接触態様（図６１に示されるように、弾性スクリーンシート３２２が前方にある位置）と、前記可動体の前記立体形状部と前記スクリーン部の背面とが接触する接触態様（図６２に示されるように、弾性スクリーンシート３２２が後方にある位置）とのいずれかとなるように移動制御可能であり、前記スクリーン部は、前記可動体の前記立体形状部が当該スクリーン部の背面に対し圧接されることで、当該スクリーン部の少なくとも一部が当該立体形状部の形状に応じて弾性変形（膨出部の形成）し、前記投影手段は、前記スクリーン部における前記弾性変形した領域の少なくとも一部に所定の演出画像（図７４、図７７、図７８等に示されるキャラクタの投影態様）を投影可能であり、前記可動体は、前記立体形状部に発光可能な発光手段を有していることを特徴とする。
【０３３０】
上記（１）の遊技機によれば、一定の形状を維持したまま変形することのない従来の投影スクリーンに対し、本発明では、投影手段（投影装置６００）から投影されるスクリーン部（弾性スクリーンシート３２２）を弾性変形するように構成し、立体形状部を備える可動体（角形可動部材４２０、円形可動部材５２０）を、上記スクリーン部の背面に対して圧接させることで、上記可動体の立体形状部に合わせて上記スクリーン部を弾性変形させ、当該弾性変形した領域に応じた演出画像を投影することが可能となる。さらに、上記スクリーン部は、光透過性を有する弾性部材で形成されるとともに、当該スクリーン部に接触している上記可動体の立体形状部には、発光手段が設けられている。このような構成により、上記スクリーン部の弾性変形した領域に演出画像を投影しつつ、上記発光手段からの発光態様を、当該スクリーン部を透過させて遊技者に視認させることが可能となり、多種多様な立体演出を行うことが可能となる。
【０３３１】
［付記２−５］
（１）演出画像を投影可能な投影手段（投影装置６００）と、前記投影手段から照射される画像を投影する投影部（弾性可動スクリーン部材３２０）と、複数の図柄を変動表示可能な変動表示装置（例えば、演出画像表示装置５）と、を備える遊技機であって、立体形状部を有する可動体（角形可動部材４２０、円形可動部材５２０）と、前記可動体および前記投影部のうち少なくともいずれか一方を移動可能な移動制御手段と、を備え、前記投影部は、少なくとも一部が非透過性の弾性部材で形成されるスクリーン部（弾性スクリーンシート３２２）を含み、前記移動制御手段は、前記可動体の前記立体形状部と前記スクリーン部とが接触しない非接触態様（図６１に示されるように、弾性スクリーンシート３２２が前方にある位置）と、前記可動体の前記立体形状部と前記スクリーン部の背面とが接触する接触態様（図６２に示されるように、弾性スクリーンシート３２２が後方にある位置）とのいずれかとなるように移動制御可能であり、前記スクリーン部は、前記可動体の前記立体形状部が当該スクリーン部の背面に対し圧接されることで、当該スクリーン部の少なくとも一部が当該立体形状部の形状に応じて弾性変形（膨出部の形成）し、前記投影手段は、前記スクリーン部における前記弾性変形した領域の少なくとも一部に所定の演出画像（図７４、図７７、図７８等に示されるキャラクタの投影態様）を投影可能であり、前記変動表示装置は、前記スクリーン部に対して前記投影手段による複数の図柄の変動表示が少なくとも行われていない場合に、複数の図柄を変動表示可能であることを特徴とする。
【０３３２】
上記（１）の遊技機によれば、一定の形状を維持したまま変形することのない従来の投影スクリーンに対し、本発明では、投影手段（投影装置６００）から投影されるスクリーン部（弾性スクリーンシート３２２）を弾性変形するように構成し、立体形状部を備える可動体（角形可動部材４２０、円形可動部材５２０）を、上記スクリーン部の背面に対して圧接させることで、上記可動体の立体形状部に合わせて上記スクリーン部を弾性変形させ、当該弾性変形した領域に応じた演出画像を投影することが可能となる。このような構成により、多種多様な立体的な演出画像を表示することが可能となり、従来にはない立体感と臨場感のある演出が可能となる。さらに、上記スクリーン部に演出画像を投影する上記投影手段とは別に、複数の図柄を変動表示可能な変動表示装置（例えば、演出画像表示装置５）が設けられており、例えば、上記スクリーン部に投影される演出画像において、図柄の変動表示画像を中断して他の演出画像を表示することとなった場合、代替手段として、上記変動表示装置で引き続き図柄の変動表示画像が表示される。このような構成により、遊技者は常に図柄の変動態様を視認して把握することが可能となる。
【０３３３】
［付記２−６］
（１）演出画像を投影可能な投影手段（投影装置６００）と、前記投影手段から照射される画像を投影する投影部（弾性可動スクリーン部材３２０）と、を備える遊技機であって、立体形状部を有する可動体（右ハート形可動部材４２０Ａ、左ハート形可動部材５２０Ａ、星形可動部材７２０Ａ）と、前記可動体および前記投影部のうち少なくともいずれか一方を移動可能な移動制御手段と、を備え、前記可動体は、第１の立体形状部（ハート形）を有する第１の可動体（右ハート形可動部材４２０Ａ、左ハート形可動部材５２０Ａ）と、当該第１の立体形状部とは異なる形状である第２の立体形状部（星形）を有する第２の可動体（星形可動部材７２０Ａ）と、を含み、前記投影部は、少なくとも一部が非透過性の弾性部材で形成されるスクリーン部（弾性スクリーンシート３２２）を含み、前記スクリーン部は、前記可動体の前記立体形状部が当該スクリーン部の背面に対し圧接されることで、当該スクリーン部の少なくとも一部が当該立体形状部の形状に応じて弾性変形（膨出部の形成）し、前記投影手段は、前記スクリーン部における前記弾性変形した領域の少なくとも一部に所定の演出画像を投影可能であるとともに、前記所定の演出画像として、第１の演出画像（図８０に示されるハート形のキャラクタの投影態様）および／または当該第１の演出画像とは異なる第２の演出画像（図８３に示される星形のキャラクタの投影態様）を投影可能に構成されており、前記移動制御手段は、前記可動体の前記立体形状部と前記スクリーン部とが接触しない非接触態様（図６１に示されるように、弾性スクリーンシート３２２が前方にある位置）と、前記可動体の前記立体形状部と前記スクリーン部の背面とが接触する接触態様（図６２に示されるように、弾性スクリーンシート３２２が後方にある位置）とのいずれかとなるように移動制御可能であり、前記投影手段が前記第１の演出画像を投影する場合、前記第１の可動体の立体形状部と前記スクリーン部の背面とが接触する接触態様となるように移動制御（弾性スクリーンシート３２２の後方への移動）する第１移動制御手段、および前記投影手段が前記第２の演出画像を投影する場合、前記第２の可動体の立体形状部と前記スクリーン部の背面とが接触する接触態様（弾性スクリーンシート３２２の後方への移動）となるように移動制御する第２移動制御手段を有することを特徴とする。
【０３３４】
上記（１）の遊技機によれば、第１の可動体（右ハート形可動部材４２０Ａ、左ハート形可動部材５２０Ａ）および上記第１の可動体とは立体形状の異なる第２の可動体（星形可動部材７２０Ａ）は、それぞれ、弾性部材で形成されたスクリーン部（弾性スクリーンシート３２２）と接触する位置と接触しない位置とに移動が可能となっており、上記第１の可動体又は上記第２の可動体が上記スクリーン部と接触する位置に移動すると、当該スクリーン部の背面が上記可動体に圧接され、上記スクリーン部が弾性変形して、可動体の立体形状に応じた弾性変形部（膨出部）がスクリーン部に形成される。そして、投影手段（投影装置６００）によって、弾性変形部が形成されたスクリーン部に対応した演出画像が投影される。このような構成により、弾性変形部が形成されたスクリーン部において、弾性変形部の立体形状に応じた種々の演出画像を投影することができるため、バラエティーに富んだ演出が可能となるとともに、従来にはない立体感と臨場感のある演出が可能となる。
【０３３５】
［付記２−７］
（１）演出画像を投影可能な投影手段（投影装置６００）と、前記投影手段から照射される画像を投影する投影部（弾性可動スクリーン部材３２０）と、を備える遊技機であって、立体形状部を有する可動体（右ハート形可動部材４２０Ａ、左ハート形可動部材５２０Ａ、星形可動部材７２０Ａ）と、前記可動体および前記投影部のうち少なくともいずれか一方を移動可能な移動制御手段と、を備え、前記可動体は、第１の立体形状部（ハート形）を有する第１の可動体（右ハート形可動部材４２０Ａ、左ハート形可動部材５２０Ａ）と、当該第１の立体形状部とは異なる形状である第２の立体形状部（星形）を有する第２の可動体（星形可動部材７２０Ａ）と、を含み、前記投影部は、少なくとも一部が非透過性の弾性部材で形成されるスクリーン部（弾性スクリーンシート３２２）を含み、前記スクリーン部は、前記可動体の前記立体形状部が当該スクリーン部の背面に対し圧接されることで、当該スクリーン部の少なくとも一部が当該立体形状部の形状に応じて弾性変形（膨出部の形成）し、前記投影手段は、前記スクリーン部における前記弾性変形した領域の少なくとも一部に所定の演出画像を投影可能であるとともに、
前記所定の演出画像として、第１の演出画像（図８１に示されるハート形のキャラクタの投影態様）および／または当該第１の演出画像とは異なる第２の演出画像（図８３に示される星形のキャラクタの投影態様）を投影可能に構成されており、前記移動制御手段は、前記可動体の前記立体形状部と前記スクリーン部とが接触しない非接触態様（図６１に示されるように、弾性スクリーンシート３２２が前方にある位置）と、前記可動体の前記立体形状部と前記スクリーン部の背面とが接触する接触態様（図６２に示されるように、弾性スクリーンシート３２２が後方にある位置）とのいずれかとなるように移動制御可能であり、前記投影手段が前記第１の演出画像を投影する場合、前記第１の可動体の立体形状部と前記スクリーン部の背面とが接触する接触態様となるように移動制御（弾性スクリーンシート３２２の後方への移動）する第１移動制御手段、および前記投影手段が前記第２の演出画像を投影する場合、前記第２の可動体の立体形状部と前記スクリーン部の背面とが接触する接触態様（弾性スクリーンシート３２２の後方への移動）となるように移動制御する第２移動制御手段を有し、さらに、前記第１の可動体が、少なくとも第３の可動体（右ハート形可動部材４２０Ａ）と、第４の可動体（左ハート形可動部材５２０Ａ）とを含んで構成される場合に、前記移動制御手段は、前記第３の可動体および前記第４の可動体が互いに接触又は近接することで１つの構成物（図８１に示されるハート形）を形成するように移動制御するとともに、当該１つの構成物を形成した状態で、少なくとも前記第３の可動体の立体形状部および前記第４の可動体の立体形状部と、前記スクリーン部の背面とが圧接されるように移動制御可能であることを特徴とする。
【０３３６】
上記（１）の遊技機によれば、第１の可動体（右ハート形可動部材４２０Ａ、左ハート形可動部材５２０Ａ）および上記第１の可動体とは立体形状の異なる第２の可動体（星形可動部材７２０Ａ）は、それぞれ、弾性部材で形成されたスクリーン部（弾性スクリーンシート３２２）と接触する位置と接触しない位置とに移動が可能となっており、上記第１の可動体又は上記第２の可動体が上記スクリーン部と接触する位置に移動すると、当該スクリーン部の背面が上記可動体に圧接され、上記スクリーン部が弾性変形して、可動体の立体形状に応じた弾性変形部（膨出部）がスクリーン部に形成される。そして、投影手段（投影装置６００）によって、弾性変形部が形成されたスクリーン部に対応した演出画像が投影される。このような構成により、弾性変形部が形成されたスクリーン部において、弾性変形部の立体形状に応じた種々の演出画像を投影することができるため、バラエティーに富んだ演出が可能となるとともに、従来にはない立体感と臨場感のある演出が可能となる。
【０３３７】
さらに、第１の可動体を構成する第３の可動体（右ハート形可動部材４２０Ａ）と第４の可動体（左ハート形可動部材５２０Ａ）とが接触することで、一つの構成物（図８１に示されるハート形）を形成すように構成されている。つまり、各可動体の立体形状に応じた演出画像が投影されるだけではなく、各可動体が組み合わされた１つの立体形状を有する構成物に対しても、これに応じた演出画像を投影することが可能となるため、さらにバラエティーに富んだ演出が可能となる。また、１つの立体形状を有する構成物を二つの可動体に分割して、それぞれが投影領域内の進出位置と投影領域外の退避位置とを移動するように構成されているので、それぞれの可動体の投影領域外の退避スペースを小さくすることが可能となる。また、それぞれの可動体が投影領域外の退避スペースに移動するように構成されているため、スクリーン部の投影面に可動部材の影が映りこむことを防ぐことも可能となる。
【０３３８】
［付記２−８］
（１）演出画像を投影可能な投影手段（投影装置６００）と、前記投影手段から照射される画像を投影する投影部（弾性可動スクリーン部材３２０）と、を備える遊技機であって、立体形状部（角形、円形）を有する可動体（角形可動部材４２０、円形可動部材５２０）と、前記可動体および前記投影部のうち少なくともいずれか一方を移動可能な移動制御手段と、を備え、前記立体形状部は、所定の輪郭形状にて形成され、前記投影部は、前記立体形状部が通過可能に形成されるとともに前後に貫通する開口部（開口部３２３１）を有するベース部（スクリーンベース３２３）と、弾性部材で形成されるとともに少なくとも前記開口部を覆って前記ベース部に固着されるスクリーン部（弾性スクリーンシート３２２）と、を含み、前記移動制御手段は、前記可動体の前記立体形状部と前記スクリーン部とが接触しない非接触態様（図６１に示されるように、弾性スクリーンシート３２２が前方にある位置）と、前記可動体の前記立体形状部と前記スクリーン部の背面とが接触する接触態様（図６２に示されるように、弾性スクリーンシート３２２が後方にある位置）とのいずれかとなるように移動制御可能であり、前記スクリーン部は、前記可動体の前記立体形状部が当該スクリーン部の背面に対し圧接されることで、当該スクリーン部の少なくとも一部が当該立体形状部の形状に応じて弾性変形（図７２、図７３に示されるような膨出部の形成）し、前記投影手段は、前記スクリーン部における前記弾性変形した領域の少なくとも一部に所定の演出画像（図７４、図７７、図７８等参照）を投影可能であり、前記開口部は、前記所定の輪郭形状に応じた形状（図５７の３２３１等参照）に形成されていることを特徴とする。
【０３３９】
上記（１）の遊技機によれば、投影手段（投影装置６００）から演出画像が投影される投影部は、可動体（角形可動部材４２０、円形可動部材５２０）の立体形状部の輪郭形状に合わせて当該可動体が通過可能な開口部（図５７の開口部３２３１参照）がベース部（スクリーンベース３２３）に設けられており、さらにその前面に弾性を有するスクリーン部（弾性スクリーンシート３２２）が上記ベース部に開口部部分を除いて固着されている。すなわち、単に、弾性を有するスクリーン部に可動体を圧接した場合、可動体の立体形状部に対応して立体的な膨出部がスクリーン上に形成されるものの、その輪郭部分はスクリーンが徐徐に引き伸ばされる関係上、緩やかに傾斜して、くっきりとした輪郭部分は形成されない。しかし、上記のような構成により、可動体が圧接される部分以外のスクリーンは、ベース部に固着されることにより、緩やかに傾斜して引き伸ばされることがないため、スクリーン部に弾性変形部分を形成する際（図７３等参照）、非常に輪郭のはっきりした弾性変形部分を形成することが可能となる。
【０３４０】
（２）上記（１）に記載の遊技機において、前記可動体が複数備えられ、前記開口部は、複数の前記可動体の前記立体形状部それぞれに対応して前記ベース部に形成される。
【０３４１】
上記（２）の遊技機によれば、さらに、複数の可動体の立体形状部に対応して複数の開口部がベース部に設けられることで、スクリーン部に輪郭のはっきりした複数の弾性変形部分を形成することができるとともに、各弾性変形部分に対応した多種多様な立体的な演出画像を表示することが可能となる。
【０３４２】
［付記２−９］
（１）演出画像を投影可能な投影手段（投影装置６００）と、前記投影手段から照射される画像を投影する投影部（弾性可動スクリーン部材３２０）と、を備える遊技機であって、立体形状部（角形、円形）を有する可動体（角形可動部材４２０、円形可動部材５２０）と、前記可動体および前記投影部のうち少なくともいずれか一方を移動可能な移動制御手段と、を備え、前記立体形状部は、所定の輪郭形状にて形成され、前記投影部は、前記立体形状部が通過可能に形成されるとともに前後に貫通する開口部（開口部３２３１）を有するベース部（スクリーンベース３２３）と、弾性部材で形成されるとともに少なくとも前記開口部を覆って前記ベース部に固着されるスクリーン部（弾性スクリーンシート３２２）と、を含み、前記移動制御手段は、前記可動体の前記立体形状部と前記スクリーン部とが接触しない非接触態様（図６１に示されるように、弾性スクリーンシート３２２が前方にある位置）と、前記可動体の前記立体形状部と前記スクリーン部の背面とが接触する接触態様（図６２に示されるように、弾性スクリーンシート３２２が後方にある位置）とのいずれかとなるように移動制御可能であり、前記スクリーン部は、前記可動体の前記立体形状部が当該スクリーン部の背面に対し圧接されることで、当該スクリーン部の少なくとも一部が当該立体形状部の形状に応じて弾性変形（図７２、図７３に示されるような膨出部の形成）し、前記投影手段は、前記スクリーン部における前記弾性変形した領域の少なくとも一部に所定の演出画像（図７４、図７７、図７８等参照）を投影可能であることを特徴とする。
【０３４３】
上記（１）の遊技機によれば、投影手段（投影装置６００）から演出画像が投影される投影部は、可動体（角形可動部材４２０、円形可動部材５２０）が通過可能な開口部がベース部（スクリーンベース３２３）に設けられており、さらにその前面に弾性を有するスクリーン部（弾性スクリーンシート３２２）が上記ベース部に開口部部分を除いて固着されている。すなわち、上記ベース部の開口部部分を通じて、弾性を有するスクリーン部に上記可動体が圧接され、立体的な膨出部がスクリーン上に形成される。さらに、上記ベース部の開口部部分は、図８４の３２３１に示されるように上記可動体の可動範囲内で開口されているので、上記スクリーン部内の任意の位置において上記立体的な膨出部を形成することが可能である。
【０３４４】
［付記２−１０］
（１）演出画像を投影可能な投影手段（投影装置６００）と、前記投影手段から照射される画像を投影する投影部（弾性可動スクリーン部材３２０）と、を備える遊技機であって、立体形状部（ハート形）を有する可動体（右ハート形可動部材４２０Ａ、左ハート形可動部材５２０Ａ）と、前記可動体および前記投影部のうち少なくともいずれか一方を移動可能な移動制御手段と、を備え、前記可動体は、第１の可動体（右ハート形可動部材４２０Ａ）と、第２の可動体（左ハート形可動部材５２０Ａ）と、を含み、前記投影部は、少なくとも一部が非透過性の弾性部材で形成されるスクリーン部（弾性スクリーンシート３２２）を含み、前記スクリーン部は、前記可動体の前記立体形状部が当該スクリーン部の背面に対し圧接されることで、当該スクリーン部の少なくとも一部が当該立体形状部の形状に応じて弾性変形（膨出部の形成）し、前記投影手段は、前記スクリーン部における前記弾性変形した領域の少なくとも一部に所定の演出画像（図８０、図８１参照）を投影可能であり、前記移動制御手段は、前記可動体を、前記投影手段の投影領域の範囲外でありかつ前記可動体の前記立体形状部と前記スクリーン部とが接触しない非接触態様と、前記投影手段の投影領域の範囲内でありかつ前記可動体の前記立体形状部と前記スクリーン部の背面とが接触可能な接触態様とのいずれかとなるように移動制御可能であり、前記第１の可動体および前記第２の可動体が互いに接触又は近接することで１つの構成物（図３７に示されるハート形）を形成するように移動制御し、当該１つの構成物を形成した状態で、前記第１の可動体の立体形状部および前記第２の可動体の立体形状部と、前記スクリーン部の背面とが圧接されるように移動制御可能であることを特徴とする。
【０３４５】
上記（１）の遊技機によれば、第１の可動体（右ハート形可動部材４２０Ａ）と、当該第１の可動体とは立体形状の異なる第２の可動体（左ハート形可動部材５２０Ａ）とが組み合わされることで、１つの構成物（図８１に示されるハート形）を形成するように構成されている。つまり、各可動体の立体形状に応じた演出画像が投影されるだけではなく、各可動体が組み合わされた１つの立体形状を有する構成物に対しても、これに応じた演出画像を投影することが可能となるため、バラエティーに富んだ演出が可能となる。さらに、１つの立体形状を有する構成物を二つの可動体に分割して、それぞれが投影領域内の進出位置と投影領域外の退避位置とを移動するように構成されているので、それぞれの可動体の投影領域外の退避スペースを小さくすることが可能となる。また、それぞれの可動体が投影領域外の退避スペースに移動するように構成されているため、スクリーン部の投影面に可動部材の影が映りこむことを防ぐことも可能となる。
【０３４６】
［付記２−１１］
（１）演出画像を投影可能な投影手段（投影装置６００）と、前記投影手段から照射される画像を投影する投影部（弾性可動スクリーン部材３２０）と、を備える遊技機であって、立体形状部（ハート形）を有する可動体（右ハート形可動部材４２０Ａ、左ハート形可動部材５２０Ａ）と、前記可動体および前記投影部のうち少なくともいずれか一方を移動可能な移動制御手段と、を備え、前記可動体は、第１の可動体（右ハート形可動部材４２０Ａ）と、第２の可動体（左ハート形可動部材５２０Ａ）と、を含み、前記投影部は、少なくとも一部が非透過性の弾性部材で形成されるスクリーン部（弾性スクリーンシート３２２）を含み、前記スクリーン部は、前記可動体の前記立体形状部が当該スクリーン部の背面に対し圧接されることで、当該スクリーン部の少なくとも一部が当該立体形状部の形状に応じて弾性変形（膨出部の形成）し、前記投影手段は、前記スクリーン部における前記弾性変形した領域の少なくとも一部に所定の演出画像（図８０、図８１参照）を投影可能であり、前記移動制御手段は、前記可動体を、前記投影手段の投影領域の範囲内において、前記可動体の前記立体形状部と前記スクリーン部とが接触しない非接触態様と、前記投影手段の投影領域の範囲内でありかつ前記可動体の前記立体形状部と前記スクリーン部の背面とが接触可能な接触態様とのいずれかとなるように移動制御可能であり、前記第１の可動体の前記立体形状部および前記第２の可動体の前記立体形状部と、前記スクリーン部とを前記接触態様とするとともに、前記第１の可動体の前記立体形状部と、前記第２の可動体の前記立体形状部とを互いに接触又は近接することで前記第１の可動体の立体形状部と前記第２の可動体の立体形状部とが１つの構成物（図８１に示されるハート形）を形成するように移動制御可能であることを特徴とする。
【０３４７】
上記（１）の遊技機によれば、第１の可動体（右ハート形可動部材４２０Ａ）と、当該第１の可動体とは立体形状の異なる第２の可動体（左ハート形可動部材５２０Ａ）とが組み合わされることで、１つの構成物（図８１に示されるハート形）を形成するように構成されている。つまり、各可動体の立体形状に応じた演出画像が投影されるだけではなく、各可動体が組み合わされた１つの立体形状を有する構成物に対しても、これに応じた演出画像を投影することが可能となるため、バラエティーに富んだ演出が可能となる。さらに、上記第１の可動体および前記第２の可動体は、それぞれ投影領域の範囲内でスクリーン部に圧接されて当該スクリーン部に膨出部を形成しながら移動可能に構成されているので、例えば、二つの異なる形状の膨出部が移動しながら次第に近接して合体するような演出を行うことが可能となり、上記膨出部に投影される画像との相乗効果により、遊技者に対して立体的な演出が可能となる。
【符号の説明】
【０３４８】
１                パチンコ遊技機
３２０            弾性可動スクリーン部材
３２２            弾性スクリーンシート
４２０Ａ          右ハート形可動部材
５２０Ａ          左ハート形可動部材
６００            投影装置
【図１】
2018175206.tif 000003
【図２】
2018175206.tif 000004
【図３】
2018175206.tif 000005
【図４】
2018175206.tif 000006
【図５】
2018175206.tif 000007
【図６】
2018175206.tif 000008
【図７】
2018175206.tif 000009
【図８】
2018175206.tif 000010
【図９】
2018175206.tif 000011
【図１０】
2018175206.tif 000012
【図１１】
2018175206.tif 000013
【図１２】
2018175206.tif 000014
【図１３】
2018175206.tif 000015
【図１４】
2018175206.tif 000016
【図１５】
2018175206.tif 000017
【図１６】
2018175206.tif 000018
【図１７】
2018175206.tif 000019
【図１８】
2018175206.tif 000020
【図１９】
2018175206.tif 000021
【図２０】
2018175206.tif 000022
【図２１】
2018175206.tif 000023
【図２２】
2018175206.tif 000024
【図２３】
2018175206.tif 000025
【図２４】
2018175206.tif 000026
【図２５】
2018175206.tif 000027
【図２６】
2018175206.tif 000028
【図２７】
2018175206.tif 000029
【図２８】
2018175206.tif 000030
【図２９】
2018175206.tif 000031
【図３０】
2018175206.tif 000032
【図３１】
2018175206.tif 000033
【図３２】
2018175206.tif 000034
【図３３】
2018175206.tif 000035
【図３４】
2018175206.tif 000036
【図３５】
2018175206.tif 000037
【図３６】
2018175206.tif 000038
【図３７】
2018175206.tif 000039
【図３８】
2018175206.tif 000040
【図３９】
2018175206.tif 000041
【図４０】
2018175206.tif 000042
【図４１】
2018175206.tif 000043
【図４２】
2018175206.tif 000044
【図４３】
2018175206.tif 000045
【図４４】
2018175206.tif 000046
【図４５】
2018175206.tif 000047
【図４６】
2018175206.tif 000048
【図４７】
2018175206.tif 000049
【図４８】
2018175206.tif 000050
【図４９】
2018175206.tif 000051
【図５０】
2018175206.tif 000052
【図５１】
2018175206.tif 000053
【図５２】
2018175206.tif 000054
【図５３】
2018175206.tif 000055
【図５４】
2018175206.tif 000056
【図５５】
2018175206.tif 000057
【図５６】
2018175206.tif 000058
【図５７】
2018175206.tif 000059
【図５８】
2018175206.tif 000060
【図５９】
2018175206.tif 000061
【図６０】
2018175206.tif 000062
【図６１】
2018175206.tif 000063
【図６２】
2018175206.tif 000064
【図６３】
2018175206.tif 000065
【図６４】
2018175206.tif 000066
【図６５】
2018175206.tif 000067
【図６６】
2018175206.tif 000068
【図６７】
2018175206.tif 000069
【図６８】
2018175206.tif 000070
【図６９】
2018175206.tif 000071
【図７０】
2018175206.tif 000072
【図７１】
2018175206.tif 000073
【図７２】
2018175206.tif 000074
【図７３】
2018175206.tif 000075
【図７４】
2018175206.tif 000076
【図７５】
2018175206.tif 000077
【図７６】
2018175206.tif 000078
【図７７】
2018175206.tif 000079
【図７８】
2018175206.tif 000080
【図７９】
2018175206.tif 000081
【図８０】
2018175206.tif 000082
【図８１】
2018175206.tif 000083
【図８２】
2018175206.tif 000084
【図８３】
2018175206.tif 000085
【図８４】
2018175206.tif 000086